(57)【要約】  広帯域ノイズが存在するとき、バンド内ノイズの検出および／または推定に基づき、画像からノイズ除去するシステムと方法を提供する。実施例において、イメージングバンド内に存在する広帯域ノイズの推定は、イメージングバンド外に存在するバンド外ノイズを検出または特性識別することによって実施される。この推定したバンド内ノイズを用いて、検出した撮像波形からノイズ除去できる。別実施例において、イメージングバンド内のノイズを検出するが撮像エネルギーから隔離された基準受信回路を用いて、イメージングバンド内のノイズを検出および／または特性識別できる。推定した基準ノイズを用いて、検出したバンド内撮像波形からノイズ除去できる。【選択図】図１Ａ
2020508168.tif 000002
【特許請求の範囲】
【請求項１】
広帯域ノイズが存在するとき検出した撮像信号からノイズを除去する方法であって、
撮像エネルギーを受信していないとき、撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形と、少なくとも一部が前記イメージングバンド外のノイズ検出バンド内に存在するバンド外ノイズ特性識別波形とを生成するステップ、
１以上の時間ウインドウにしたがって、前記バンド内ノイズ特性識別波形と前記バンド外ノイズ特性識別波形をセグメント化するステップ、
少なくとも１つの時間ウインドウについて、前記バンド内ノイズ特性識別波形と前記バンド外ノイズ特性識別波形を処理して、前記イメージングバンド内のノイズと前記ノイズ検出バンド内のノイズとの間の関係を判定するステップ、
前記撮像トランスデューサ受信回路によって撮像信号を検出することにより、１以上の撮像波形を取得するステップ、
少なくとも１つの撮像波形について、
ａ）前記撮像波形をフィルタリングして、前記イメージングバンド内に存在するバンド内撮像波形と前記ノイズ検出バンド内に存在するバンド外ノイズ検出撮像波形を生成するステップ、
ｂ）１状の時間ウインドウにしたがって、前記バンド内撮像波形と前記バンド外ノイズ検出撮像波形をセグメント化するステップ、
ｃ）前記関係と前記バンド外ノイズ検出撮像波形を用いて、少なくとも１つの時間ウインドウ内において、前記バンド内撮像波形のノイズ量に関する測定結果を推定するステップ、
ｄ）前記ステップｃ）における少なくとも１つの時間ウインドウについて、前記時間ウインドウ内の前記バンド内撮像波形の一部に対してノイズ抑制訂正を適用するステップ、
を有することを特徴とする方法。
【請求項２】
前記撮像波形を検出するステップは、複数のスキャンラインに沿って前記撮像トランスデューサ受信回路によって撮像信号を検出するステップを有し、
前記方法はさらに、
それぞれ前記複数のスキャンラインに対応する複数の撮像波形を取得するステップ、
それぞれ前記複数のスキャンラインに対応するノイズ除去したバンド内撮像波形に基づき画像を生成するステップ、
を有する
ことを特徴とする請求項１記載の方法。
【請求項３】
前記ステップｄ）は、前記測定結果が閾値を超えているとき実施される
ことを特徴とする請求項１記載の方法。
【請求項４】
前記イメージングバンド内のノイズと前記ノイズ検出バンド内のノイズとの間の前記関係は、前記バンド内ノイズ特性識別波形と前記バンド外ノイズ特性識別波形の相対エネルギーの測定結果に関連している
ことを特徴とする請求項１記載の方法。
【請求項５】
２以上の時間ウインドウを処理して、前記イメージングバンド内のノイズと前記ノイズ検出バンド内のノイズとの間の前記関係を判定する
ことを特徴とする請求項４記載の方法。
【請求項６】
前記バンド内撮像波形内のノイズ量に関する前記測定結果は、前記関係と前記バンド内ノイズ特性識別波形のパワー量に基づいている
ことを特徴とする請求項１から５いずれか１項記載の方法。
【請求項７】
前記ノイズ抑制訂正は、減算値を含む
ことを特徴とする請求項１から６いずれか１項記載の方法。
【請求項８】
所与の時間ウインドウに関する前記減算値は、その所与の時間ウインドウについて前記バンド外ノイズ検出撮像波形内で検出されたエネルギー量だけ増加する
ことを特徴とする請求項７記載の方法。
【請求項９】
前記ノイズ抑制訂正は、減衰係数を乗算することを含む
ことを特徴とする請求項１から６いずれか１項記載の方法。
【請求項１０】
所与の時間ウインドウに関する前記減衰係数は、前記所与の時間ウインドウについての前記バンド内撮像波形内のノイズ量に関する前記測定結果だけ減少し、これにより前記ノイズに関する前記バンド内撮像波形の一部を減衰させる
ことを特徴とする請求項９記載の方法。
【請求項１１】
前記ノイズ抑制訂正を適用する前において、前記閾値を超える測定結果を有する各時間ウインドウを、空間的に隣接するスキャンラインに対応する空間的隣接時間ウインドウに対して再評価し、これにより、前記隣接時間ウインドウがノイズなしと推定された場合、最初はノイズが存在するものとして推定された所与の時間ウインドウに対応するサンプルを、空間的隣接時間ウインドウのサンプルと置き換える
ことを特徴とする請求項３記載の方法。
【請求項１２】
前記ノイズ抑制訂正を適用する前において、前記閾値を超える測定結果を有する各時間ウインドウを、時間的隣接時間ウインドウに対して再評価し、これにより、前記隣接時間ウインドウがノイズありと推定された場合、最初はノイズが存在しないものとして推定された所与の時間ウインドウに対応するサンプルを、ノイズありとして再評価する
ことを特徴とする請求項３記載の方法。
【請求項１３】
所与の時間ウインドウに対して適用される前記ノイズ抑制訂正は、前記バンド内撮像波形内における前記所与の時間ウインドウの深さに依拠する
ことを特徴とする請求項１から１２いずれか１項記載の方法。
【請求項１４】
前記閾値は、撮像エネルギーとノイズが存在しないときにおけるベースライン測定結果に基づき決定される
ことを特徴とする請求項３記載の方法。
【請求項１５】
前記方法はさらに、ノイズ特性識別を繰り返して、前記イメージングバンド内のノイズと前記ノイズ検出バンド内のノイズとの間の前記関係を再決定するステップを有する
ことを特徴とする請求項１から１４いずれか１項記載の方法。
【請求項１６】
前記ノイズ特性識別は、ユーザ入力にしたがって繰り返される
ことを特徴とする請求項１５記載の方法。
【請求項１７】
前記ノイズ特性識別は、撮像エネルギーが存在しないことを検出したとき、自動的に繰り返される
ことを特徴とする請求項１５記載の方法。
【請求項１８】
前記方法はさらに、前記バンド外ノイズ検出撮像波形に関する１以上のパラメータをモニタリングすることにより、前記ノイズ検出バンド内のノイズの変化を検出するステップを有する
ことを特徴とする請求項１から１７いずれか１項記載の方法。
【請求項１９】
前記方法はさらに、少なくとも１つの前記パラメータが変化したことを検出したとき、アラートまたはメッセージを生成するステップを有する
ことを特徴とする請求項１８記載の方法。
【請求項２０】
前記方法はさらに、
撮像エネルギーが存在しないとき前記バンド内撮像波形に対してノイズ抑制を実施するステップ、
ノイズ訂正後において前記バンド内撮像波形内のエネルギーに基づきエラー値を生成するステップ、
前記エラー値が事前選択した閾値を超えている場合、ノイズ特性識別を繰り返すようにアラートを生成するステップ、
を有する
ことを特徴とする請求項１から１７いずれか１項記載の方法。
【請求項２１】
前記撮像トランスデューサ受信回路は、超音波トランスデューサを含む
ことを特徴とする請求項１から２０いずれか１項記載の方法。
【請求項２２】
前記撮像トランスデューサ受信回路は、磁場を検出するコイルを備える
ことを特徴とする請求項１から２０いずれか１項記載の方法。
【請求項２３】
ノイズが存在するとき検出した撮像信号のノイズを除去する方法であって、
撮像エネルギーを受信していないとき、
撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形を生成するステップ、
前記撮像トランスデューサ受信回路がノイズ検出している間は撮像エネルギーを送信しないように構成された基準受信回路によってノイズを検出することにより、基準ノイズ特性識別波形を取得するステップ、
前記バンド内ノイズ特性識別波形と前記基準ノイズ特性識別波形を処理して、前記イメージングバンド内のノイズと前記基準受信回路が検出したノイズとの間の関係を決定するステップ、
前記撮像トランスデューサ受信回路によって撮像信号を検出することにより、１以上の撮像波形を取得するステップ、
少なくとも１つの撮像波形について、
ａ）前記撮像波形をフィルタリングして、前記イメージングバンド内に存在するバンド内撮像波形を生成するステップ、
ｂ）前記基準受信回路によって基準ノイズ検出波形を検出するステップ、
ｃ）１以上の時間ウインドウにしたがって、前記バンド内撮像波形と前記基準ノイズ検出波形をセグメント化するステップ、
ｄ）前記関係と前記基準ノイズ検出波形を用いて、少なくとも１つの時間ウインドウ内において、前記バンド内撮像波形のノイズ量に関する測定結果を推定するステップ、
ｅ）前記ステップｃ）における少なくとも１つの時間ウインドウについて、前記時間ウインドウ内の前記バンド内撮像波形の一部に対してノイズ抑制訂正を適用するステップ、
を有することを特徴とする方法。
【請求項２４】
前記ステップｅ）は、前記測定結果が閾値を超えているとき実施される
ことを特徴とする請求項２３記載の方法。
【請求項２５】
前記基準受信回路は、撮像エネルギーに対する感度を有さないように構成された不活性撮像トランスデューサを備える
ことを特徴とする請求項２３または２４記載の方法。
【請求項２６】
前記基準受信回路は、撮像エネルギーに対する感度を有さないがノイズ検出できる１以上の回路部品を備える
ことを特徴とする請求項２３または２４記載の方法。
【請求項２７】
前記ノイズ抑制訂正は、減算値を含む
ことを特徴とする請求項２３から２６いずれか１項記載の方法。
【請求項２８】
所与の時間ウインドウに関する前記減算値は、前記所与の時間ウインドウについて前記基準ノイズ検出波形内で検出したエネルギー量だけ増加する
ことを特徴とする請求項２７記載の方法。
【請求項２９】
前記ノイズ抑制訂正は、減衰係数を乗算することを含む
ことを特徴とする請求項２３から２６いずれか１項記載の方法。
【請求項３０】
所与の時間ウインドウに関する前記減衰係数は、前記所与の時間ウインドウについての前記バンド内撮像波形内のノイズ量に関する前記測定結果だけ減少し、これにより前記ノイズに関する前記バンド内撮像波形の一部を減衰させる
ことを特徴とする請求項２９記載の方法。
【請求項３１】
所与の時間ウインドウに対して適用される前記ノイズ抑制訂正は、前記バンド内撮像波形内における前記所与の時間ウインドウの深さに依拠する
ことを特徴とする請求項２３から３０いずれか１項記載の方法。
【請求項３２】
前記方法はさらに、ノイズ特性識別を繰り返して、前記イメージングバンド内のノイズと前記基準受信回路が検出したノイズとの間の前記関係を再決定するステップを有する
ことを特徴とする請求項２３から３１いずれか１項記載の方法。
【請求項３３】
前記ノイズ特性識別は、ユーザ入力にしたがって繰り返される
ことを特徴とする請求項３２記載の方法。
【請求項３４】
前記ノイズ特性識別は、撮像エネルギーが存在しないことを検出したとき、自動的に繰り返される
ことを特徴とする請求項３２記載の方法。
【請求項３５】
前記方法はさらに、前記基準ノイズ検出波形に関する１以上のパラメータをモニタリングして、前記ノイズの変化を検出するステップを有する
ことを特徴とする請求項２３から３４いずれか１項記載の方法。
【請求項３６】
前記方法はさらに、少なくとも１つの前記パラメータが変化したことを検出したとき、アラートまたはメッセージを生成するステップを有する
ことを特徴とする請求項３５記載の方法。
【請求項３７】
前記方法はさらに、
撮像エネルギーが存在しないとき前記バンド内撮像波形に対してノイズ抑制を実施するステップ、
ノイズ訂正後において前記バンド内撮像波形内のエネルギーに基づきエラー値を生成するステップ、
前記エラー値が事前選択した閾値を超えているとき、ノイズ特性識別を繰り返すようにアラートを生成するステップ、
を有する
ことを特徴とする請求項２３から３４いずれか１項記載の方法。
【請求項３８】
広帯域ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド内撮像波形のバンド内撮像包絡線を検出するステップ、
前記バンド外ノイズ検出撮像波形のバンド外包絡線を検出するステップ、
前記バンド外包絡線に対してスケーリング係数を適用することにより、修正後バンド外包絡線を取得するステップ、
前記修正後バンド外包絡線と前記バンド内撮像包絡線を組み合わせて、ノイズ訂正後バンド内包絡線を取得するステップ、
を有し、
前記スケーリング係数は、前記ノイズ訂正後バンド内包絡線のバンド内ノイズの寄与分を減少させるように選択されている
ことを特徴とする方法。
【請求項３９】
前記方法はさらに、前記修正後バンド外包絡線と前記バンド内撮像包絡線を組み合わせる前において、前記修正後バンド外包絡線と前記バンド内撮像包絡線との間の相対遅延を調整するステップを有する
ことを特徴とする請求項３８記載の方法。
【請求項４０】
前記相対遅延は、前記バンド内撮像包絡線と前記修正後バンド外包絡線との間の相互相関を計算することによって決定される
ことを特徴とする請求項３９記載の方法。
【請求項４１】
前記撮像トランスデューサ受信回路は、超音波トランスデューサを含む
ことを特徴とする請求項２２から４０いずれか１項記載の方法。
【請求項４２】
前記撮像トランスデューサ受信回路は、磁場を検出するコイルを備える
ことを特徴とする請求項２２から４０いずれか１項記載の方法。
【請求項４３】
ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド外ノイズ検出撮像波形に対して振幅スケーリング係数と周波数シフトを適用することにより、修正後波形を取得し、これにより前記修正後波形が前記イメージングバンド内に存在する周波数成分を含むようにするステップ、
前記修正後波形と前記バンド内撮像波形を組み合わせて、ノイズ訂正後バンド内撮像波形を取得するステップ、
を有し、
前記振幅スケーリング係数は、前記ノイズ訂正後バンド内撮像波形のバンド内ノイズの寄与分を減少させるように選択されている
ことを特徴とする方法。
【請求項４４】
前記方法はさらに、前記修正後波形と前記バンド内撮像波形を組み合わせる前において、前記修正後波形と前記バンド内撮像波形との間の相対遅延を調整するステップを有する
ことを特徴とする請求項４３記載の方法。
【請求項４５】
ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形を生成するステップ、
前記撮像トランスデューサ受信回路が受信したノイズを検出している間は撮像エネルギーを送信しないように構成された基準受信回路によってノイズを検出することにより、基準ノイズ検出波形を取得するステップ、
前記バンド内撮像波形のバンド内撮像包絡線を検出するステップ、
前記基準ノイズ検出波形の基準包絡線を検出するステップ、
前記基準包絡線に対してスケーリング係数を適用することにより、修正後基準包絡線を取得するステップ、
前記修正後基準包絡線と前記バンド内撮像包絡線を組み合わせて、ノイズ訂正後バンド内包絡線を取得するステップ、
を有し、
前記スケーリング係数は、前記ノイズ訂正後バンド内包絡線のバンド内ノイズの寄与分を減少させるように選択されている
ることを特徴とする方法。
【請求項４６】
前記方法はさらに、前記修正後基準包絡線と前記バンド内撮像包絡線を組み合わせる前において、前記修正後包絡線と前記バンド内撮像包絡線との間の相対遅延を調整するステップを有する
ことを特徴とする請求項４５記載の方法。
【請求項４７】
前記相対遅延は、前記バンド内撮像包絡線と前記修正後基準包絡線との間の相互相関を計算することにより決定される
ことを特徴とする請求項４６記載の方法。
【請求項４８】
ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形を生成するステップ、
前記撮像トランスデューサ受信回路が受信したノイズを検出している間は撮像エネルギーを送信しないように構成された基準受信回路によってノイズを検出することにより、基準ノイズ検出波形を取得するステップ、
１以上の適応フィルタパラメータにしたがって前記基準ノイズ検出波形を適応フィルタリングするステップ、
前記フィルタリングした基準ノイズ検出波形と前記バンド内撮像波形を組み合わせて、ノイズ訂正後バンド内撮像波形を取得するステップ、
を有し、
前記適応フィルタパラメータは、前記ノイズ訂正後バンド内撮像波形を処理して前記ノイズ訂正後バンド内撮像波形のパワーを最小化することにより動的に決定される
ことを特徴とする方法。
【請求項４９】
前記基準受信回路は、撮像エネルギーに対する感度を有さないように構成された不活性撮像トランスデューサを備える
ことを特徴とする請求項４８記載の方法。
【請求項５０】
前記基準受信回路は、撮像エネルギーに対する感度を有さなくともノイズ検出できる１以上の回路部品を備える
ことを特徴とする請求項４８記載の方法。
【請求項５１】
広帯域ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド内撮像波形のバンド内撮像包絡線を検出するステップ、
前記バンド外ノイズ検出撮像波形のバンド外撮像包絡線を検出するステップ、
１以上の適応フィルタパラメータにしたがって前記バンド外撮像包絡線を適応フィルタリングするステップ、
前記フィルタリングしたバンド外撮像包絡線と前記バンド内撮像包絡線を組み合わせて、ノイズ訂正後バンド内撮像包絡線を取得するステップ、
を有し、
前記適応フィルタパラメータは、前記ノイズ訂正後バンド内撮像包絡線を処理して前記ノイズ訂正後バンド内撮像包絡線のパワーを最小化することにより動的に決定される
ことを特徴とする方法。
【請求項５２】
広帯域ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド外ノイズ検出撮像波形に対して周波数シフトを適用することにより、修正後波形を取得し、これにより前記修正後波形が前記イメージングバンド内に存在する周波数成分を含むようにするステップ、
１以上の適応フィルタパラメータにしたがって前記バンド外ノイズ検出撮像波形を適応フィルタリングするステップ、
前記フィルタリングした修正後波形と前記バンド内撮像波形を組み合わせて、ノイズ訂正後バンド内撮像波形を取得するステップ、
を有し、
前記適応フィルタパラメータは、前記ノイズ訂正後バンド内撮像波形を処理して前記ノイズ訂正後バンド内撮像波形のパワーを最小化することにより動的に決定される
ことを特徴とする方法。
【請求項５３】
広帯域ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド外ノイズ検出撮像波形を処理することにより、前記バンド内撮像波形をフィルタリングしてバンド内ノイズを除去する動的デジタルフィルタの適切なフィルタパラメータを選択するステップ、
前記フィルタパラメータにしたがって前記動的デジタルフィルタによって前記バンド内撮像波形をフィルタリングするステップ、
を有することを特徴とする方法。
【請求項５４】
前記バンド外ノイズ検出撮像波形を処理することにより、前記動的デジタルフィルタの適切なフィルタパラメータを選択するステップは、
前記バンド外ノイズ検出撮像波形に基づき、高調波ノイズに関する１以上の周波数を識別するステップ、
前記フィルタパラメータを選択して、前記動的デジタルフィルタのストップバンドを制御することにより、前記ストップバンドが前記イメージングバンド内の高調波ノイズを削除または抑制するステップ、
を有する
ことを特徴とする請求項５３記載の方法。
【請求項５５】
前記方法はさらに、
前記イメージングバンド内の１以上のサブバンドにしたがって、前記バンド内撮像波形をフィルタリングするステップであって、前記１以上のサブバンドは前記ノイズの周波数と関連している、ステップ、
前記フィルタリングしたバンド内撮像波形を処理して、前記イメージングバンド内のノイズの存在を検出するステップ、
を有し、
前記バンド内撮像波形は、前記イメージングバンド内にノイズが検出されたとき、前記フィルタパラメータにしたがって前記動的デジタルフィルタによってフィルタリングされる
ことを特徴とする請求項５４記載の方法。
【請求項５６】
１以上のノイズ源によって特徴付けられる検出システムによって取得した信号に対してノイズ抑制を実施する方法であって、
撮像エネルギーを受信していないとき、撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形と、少なくとも一部が前記イメージングバンド外にあるノイズ検出バンド内に存在するバンド外ノイズ特性識別波形を生成するステップ、
１以上の時間ウインドウにしたがって、前記バンド内ノイズ特性識別波形と前記バンド外ノイズ特性識別波形をセグメント化するステップ、
少なくとも１つの時間ウインドウについて、パターン認識アルゴリズムにしたがって前記バンド内ノイズ特性識別波形と前記バンド外ノイズ特性識別波形を処理して、前記ノイズ検出バンド内における前記イメージングバンド内のノイズと相関するノイズパターンを識別するステップ、
前記撮像トランスデューサ受信回路によって撮像信号を検出することにより、撮像波形を取得し、前記撮像波形をフィルタリングして、前記イメージングバンド内に存在するバンド内撮像波形と前記ノイズ検出バンド内に存在するバンド外ノイズ検出撮像波形を取得するステップ、
１以上の時間ウインドウにしたがって、前記バンド内撮像波形と前記バンド外撮像波形をセグメント化するステップ、
前記パターン認識アルゴリズムにしたがって、少なくとも１つの時間ウインドウについて、前記バンド外ノイズ検出撮像波形を処理して、前記ノイズパターンを検出するステップ、
前記ノイズパターンを検出した場合、前記バンド外ノイズ検出撮像波形において検出した前記ノイズパターン固有の前記バンド内撮像波形の前記時間ウインドウに対してノイズ抑制訂正を適用するステップ、
を有することを特徴とする方法。
【請求項５７】
前記ノイズパターンは、空間ノイズパターンである
ことを特徴とする請求項５６記載の方法。
【請求項５８】
前記ノイズ抑制訂正を適用するステップは、前記バンド内撮像波形に対して訂正波形を追加するステップを有し、
前記方法はさらに、前記訂正波形を前記バンド内撮像波形と組み合わせる前において、前記訂正波形と前記バンド内撮像波形との間の相対遅延を調整するステップを有する
ことを特徴とする請求項５６記載の方法。
【請求項５９】
前記パターン認識アルゴリズムにしたがって前記バンド外ノイズ検出撮像波形を処理するステップは、
前記イメージングバンド内の１以上のサブバンドにしたがって前記バンド内撮像波形をフィルタリングすることにより、１以上のサブバンドフィルタリング後バンド内撮像波形を取得するステップ、
前記バンド外ノイズ検出撮像波形に加えて前記１以上のサブバンドフィルタリング後撮像波形を処理することにより、１以上のサブバンド内における既知のノイズ寄与分を有するノイズパターンの検出結果を確認するステップ、
を有する
ことを特徴とする請求項５６から５８いずれか１項記載の方法。
【請求項６０】
特性繰り返し周波数を有する１以上のノイズパターンの確率または重みは、特定の時間において増加する
ことを特徴とする請求項５６から５９いずれか１項記載の方法。
【請求項６１】
１以上のウインドウは異なるノイズ分類に関連しており、
各ノイズ分類は、異なるノイズ抑制訂正と関連している
ことを特徴とする請求項５６から５９いずれか１項記載の方法。
【請求項６２】
２以上の前記ノイズ分類は、異なるノイズ源と関連している
ことを特徴とする請求項６１記載の方法。
【請求項６３】
１以上の既知のノイズ源によって特徴付けられる検出システムが検出した信号に対してノイズ抑制を実施する方法であって、
撮像エネルギーを受信していないとき、
撮像トランスデューサによってエネルギー波を検出することにより、ノイズ特性識別波形を取得し、前記ノイズ特性識別波形をフィルタリングして、イメージングバンド内に存在するバンド内ノイズ特性識別波形を生成するステップ、
前記撮像トランスデューサ受信回路が受信したノイズを検出している間は撮像エネルギーを送信しないように構成された基準受信回路によってノイズを検出することにより、基準ノイズ特性識別波形を取得するステップ、
１以上の時間ウインドウにしたがって、前記バンド内ノイズ特性識別波形と前記基準ノイズ特性識別波形をセグメント化するステップ、
少なくとも１つの時間ウインドウについて、前記バンド内ノイズ特性識別波形と前記基準ノイズ特性識別波形を処理して、前記イメージングバンド内のノイズと前記基準受信回路が検出したノイズとの間の関係を決定するステップ、
パターン認識アルゴリズムにしたがって前記バンド内ノイズ特性識別波形と前記基準ノイズ特性識別波形を処理して、前記バンド内ノイズ特性識別波形内のノイズと相関する前記基準ノイズ特性識別波形内のノイズパターンの存在を識別するステップ、
前記撮像トランスデューサ受信回路によって撮像信号を検出して、撮像波形を取得するとともに、前記基準受信回路によって基準ノイズ検出波形を検出し、前記撮像波形をフィルタリングして、前記イメージングバンド内に存在するバンド内撮像波形を取得するステップ、
１以上の時間ウインドウにしたがって、前記バンド内撮像波形と前記基準ノイズ検出波形をセグメント化するステップ、
少なくとも１つの時間ウインドウについて、前記パターン認識アルゴリズムにしたがって前記基準ノイズ検出波形を処理して、前記ノイズパターンの存在を検出するステップ、
前記ノイズパターンを検出したとき、前記基準ノイズ検出波形内で検出した前記ノイズパターン固有の前記バンド内撮像波形の前記時間ウインドウに対してノイズ抑制訂正を適用するステップ、
を有することを特徴とする方法。
【請求項６４】
前記ノイズパターンは、空間ノイズパターンである
ことを特徴とする請求項６３記載の方法。
【請求項６５】
前記ノイズ抑制訂正を適用するステップは、前記バンド内撮像波形に対して訂正波形を追加するステップを有し、
前記方法はさらに、前記訂正波形と前記バンド内撮像波形を組み合わせる前に、前記訂正波形と前記バンド内撮像波形との間の相対遅延を調整するステップを有する
ことを特徴とする請求項６３記載の方法。
【請求項６６】
前記パターン認識アルゴリズムにしたがって前記基準ノイズ検出波形を処理するステップは、
前記イメージングバンド内の１以上のサブバンドにしたがって前記バンド内撮像波形をフィルタリングすることにより、１以上のサブバンドフィルタリング後バンド内撮像波形を取得するステップ、
前記基準ノイズ検出撮像波形に加えて前記１以上のサブバンドフィルタリング後撮像波形を処理することにより、１以上のサブバンド内における既知のノイズ寄与分を有するノイズパターンの検出結果を確認するステップ、
を有する
ことを特徴とする請求項６３から６５いずれか１項記載の方法。
【請求項６７】
特性繰り返し周波数を有する１以上のノイズパターンの確率または重みは、特定の時間において増加する
ことを特徴とする請求項６３から６６いずれか１項記載の方法。
【請求項６８】
前記パターン認識アルゴリズムにしたがって前記基準ノイズ検出波形を処理するステップは、ウインドウごとに実施され、
１以上のウインドウは異なるノイズ分類に関連しており、
各ノイズ分類は、異なるノイズ抑制訂正と関連している
ことを特徴とする請求項６３から６６いずれか１項記載の方法。
【請求項６９】
２以上の前記ノイズ分類は、異なるノイズ源と関連している
ことを特徴とする請求項６８記載の方法。
【請求項７０】
ノイズが存在するとき検出した撮像信号からノイズを除去する方法であって、
撮像エネルギーを受信していないとき、撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形と、少なくとも一部が前記イメージングバンド外にあるノイズ検出バンド内に存在するバンド外ノイズ特性識別波形を生成するステップ、
前記撮像トランスデューサ受信回路によって撮像信号を検出することにより、撮像波形を取得し、前記撮像波形をフィルタリングして、前記イメージングバンド内に存在するバンド内撮像波形と前記ノイズ検出バンド内に存在するバンド外ノイズ検出撮像波形を生成するステップ、
前記バンド外撮像波形と前記バンド外ノイズ特性識別波形との間の相互相関を実施して、最大相互相関に対応する時間遅延を決定するステップ、
前記バンド内ノイズ特性識別波形に対して前記時間遅延と振幅調整を適用することにより、修正後バンド内ノイズ特性識別波形を取得し、前記修正後バンド内ノイズ特性識別波形を前記バンド内撮像波形から減算するステップ、
を有することを特徴とする方法。
【請求項７１】
前記相互相関と前記修正後バンド内ノイズ特性識別波形の前記減算は、前記バンド内撮像波形と前記バンド外撮像波形を複数の時間ウインドウへ分割した後、ウインドウごとに実施される
ことを特徴とする請求項７０記載の方法。
【請求項７２】
ノイズが存在するとき検出した撮像信号からノイズを除去する方法であって、
撮像エネルギーを受信していないとき、
撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形を生成するステップ、
前記撮像トランスデューサ受信回路が受信したノイズを検出している間は撮像エネルギーを送信しないように構成された基準受信回路によってノイズを検出することにより、基準ノイズ特性識別波形を取得するステップ、
前記撮像トランスデューサ受信回路によって撮像信号を検出して、撮像波形を取得するとともに、前記基準受信回路によって基準ノイズ検出波形を検出し、前記撮像波形をフィルタリングして前記イメージングバンド内に存在するバンド内撮像波形を取得するステップ、
前記基準ノイズ検出波形と前記基準ノイズ特性識別波形との間の相互相関を実施して、最大相互相関に対応する時間遅延を決定するステップ、
前記バンド内ノイズ特性識別波形に対して前記時間遅延と振幅調整を適用することにより、修正後バンド内ノイズ特性識別波形を取得し、前記修正後バンド内ノイズ特性識別波形を前記バンド内撮像波形から減算するステップ、
を有することを特徴とする方法。
【請求項７３】
前記相互相関と前記修正後バンド内ノイズ特性識別波形の前記減算は、前記バンド内撮像波形と前記基準ノイズ検出波形を複数の時間ウインドウへ分割した後、ウインドウごとに実施される
ことを特徴とする請求項７２記載の方法。
【請求項７４】
前記基準ノイズ特性識別波形と前記基準ノイズ検出波形は、前記イメージングバンド内に存在するようにフィルタリングされる
ことを特徴とする請求項７２記載の方法。
【請求項７５】
ノイズが存在するとき検出した撮像信号からノイズを除去する方法であって、
複数の隣接スキャンラインに沿って撮像トランスデューサ受信回路によって撮像信号を検出することにより、複数の撮像波形を取得するステップ、
少なくとも２つの隣接スキャンラインについて、
前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
一連の時間ウインドウにしたがって、前記バンド内撮像波形と前記バンド外ノイズ検出撮像波形をセグメント化するステップ、
少なくとも１つのウインドウについて、
前記バンド外ノイズ検出撮像波形を処理して、前記バンド内撮像波形の対応するウインドウ部分をノイズ訂正すべきか否かを決定するステップ、
前記時間ウインドウ内の前記バンド内撮像波形がノイズ訂正に適しているとみなされる場合、前記時間ウインドウ内の前記バンド内撮像波形に対してノイズ抑制訂正を適用するステップであって、前記ウインドウ内の各サンプルに対する前記ノイズ抑制訂正は、２以上の隣接ウインドウの前記バンド内撮像波形内のサンプルに関する１以上の統計的測定結果に基づいており、各隣接ウインドウは隣接するスキャンライン内に存在する、ステップ、
それぞれ複数のスキャンラインに対応するノイズ抑制したバンド内撮像波形に基づき画像を生成するステップ、
を有することを特徴とする方法。
【請求項７６】
ノイズが存在するとき検出した撮像信号からノイズを除去する方法であって、
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
複数の隣接スキャンラインに沿って前記撮像トランスデューサ受信回路によって撮像信号を検出することにより、複数の撮像波形を取得するステップ、
１以上のバンド外ノイズ検出撮像波形を処理してノイズ源の周期を判定するステップ、
スキャンレートを調整することにより、隣接スキャンラインと対応するバンド内撮像波形において前記ノイズが時間同期しないようにするステップ、
少なくとも２つの隣接スキャンラインについて、
一連の時間ウインドウにしたがって前記バンド内撮像波形をセグメント化するステップ、
少なくとも１つのウインドウについて、
前記時間ウインドウ内の前記バンド内撮像波形に対してノイズ抑制訂正を適用するステップであって、前記ウインドウ内の各サンプルに対する前記ノイズ抑制訂正は、２以上の隣接ウインドウの前記バンド内撮像波形内のサンプルに関する１以上の統計的測定結果に基づいており、各隣接ウインドウは対応する隣接スキャンライン内に存在する、ステップ、
それぞれ複数のスキャンラインに対応するノイズ抑制したバンド内撮像波形に基づき画像を生成するステップ、
を有することを特徴とする方法。
【請求項７７】
ノイズが存在するとき検出した撮像信号からノイズを除去する方法であって、
少なくとも２つの隣接スキャンラインについて、
撮像トランスデューサ受信回路によって撮像信号を検出して撮像波形を取得するとともに、基準受信回路によって基準ノイズ検出波形を検出し、前記撮像波形をフィルタリングして、イメージングバンド内に存在するバンド内撮像波形を取得するステップ、
一連の時間ウインドウにしたがって、前記バンド内撮像波形と前記基準ノイズ検出波形をセグメント化するステップ、
少なくとも１つのウインドウについて、
前記基準ノイズ検出波形を処理して、前記バンド内撮像波形の対応するウインドウ部分をノイズ訂正すべきか否かを判定するステップ、
前記時間ウインドウ内の前記バンド内撮像波形がノイズ訂正に適しているとみなされる場合、前記時間ウインドウ内の前記バンド内撮像波形に対してノイズ抑制訂正を適用するステップであって、前記ウインドウ内の各サンプルに対する前記ノイズ抑制訂正は、２以上の隣接ウインドウの前記バンド内撮像波形のサンプルに関する１以上の統計的測定結果に基づいており、各隣接ウインドウは隣接スキャンライン内に存在する、ステップ、
それぞれ複数のスキャンラインに対応するノイズ抑制したバンド内撮像波形に基づき画像を生成するステップ、
を有することを特徴とする方法。
【発明の詳細な説明】
【技術分野】
【０００１】
＜関連出願への相互参照＞
本願は、２０１７年２月２４日出願の米国仮出願６２／４６３，４３１号、発明の名称“ＳＹＳＴＥＭＳ  ＡＮＤ  ＭＥＴＨＯＤＳ  ＦＯＲ  ＮＯＩＳＥ  ＲＥＤＵＣＴＩＯＮ  ＩＮ  ＩＭＡＧＩＮＧ”の優先権を主張する。同文献の全内容は、参照により本願に組み込まれる。
【０００２】
本開示は、画像処理技術およびノイズを除去する画像データ処理に関するものである。
【背景技術】
【０００３】
超音波とＭＲＩイメージングによる医療イメージングは、無線周波数スペクトルにおける低振幅信号を検出することに依拠している。これは通常、２ＭＨｚから２００ＭＨｚの範囲にわたる。画像品質は信号対ノイズ比によって多大な影響を受ける。
【０００４】
血管内超音波（ＩＶＵＳ）、心腔内エコー法（ＩＣＥ）、その他の形態の最小侵襲において、超音波トランスデューサは周辺構造から超音波信号を検出し、その音響エネルギーを電気信号へ変換する。この信号は、１以上の導電チャネル（例えば同軸導体、ツイストペア導体、フレックス回路など）に沿って伝搬する。多くの理由により（コスト、製造性、安全性、生体適合性、熱問題、電力供給要件を含む）、体内挿入可能な最小侵襲撮像プローブは、信号強度を高める増幅器を備えていない場合がある。最小侵襲超音波トランスデューサが検出する電気信号は非常に小さい場合があり（＜１０ｍＶ、一般には＜１ｍＶ）、超音波によって撮像可能な組織構造についての情報の大部分は、検出される電気信号のダイナミックレンジの小さい側にあることが多い。受信超音波信号の信号振幅は、トランスデューサの機械的効率、検出音響信号の小さい振幅、トランスデューサの小さいサイズ、またはトランスデューサから身体へ電気信号を搬送する導体に沿った減衰、のうちいずれかまたは全てによって制限される。この観点から、最小侵襲超音波撮像システムの信号は非常に弱い傾向にある。
【０００５】
多くのソースからシステムに対してノイズがもたらされる可能性がある。これは、無線送信器、電力電子部品、送信ライン、スイッチングトランジスタ、その他当該分野において知られているものを含む。誘導や直接伝導、または電磁干渉に敏感な部品間の準最適絶縁によってノイズがもたらされる可能性がある。ノイズのなかには撮像システム自身のなかの部品によって生成されるものもあり、これは例えば、撮像システムの任意の電子部品におけるスキャンアクチュエータ、モータ制御器のパルス幅変調器、スイッチングモード電力部品、クロック回路、トランジスタなどである。さらに、被検者に接続されまたは治療環境におけるその他システム（例えばインピーダンスモニタ、トラッキングシステム（例えばＣａｒｔｏ（登録商標）３、Ｃａｒｔｏ（登録商標）ＸＰ、ＮａｖＸ（商標）システム）、温度センサ、輸液ポンプ、アブレーションシステム、ＥＣＧ、血行動態モニタ）は、ノイズをもたらす可能性がある。医療分野において用いられるＲＦＩＤインベントリ制御システムも、ノイズをもたらす可能性がある。
【０００６】
超音波撮像システムの超音波受信回路に入り込むノイズ量を減少させるアプローチがある。これは例えば、最小ＲＦノイズを生成するシステム内の部品選択、電気的絶縁、シールド、適切な接地、ノイズ生成部品を電磁ノイズに影響される部品から物理的に分離する、などである。これらアプローチは実装が難しい場合がある。ノイズ源はその他理由により望ましい特性を有している場合があり（例えばパルス幅変調モータ制御器はエネルギー効率がよく応答時間がよい）、あるいは互いに物理的に隔離するのが難しい（例えば撮像プローブまたはその関連回路の近傍に電力電子部品を配置することが望ましい）からである。
【０００７】
超音波信号品質（超音波画像品質）に対するノイズの影響を減少させるその他アプローチとしては、フィルタリングと画像処理が挙げられる。超音波信号は既知の帯域幅を有し、検出超音波信号はアナログまたはデジタルフィルタリング技術を用いてフィルタリングされる（２つを組み合わせる場合もある）。アナログまたはデジタルフィルタリングを適用して、超音波受信回路からの電気信号出力の一部を、超音波トランスデューサの動作帯域幅内の周波数成分（またはその高調波成分）に制限することができる。狭帯域かつ鋭いカットオフを有するフィルタを選択することにより、画像生成または超音波信号利用のために用いる信号に対して許容されるノイズ量を減少させることができる（例えば超音波信号のドップラー測定スペクトル分析、または超音波処理場における散乱フローの評価）。ノッチフィルタまたはコムフィルタは、撮像範囲周波数内の狭帯域ノイズを除去するのに有用である。過剰なフィルタリングは、画像生成または超音波信号のその他利用において許容される信号パワー量を減少させるという、不要な効果を生じさせる場合がある。また解像度などのように超音波撮像システムのその他の性能面に対して悪影響を及ぼす可能性がある。ただし、フィルタの通過帯域が大き過ぎると、システムが受け取るノイズが大きくなる。
【０００８】
画像処理は、生成した画像データをフィルタリングすることにより、ノイズをさらに減少させることができる。例えば平均化や外れ値除去による。例えばガウシアンフィルタをピクセルおよびその隣接ピクセルに対して適用して画像内のぼけやランダムノイズを平滑化することにより、空間ドメインにおいて画像内でフィルタリングを適用することができる。しかしこれは画像の空間解像度を損ねる傾向がある。同様に、撮像機器のフレーム繰り返し周波数に対して高速移動しない撮像構造に対して、空間ドメインフィルタリングを適用することができる。例えば画像フレーム内のピクセルは、平均化またはガウシアンフィルタの結果として得られる、先行および／または後続フレームの同様の位置におけるピクセルである。
【０００９】
同様の問題はＭＲＩ撮像システムにも存在し、無線周波数エネルギーソースの不要なソースからのノイズが存在するとき、弱信号が検出される。
【００１０】
有用なのは、ノイズを識別してそのノイズを１以上のイメージング信号から動的除去する方法、システム、およびデバイスである。
【００１１】
多くのノイズは超音波受信信号に入り込み、システムにいったん入り込むと除去困難となる可能性がある。これは特に、ノイズが性質上広帯域の場合であり、このときノイズの一部は超音波システムの通過帯域内にある。例えば中心周波数１０ＭＨｚ、通過帯域７．５〜１２．５ＭＨｚのトランスデューサを有する撮像システムにおいて、システムは７．５ＭＨｚ未満と１２．５ＭＨｚ超のノイズ部分をフィルタリングするように設計されている。しかし７．５〜１２．５ＭＨｚ帯域内のノイズは、検出する超音波信号の振幅に対して相当程度の量であることが多い。
【００１２】
多くのノイズ源は高速遷移の結果として生じ、これは例えば電界効果トランジスタやスイッチがＯＮ／ＯＦＦするときである。高速遷移する電気信号は、非常に広い周波数ドメインを有し、これは超音波受信信号チェーンの通過帯域の全部または一部を容易にカバーすることができる。これは特に、ノイズが検出信号に対して十分強い振幅を有する電力回路やパルス幅変調回路において当てはまる。
【発明の概要】
【課題を解決するための手段】
【００１３】
広帯域ノイズを減少させる１アプローチは、イメージングエネルギーが主に選択可能イメージングバンド内にあり、広帯域ノイズはそのイメージングバンド内とイメージングバンド外の双方において検出できることを利用する。原理的に、任意時点においてイメージングバンド外のノイズを検出または特性識別することにより、イメージングバンド内に存在する可能性がある広帯域ノイズを推定し、検出信号を変更して、推定したバンド内ノイズを減少させることができる。バンド外ノイズに基づきバンド内ノイズを効果的に推定することにより、推定したバンド内ノイズが存在しない所望のイメージングエネルギーを推定する信号を生成できる。
【００１４】
イメージングバンド内のノイズを減少させる別アプローチは、イメージングバンド内のノイズを検出できるがイメージングエネルギーから隔離された基準受信回路（抵抗器、キャパシタ、インダクタ、送信ライン、増幅器、変換器、不活性トランスデューサまたはトランスデューサ受信回路をエミュレートできる部品を備える）を用いることである。基準受信回路が受信したバンド内ノイズに基づきバンド内イメージングノイズを推定することにより、推定したバンド内ノイズが存在しない所望イメージングエネルギーを推定する信号を生成できる。
【００１５】
１側面において、広帯域ノイズが存在するとき検出した撮像信号からノイズを除去する方法を提供する。前記方法は：
撮像エネルギーを受信していないとき、撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形と、少なくとも一部が前記イメージングバンド外のノイズ検出バンド内に存在するバンド外ノイズ特性識別波形とを生成するステップ、
１以上の時間ウインドウにしたがって、前記バンド内ノイズ特性識別波形と前記バンド外ノイズ特性識別波形をセグメント化するステップ、
少なくとも１つの時間ウインドウについて、前記バンド内ノイズ特性識別波形と前記バンド外ノイズ特性識別波形を処理して、前記イメージングバンド内のノイズと前記ノイズ検出バンド内のノイズとの間の関係を判定するステップ、
前記撮像トランスデューサ受信回路によって撮像信号を検出することにより、１以上の撮像波形を取得するステップ、
少なくとも１つの撮像波形について、
ａ）前記撮像波形をフィルタリングして、前記イメージングバンド内に存在するバンド内撮像波形と前記ノイズ検出バンド内に存在するバンド外ノイズ検出撮像波形を生成するステップ、
ｂ）１状の時間ウインドウにしたがって、前記バンド内撮像波形と前記バンド外ノイズ検出撮像波形をセグメント化するステップ、
ｃ）前記関係と前記バンド外ノイズ検出撮像波形を用いて、少なくとも１つの時間ウインドウ内において、前記バンド内撮像波形のノイズ量に関する測定結果を推定するステップ、
ｄ）前記ステップｃ）における少なくとも１つの時間ウインドウについて、前記時間ウインドウ内の前記バンド内撮像波形の一部に対してノイズ抑制訂正を適用するステップ、
を有する。
【００１６】
１側面において、ノイズが存在するとき検出した撮像信号のノイズを除去する方法を提供する。前記方法は：
撮像エネルギーを受信していないとき、
撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形を生成するステップ、
前記撮像トランスデューサ受信回路がノイズ検出している間は撮像エネルギーを送信しないように構成された基準受信回路によってノイズを検出することにより、基準ノイズ特性識別波形を取得するステップ、
前記バンド内ノイズ特性識別波形と前記基準ノイズ特性識別波形を処理して、前記イメージングバンド内のノイズと前記基準受信回路が検出したノイズとの間の関係を決定するステップ、
前記撮像トランスデューサ受信回路によって撮像信号を検出することにより、１以上の撮像波形を取得するステップ、
少なくとも１つの撮像波形について、
ａ）前記撮像波形をフィルタリングして、前記イメージングバンド内に存在するバンド内撮像波形を生成するステップ、
ｂ）前記基準受信回路によって基準ノイズ検出波形を検出するステップ、
ｃ）１以上の時間ウインドウにしたがって、前記バンド内撮像波形と前記基準ノイズ検出波形をセグメント化するステップ、
ｄ）前記関係と前記基準ノイズ検出波形を用いて、少なくとも１つの時間ウインドウ内において、前記バンド内撮像波形のノイズ量に関する測定結果を推定するステップ、
ｅ）前記ステップｃ）における少なくとも１つの時間ウインドウについて、前記時間ウインドウ内の前記バンド内撮像波形の一部に対してノイズ抑制訂正を適用するステップ、
を有する。
【００１７】
１側面において、広帯域ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド内撮像波形のバンド内撮像包絡線を検出するステップ、
前記バンド外ノイズ検出撮像波形のバンド外包絡線を検出するステップ、
前記バンド外包絡線に対してスケーリング係数を適用することにより、修正後バンド外包絡線を取得するステップ、
前記修正後バンド外包絡線と前記バンド内撮像包絡線を組み合わせて、ノイズ訂正後バンド内包絡線を取得するステップ、
を有し、
前記スケーリング係数は、前記ノイズ訂正後バンド内包絡線のバンド内ノイズの寄与分を減少させるように選択されている。
【００１８】
１側面において、ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド外ノイズ検出撮像波形に対して振幅スケーリング係数と周波数シフトを適用することにより、修正後波形を取得し、これにより前記修正後波形が前記イメージングバンド内に存在する周波数成分を含むようにするステップ、
前記修正後波形と前記バンド内撮像波形を組み合わせて、ノイズ訂正後バンド内撮像波形を取得するステップ、
を有し、
前記振幅スケーリング係数は、前記ノイズ訂正後バンド内撮像波形のバンド内ノイズの寄与分を減少させるように選択されている。
【００１９】
１側面において、ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形を生成するステップ、
前記撮像トランスデューサ受信回路が受信したノイズを検出している間は撮像エネルギーを送信しないように構成された基準受信回路によってノイズを検出することにより、基準ノイズ検出波形を取得するステップ、
前記バンド内撮像波形のバンド内撮像包絡線を検出するステップ、
前記基準ノイズ検出波形の基準包絡線を検出するステップ、
前記基準包絡線に対してスケーリング係数を適用することにより、修正後基準包絡線を取得するステップ、
前記修正後基準包絡線と前記バンド内撮像包絡線を組み合わせて、ノイズ訂正後バンド内包絡線を取得するステップ、
を有し、
前記スケーリング係数は、前記ノイズ訂正後バンド内包絡線のバンド内ノイズの寄与分を減少させるように選択されている。
【００２０】
１側面において、ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形を生成するステップ、
前記撮像トランスデューサ受信回路が受信したノイズを検出している間は撮像エネルギーを送信しないように構成された基準受信回路によってノイズを検出することにより、基準ノイズ検出波形を取得するステップ、
１以上の適応フィルタパラメータにしたがって前記基準ノイズ検出波形を適応フィルタリングするステップ、
前記フィルタリングした基準ノイズ検出波形と前記バンド内撮像波形を組み合わせて、ノイズ訂正後バンド内撮像波形を取得するステップ、
を有し、
前記適応フィルタパラメータは、前記ノイズ訂正後バンド内撮像波形を処理して前記ノイズ訂正後バンド内撮像波形のパワーを最小化することにより動的に決定される。
【００２１】
１側面において、広帯域ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド内撮像波形のバンド内撮像包絡線を検出するステップ、
前記バンド外ノイズ検出撮像波形のバンド外撮像包絡線を検出するステップ、
１以上の適応フィルタパラメータにしたがって前記バンド外撮像包絡線を適応フィルタリングするステップ、
前記フィルタリングしたバンド外撮像包絡線と前記バンド内撮像包絡線を組み合わせて、ノイズ訂正後バンド内撮像包絡線を取得するステップ、
を有し、
前記適応フィルタパラメータは、前記ノイズ訂正後バンド内撮像包絡線を処理して前記ノイズ訂正後バンド内撮像包絡線のパワーを最小化することにより動的に決定される。
【００２２】
１側面において、広帯域ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド外ノイズ検出撮像波形に対して周波数シフトを適用することにより、修正後波形を取得し、これにより前記修正後波形が前記イメージングバンド内に存在する周波数成分を含むようにするステップ、
１以上の適応フィルタパラメータにしたがって前記バンド外ノイズ検出撮像波形を適応フィルタリングするステップ、
前記フィルタリングした修正後波形と前記バンド内撮像波形を組み合わせて、ノイズ訂正後バンド内撮像波形を取得するステップ、
を有し、
前記適応フィルタパラメータは、前記ノイズ訂正後バンド内撮像波形を処理して前記ノイズ訂正後バンド内撮像波形のパワーを最小化することにより動的に決定される。
【００２３】
１側面において、広帯域ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
前記バンド外ノイズ検出撮像波形を処理することにより、前記バンド内撮像波形をフィルタリングしてバンド内ノイズを除去する動的デジタルフィルタの適切なフィルタパラメータを選択するステップ、
前記フィルタパラメータにしたがって前記動的デジタルフィルタによって前記バンド内撮像波形をフィルタリングするステップ、
を有する。
【００２４】
１側面において、１以上のノイズ源によって特徴付けられる検出システムによって取得した信号に対してノイズ抑制を実施する方法を提供する。前記方法は：
撮像エネルギーを受信していないとき、撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形と、少なくとも一部が前記イメージングバンド外にあるノイズ検出バンド内に存在するバンド外ノイズ特性識別波形を生成するステップ、
１以上の時間ウインドウにしたがって、前記バンド内ノイズ特性識別波形と前記バンド外ノイズ特性識別波形をセグメント化するステップ、
少なくとも１つの時間ウインドウについて、パターン認識アルゴリズムにしたがって前記バンド内ノイズ特性識別波形と前記バンド外ノイズ特性識別波形を処理して、前記ノイズ検出バンド内における前記イメージングバンド内のノイズと相関するノイズパターンを識別するステップ、
前記撮像トランスデューサ受信回路によって撮像信号を検出することにより、撮像波形を取得し、前記撮像波形をフィルタリングして、前記イメージングバンド内に存在するバンド内撮像波形と前記ノイズ検出バンド内に存在するバンド外ノイズ検出撮像波形を取得するステップ、
１以上の時間ウインドウにしたがって、前記バンド内撮像波形と前記バンド外撮像波形をセグメント化するステップ、
前記パターン認識アルゴリズムにしたがって、少なくとも１つの時間ウインドウについて、前記バンド外ノイズ検出撮像波形を処理して、前記ノイズパターンを検出するステップ、
前記ノイズパターンを検出した場合、前記バンド外ノイズ検出撮像波形において検出した前記ノイズパターン固有の前記バンド内撮像波形の前記時間ウインドウに対してノイズ抑制訂正を適用するステップ、
を有する。
【００２５】
１側面において、１以上の既知のノイズ源によって特徴付けられる検出システムが検出した信号に対してノイズ抑制を実施する方法を提供する。前記方法は：
撮像エネルギーを受信していないとき、
撮像トランスデューサによってエネルギー波を検出することにより、ノイズ特性識別波形を取得し、前記ノイズ特性識別波形をフィルタリングして、イメージングバンド内に存在するバンド内ノイズ特性識別波形を生成するステップ、
前記撮像トランスデューサ受信回路が受信したノイズを検出している間は撮像エネルギーを送信しないように構成された基準受信回路によってノイズを検出することにより、基準ノイズ特性識別波形を取得するステップ、
１以上の時間ウインドウにしたがって、前記バンド内ノイズ特性識別波形と前記基準ノイズ特性識別波形をセグメント化するステップ、
少なくとも１つの時間ウインドウについて、前記バンド内ノイズ特性識別波形と前記基準ノイズ特性識別波形を処理して、前記イメージングバンド内のノイズと前記基準受信回路が検出したノイズとの間の関係を決定するステップ、
パターン認識アルゴリズムにしたがって前記バンド内ノイズ特性識別波形と前記基準ノイズ特性識別波形を処理して、前記バンド内ノイズ特性識別波形内のノイズと相関する前記基準ノイズ特性識別波形内のノイズパターンの存在を識別するステップ、
前記撮像トランスデューサ受信回路によって撮像信号を検出して、撮像波形を取得するとともに、前記基準受信回路によって基準ノイズ検出波形を検出し、前記撮像波形をフィルタリングして、前記イメージングバンド内に存在するバンド内撮像波形を取得するステップ、
１以上の時間ウインドウにしたがって、前記バンド内撮像波形と前記基準ノイズ検出波形をセグメント化するステップ、
少なくとも１つの時間ウインドウについて、前記パターン認識アルゴリズムにしたがって前記基準ノイズ検出波形を処理して、前記ノイズパターンの存在を検出するステップ、
前記ノイズパターンを検出したとき、前記基準ノイズ検出波形内で検出した前記ノイズパターン固有の前記バンド内撮像波形の前記時間ウインドウに対してノイズ抑制訂正を適用するステップ、
を有する。
【００２６】
１側面において、ノイズが存在するとき検出した撮像信号からノイズを除去する方法を提供する。前記方法は：
撮像エネルギーを受信していないとき、撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形と、少なくとも一部が前記イメージングバンド外にあるノイズ検出バンド内に存在するバンド外ノイズ特性識別波形を生成するステップ、
前記撮像トランスデューサ受信回路によって撮像信号を検出することにより、撮像波形を取得し、前記撮像波形をフィルタリングして、前記イメージングバンド内に存在するバンド内撮像波形と前記ノイズ検出バンド内に存在するバンド外ノイズ検出撮像波形を生成するステップ、
前記バンド外撮像波形と前記バンド外ノイズ特性識別波形との間の相互相関を実施して、最大相互相関に対応する時間遅延を決定するステップ、
前記バンド内ノイズ特性識別波形に対して前記時間遅延と振幅調整を適用することにより、修正後バンド内ノイズ特性識別波形を取得し、前記修正後バンド内ノイズ特性識別波形を前記バンド内撮像波形から減算するステップ、
を有する。
【００２７】
１側面において、ノイズが存在するとき検出した撮像信号からノイズを除去する方法を提供する。前記方法は：
撮像エネルギーを受信していないとき、
撮像トランスデューサ受信回路によってエネルギー波を検出することにより、ノイズ特性識別波形を取得し、前記ノイズ特性識別波形をフィルタリングして、イメージングバンド内に存在するバンド内ノイズ特性識別波形を生成するステップ、
前記撮像トランスデューサ受信回路が受信したノイズを検出している間は撮像エネルギーを送信しないように構成された基準受信回路によってノイズを検出することにより、基準ノイズ特性識別波形を取得するステップ、
前記撮像トランスデューサ受信回路によって撮像信号を検出して、撮像波形を取得するとともに、前記基準受信回路によって基準ノイズ検出波形を検出し、前記撮像波形をフィルタリングして前記イメージングバンド内に存在するバンド内撮像波形を取得するステップ、
前記基準ノイズ検出波形と前記基準ノイズ特性識別波形との間の相互相関を実施して、最大相互相関に対応する時間遅延を決定するステップ、
前記バンド内ノイズ特性識別波形に対して前記時間遅延と振幅調整を適用することにより、修正後バンド内ノイズ特性識別波形を取得し、前記修正後バンド内ノイズ特性識別波形を前記バンド内撮像波形から減算するステップ、
を有する。
【００２８】
１側面において、ノイズが存在するとき検出した撮像信号からノイズを除去する方法を提供する。前記方法は：
複数の隣接スキャンラインに沿って撮像トランスデューサ受信回路によって撮像信号を検出することにより、複数の撮像波形を取得するステップ、
少なくとも２つの隣接スキャンラインについて、
前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
一連の時間ウインドウにしたがって、前記バンド内撮像波形と前記バンド外ノイズ検出撮像波形をセグメント化するステップ、
少なくとも１つのウインドウについて、
前記バンド外ノイズ検出撮像波形を処理して、前記バンド内撮像波形の対応するウインドウ部分をノイズ訂正すべきか否かを決定するステップ、
前記時間ウインドウ内の前記バンド内撮像波形がノイズ訂正に適しているとみなされる場合、前記時間ウインドウ内の前記バンド内撮像波形に対してノイズ抑制訂正を適用するステップであって、前記ウインドウ内の各サンプルに対する前記ノイズ抑制訂正は、２以上の隣接ウインドウの前記バンド内撮像波形内のサンプルに関する１以上の統計的測定結果に基づいており、各隣接ウインドウは隣接するスキャンライン内に存在する、ステップ、
それぞれ複数のスキャンラインに対応するノイズ抑制したバンド内撮像波形に基づき画像を生成するステップ、
を有する。
【００２９】
１側面において、ノイズが存在するとき検出した撮像信号からノイズを除去する方法を提供する。前記方法は：
撮像トランスデューサ受信回路によってエネルギー波を検出することにより、撮像波形を取得し、前記撮像波形をフィルタリングして、イメージングバンド内に存在するバンド内撮像波形と、少なくとも一部が前記イメージングバンド外にあるノイズ検出バンド内に存在するバンド外ノイズ検出撮像波形を生成するステップ、
複数の隣接スキャンラインに沿って前記撮像トランスデューサ受信回路によって撮像信号を検出することにより、複数の撮像波形を取得するステップ、
１以上のバンド外ノイズ検出撮像波形を処理してノイズ源の周期を判定するステップ、
スキャンレートを調整することにより、隣接スキャンラインと対応するバンド内撮像波形において前記ノイズが時間同期しないようにするステップ、
少なくとも２つの隣接スキャンラインについて、
一連の時間ウインドウにしたがって前記バンド内撮像波形をセグメント化するステップ、
少なくとも１つのウインドウについて、
前記時間ウインドウ内の前記バンド内撮像波形に対してノイズ抑制訂正を適用するステップであって、前記ウインドウ内の各サンプルに対する前記ノイズ抑制訂正は、２以上の隣接ウインドウの前記バンド内撮像波形内のサンプルに関する１以上の統計的測定結果に基づいており、各隣接ウインドウは対応する隣接スキャンライン内に存在する、ステップ、
それぞれ複数のスキャンラインに対応するノイズ抑制したバンド内撮像波形に基づき画像を生成するステップ、
を有する。
【００３０】
１側面において、ノイズが存在するとき検出した撮像信号からノイズを除去する方法を提供する。前記方法は：
少なくとも２つの隣接スキャンラインについて、
撮像トランスデューサ受信回路によって撮像信号を検出して撮像波形を取得するとともに、基準受信回路によって基準ノイズ検出波形を検出し、前記撮像波形をフィルタリングして、イメージングバンド内に存在するバンド内撮像波形を取得するステップ、
一連の時間ウインドウにしたがって、前記バンド内撮像波形と前記基準ノイズ検出波形をセグメント化するステップ、
少なくとも１つのウインドウについて、
前記基準ノイズ検出波形を処理して、前記バンド内撮像波形の対応するウインドウ部分をノイズ訂正すべきか否かを判定するステップ、
前記時間ウインドウ内の前記バンド内撮像波形がノイズ訂正に適しているとみなされる場合、前記時間ウインドウ内の前記バンド内撮像波形に対してノイズ抑制訂正を適用するステップであって、前記ウインドウ内の各サンプルに対する前記ノイズ抑制訂正は、２以上の隣接ウインドウの前記バンド内撮像波形のサンプルに関する１以上の統計的測定結果に基づいており、各隣接ウインドウは隣接スキャンライン内に存在する、ステップ、
それぞれ複数のスキャンラインに対応するノイズ抑制したバンド内撮像波形に基づき画像を生成するステップ、
を有する。
【００３１】
本開示のさらなる理解と機能的および有用な側面は、以下の詳細説明と図面を参照することによってなされる。
【００３２】
図面を参照して、例示目的のみで、実施形態を説明する。
【図面の簡単な説明】
【００３３】
【図１Ａ】ノイズ抑制のために構成した超音波撮像システムの例を示す。
【図１Ｂ】超音波画像へ変換する前に超音波信号を処理する従来の超音波受信信号チェーンの例を示す。
【図１Ｃ】体内撮像プローブを有する超音波撮像システムの例を示す。
【図１Ｄ】バンド内ノイズを検出する基準トランスデューサを有する超音波撮像システムの例を示す。
【図１Ｅ】第１撮像トランスデューサのイメージングバンド外のイメージングバンドを有する第２撮像トランスデューサを備える超音波撮像システムの例を示す。第２撮像トランスデューサは例えば、第１撮像トランスデューサから受信する信号に影響するバンド内ノイズを検出するのに適した回路の一部である。
【図１Ｆ】バンド内ノイズを検出する基準受信回路を備える超音波撮像システムの例を示す。基準受信回路は、撮像プローブ内の位置まで延伸している。
【図１Ｇ】バンド内ノイズを検出する基準受信回路を備える超音波撮像システムの例を示す。基準受信回路は、システムの撮像プローブ外における１以上の位置に配置されている。
【図２Ａ】推定したバンド内ノイズの抑制によって入力波形の包絡線上のノイズを減少させるシステム構成例を示す。バンド内ノイズは、バンド外波形の包絡線検出を実施し、減算前に遅延・スケール・形状調整を実施することによって推定される。
【図２Ｂ】推定したバンド内ノイズの抑制によって入力波形上のノイズを減少させるシステム構成例を示す。バンド内ノイズは、バンド外波形を周波数シフトし、周波数シフトしたバンド外ノイズをフィルタリングし、減算前に遅延・スケール・形状調整を実施することによって推定される。
【図２Ｃ】ノイズを減少させるシステム構成例を示す。システムは、撮像トランスデューサ受信回路が検出できるバンド内ノイズのうち一部または全部を検出し、撮像トランスデューサ受信回路が検出するイメージング信号から少なくとも部分的に隔離された、基準受信回路を備える。基準受信回路が検出したノイズ信号を、撮像トランスデューサ受信回路が受信した信号から減算することにより、出力信号内のノイズを減少させることができる。
【図３Ａ】動的ノイズキャンセルによってノイズを減少させるシステム構成例を示す。動的ノイズキャンセルのキャンセル波形は、基準受信回路から取得される。
【図３Ｂ】動的ノイズキャンセルによって入力波形上のノイズを減少させるシステム構成例を示す。動的ノイズキャンセルのキャンセル波形は、バンド外波形の包絡線検出によって取得される。
【図３Ｃ】動的ノイズキャンセルによって入力波形上のノイズを減少させるシステム構成例を示す。動的ノイズキャンセルのキャンセル波形は、バンド外波形を周波数シフトし、その周波数シフトしたバンド外波形をフィルタリングすることによって取得される。
【図４】動的ノイズキャンセルによって入力波形上のノイズを減少させるシステム構成例を示す。フィルタリングは、ノイズ検出波形の１以上の特性に基づきフィルタの１以上のパラメータを決定するフィルタ更新アルゴリズムによって取得したフィードバックパラメータに基づき制御される。
【図５Ａ】イメージング信号が存在しない第１測定ステージにおいて取得したノイズパラメータに基づき、イメージング信号が収集される第２測定ステージにおいてそのノイズパラメータを利用する１以上のノイズ除去アルゴリズムを適用することにより、入力波形上のノイズを減少させるシステム構成例の概略を示す。
【図５Ｂ】基準受信チャネルを用いてバンド内ノイズを検出する別システム例の概略を示す。
【図６Ａ】バンド外波形のノイズ検出に基づき入力波形上のノイズを減少させるシステム構成例を示す。バンド外波形の各ウインドウを処理することに基づきバンド内波形の異なる時間ウインドウが抑制され、バンド外波形のウインドウ内のパワー量に依拠する減算値を減算することにより、バンド内波形のノイズウインドウが訂正される。
【図６Ｂ】散乱プロット例を示す。バンド内波形のウインドウの信号パワーと、ノイズ特性識別ステージにおけるバンド外波形の各ウインドウの信号パワーとを示している。
【図６Ｃ】バンド外波形のノイズ検出に基づき入力波形上のノイズを減少させるシステム構成例を示す。バンド外波形の各ウインドウを処理することに基づきバンド内波形の異なる時間ウインドウが抑制され、バンド外波形のウインドウ内のパワー量に依拠する減算値を減算することにより、バンド内波形のノイズウインドウが訂正される。
【図６Ｄ】バンド外波形のノイズ検出に基づき入力波形上のノイズを減少させるシステム構成例を示す。バンド外波形の各ウインドウを処理することに基づきバンド内波形の異なる時間ウインドウが抑制され、バンド外波形のウインドウ内のパワー量に依拠する減衰係数を乗算することにより、バンド内波形のノイズウインドウが訂正される。
【図６Ｅ】バンド内波形の異なる時間ウインドウがまず主要信号またはノイズとして識別され、次に信号ウインドウ周辺のノイズウインドウがエラー可能性ありとして識別および再分類され、ノイズウインドウ周辺の信号ウインドウがエラーとして識別および再分類される、方法に関するチャートを示す。
【図６Ｆ】バンド内波形の異なる時間ウインドウがまず主要信号またはノイズとして識別され、次に信号ウインドウ周辺のノイズウインドウがエラー可能性ありとして識別および再分類され、ノイズウインドウ周辺の信号ウインドウがエラーとして識別および再分類される、方法に関するチャートを示す。
【図６Ｇ】基準受信チャネルによって測定したフィルタ後基準波形内のノイズ検出に基づき入力波形上のノイズを減少させるシステム構成例を示す。基準波形の各ウインドウを処理することに基づきバンド内波形の異なる時間ウインドウが抑制され、フィルタ後基準波形のウインドウ内のパワー量に依拠する減算値を減算することにより、バンド内波形のノイズウインドウが訂正される。
【図６Ｈ】基準受信チャネルによって測定したフィルタ後基準波形内のノイズ検出に基づき入力波形上のノイズを減少させるシステム構成例を示す。基準波形の各ウインドウを処理することに基づきバンド内波形の異なる時間ウインドウが抑制され、フィルタ後基準波形のウインドウ内のパワー量に依拠する減算値を減算することにより、バンド内波形のノイズウインドウが訂正される。
【図６Ｉ】基準受信チャネルによって測定したフィルタ後基準波形内のノイズ検出に基づき入力波形上のノイズを減少させるシステム構成例を示す。フィルタ後基準波形の各ウインドウを処理することに基づきバンド内イメージング波形の異なる時間ウインドウが訂正され、フィルタ後基準波形のウインドウ内のパワー量に依拠する減衰係数により、バンド内イメージング波形のノイズウインドウが訂正される。
【図７Ａ】１以上のノイズ検出波形において検出したノイズに基づき入力波形上のノイズを減少させるシステム構成例を示す。少なくとも１つのノイズ検出波形は、イメージングバンドのバンド外の信号を有する。バンド内波形の異なる時間ウインドウは、１以上のノイズ検出波形を処理することにより識別した１以上のパターンにしたがって、ノイズ除去される。
【図７Ｂ】１以上のノイズ検出波形において検出したノイズに基づき入力波形上のノイズを減少させるシステム構成例を示す。少なくとも１つのノイズ検出波形は、イメージングバンドのバンド外の信号を有する。バンド内波形の異なる時間ウインドウは、１以上のノイズ検出波形を処理することにより識別した１以上のパターンにしたがって、ノイズ除去される。
【図７Ｃ】基準波形において検出したノイズに基づき入力波形上のノイズを減少させるシステム構成例を示す。バンド内イメージング波形の異なる時間ウインドウは、１以上の基準波形を処理することにより識別した１以上のパターンにしたがって、ノイズ除去される。
【図７Ｄ】基準波形において検出したノイズに基づき入力波形上のノイズを減少させるシステム構成例を示す。バンド内イメージング波形の異なる時間ウインドウは、１以上の基準波形を処理することにより識別した１以上のパターンにしたがって、ノイズ除去される。
【図８Ａ】バンド外波形において検出したノイズに基づき入力波形上のノイズを減少させるシステム構成例を示す。バンド内波形の異なる時間ウインドウは、減算前に時間整列した推定バンド内ノイズにしたがって、ノイズ除去される。
【図８Ｂ】バンド外波形において検出したノイズに基づき入力波形上のノイズを減少させるシステム構成例を示す。バンド内波形の異なる時間ウインドウは、減算前に時間整列した推定バンド内ノイズにしたがって、ノイズ除去される。
【図８Ｃ】フィルタ後基準波形において検出したノイズに基づき入力波形上のノイズを減少させるシステム構成例を示す。バンド内波形の異なる時間ウインドウは、減算前に時間整列した推定バンド内ノイズにしたがって、ノイズ除去される。
【図８Ｄ】フィルタ後基準波形において検出したノイズに基づき入力波形上のノイズを減少させるシステム構成例を示す。バンド内波形の異なる時間ウインドウは、減算前に時間整列した推定バンド内ノイズにしたがって、ノイズ除去される。
【図８Ｅ】バンド外波形において検出したノイズに基づき入力波形上のノイズを減少させるシステム構成例を示す。ノイズ訂正を実施する際に、隣接スキャンラインまたは複製スキャンラインからの測定結果を採用する。
【図８Ｆ】フィルタ後基準波形において検出したノイズに基づき入力波形上のノイズを減少させるシステム構成例を示す。ノイズ訂正を実施する際に、隣接スキャンラインまたは複製スキャンラインからの測定結果を採用する。
【図９】ノイズ抑制のために構成した磁気共鳴撮像システムの例を示す。
【図１０Ａ】心腔内エコーシステムを用いて取得した画像例を示す。図１０Ａはノイズ源なしで取得した画像を示す。
【図１０Ｂ】心腔内エコーシステムを用いて取得した画像例を示す。図１０Ｂは電気解剖マッピングシステムが生成したノイズが存在するとき取得した画像を示す。
【図１０Ｃ】心腔内エコーシステムを用いて取得した画像例を示す。図１０Ｃはアブレーション生成器から生成したノイズ源存在するとき取得した画像を示す。
【図１１Ａ】電気解剖マッピングシステムからのノイズが存在するとき取得した画像を示す。図１１Ａはノイズ除去していない画像を示す。
【図１１Ｂ】電気解剖マッピングシステムからのノイズが存在するとき取得した画像を示す。図１１Ｂはノイズ除去した画像を示す。
【図１１Ｃ】減衰によってノイズ除去した後、電気解剖マッピングシステムからのノイズが存在するとき取得した画像を示す。図１１Ｃにおける緩和パラメータは０．５である。
【図１１Ｄ】減衰によってノイズ除去した後、電気解剖マッピングシステムからのノイズが存在するとき取得した画像を示す。図１１Ｄにおける緩和パラメータは１である。
【図１１Ｅ】減衰によってノイズ除去した後、電気解剖マッピングシステムからのノイズが存在するとき取得した画像を示す。図１１Ｅにおける緩和パラメータは１．５である。
【図１２Ａ】アブレーション生成器からのノイズが存在するとき取得した画像を示す。図１２Ａはノイズ除去していない画像を示す。
【図１２Ｂ】アブレーション生成器からのノイズが存在するとき取得した画像を示す。図１２Ｂはノイズ除去した画像を示す。
【図１３Ａ】磁気トラッキングシステムからのノイズが存在するとき取得した画像を示す。図１３Ａはノイズ除去していない画像を示す
【図１３Ｂ】磁気トラッキングシステムからのノイズが存在するとき取得した画像を示す。図１３Ｂはノイズ除去した画像を示す
【図１４】イメージングバンド内、ノイズ検出バンド内、および基準受信回路からの波形内の波形を参照するために用いるフレーズを示す。
【発明を実施するための形態】
【００３４】
本開示の様々な実施形態と側面について、以下詳細に説明する。以下の説明と図面は本開示を説明するためのものであり、本開示の限定として解釈すべきではない。具体的な詳細部分によって本開示の実施形態を理解できるようにする。ただし場合によっては、本開示の実施形態を簡易に説明するために、既知のまたは既存の詳細部分については説明しない。
【００３５】
本明細書において、用語「備える」「備えている」は包括的オープンエンドのものであり、排他的なものではないと解釈すべきである。具体的には、本明細書と特許請求範囲において、用語「備える」「備えている」とその派生語は、特定の特徴部分、ステップ、または部品が含まれていることを意味する。これら用語は、その他の特徴部分、ステップ、部品を除外するものと解釈すべきではない。
【００３６】
本明細書において、用語「例」は「例、実施例、説明例としての役割を有する」ことを意味し、本明細書におけるその他構成よりも望ましいあるいは有利であると解釈すべきではない。
【００３７】
本明細書において、用語「約」「略」は、値範囲の上下限内に存在する変形例をカバーすることを意味する。例えば特性、パラメータ、サイズの変形例である。明示しない限り、用語「約」「略」はプラスマイナス２５％を意味する。
【００３８】
明示しない限り、具体的な範囲やグループは、その範囲やグループの各メンバを個別に指し示す簡易的方法であるとともに、包含されるサブレンジまたはサブグループについても同様であることを理解されたい。明示しない限り、本開示は各メンバおよびサブレンジやサブグループの組み合わせを含むものである。
【００３９】
本明細書において、用語「〜のオーダ」を量またはパラメータとともに用いる場合、その量またはパラメータの約１０分の１から約１０倍の範囲を意味する。
【００４０】
超音波イメージングは媒体からの受信エコーに依拠しており、オプションとして特定方向において媒体へ狭い音響パルスを送信する。本明細書において、用語「スキャンライン」は、媒体において撮像エネルギーを受信する空間方向を表すラインのことである。媒体内の複数のスキャンラインからエコーを受信することにより、２Ｄ画像が取得される。本発明者は、超音波取得および／または処理システムからの広帯域ノイズを効果的に減少させる様々な方法とシステムを考案・開発・テストした。
【００４１】
図１Ａを参照する。超音波撮像システムの例を示す。１以上の超音波トランスデューサ１０を制御して、複数のスキャンライン１２にわたって超音波撮像を実施する。トランスデューサ１０は、制御処理ハードウェア１００とのインターフェースを有し、制御処理ハードウェア１００はオプションとして、トランスデューサ１０による撮像エネルギーを生成および出射する送信器１５を制御する。制御処理ハードウェア１００は、トランスデューサ１０が検出した超音波エネルギーを受信するように構成されている。超音波エネルギーは、Ｔｘ／Ｒｘ（送信−受信）スイッチ２５を介して、１以上の増幅器２０へルーティングされる。
【００４２】
超音波トランスデューサ１０はオプションとして、複数のスキャンライン１２に対応する空間領域を撮像するように構成することができる。これは例えばトランスデューサ１０の機械的スキャンによるものであり、あるいは撮像素子アレイを用いた電子的スキャンによるものである。撮像素子アレイは例えば、位相アレイ、リングアレイ、線形アレイ、マトリクスアレイ、曲線アレイ、などだがこれに限らない。後者の場合において、送信ビーム形成器２６と受信ビーム形成器２７を用いて、複数の送信信号を生成し、複数の受信信号をビーム形成できる。
【００４３】
本明細書において、用語「受信回路」は一般に、送信ライン（例：同軸、ＰＣＢトレーシング、その他）、コネクタ、ＭＵＸ／ＤＥＭＵＸ、ＲＸ／ＴＸスイッチ２５、増幅器２０、スリップリング、変換器、その他当該分野で知られている部品のことである。
【００４４】
本明細書において、用語「トランスデューサ受信回路」は、使用時に超音波信号を受信するように構成された１以上の超音波トランスデューサ素子１０と接続された受信回路を含む。
【００４５】
本明細書において、用語「超音波受信信号チェーン」は受信回路を含むが、別の部品を含んでもよい。例えばアナログ−デジタルコンバータ（ＡＤＣ）とデジタル処理部品および／または処理論理回路である。これは例えば、信号が画像へ変換され（例えばスキャン変換を介して）その後の画像処理に供されるプロセスに入る前におけるノイズ除去処理モジュール１５０を含むが、これに限らない。
【００４６】
本明細書において、用語「チャネル」は、導電電気回路、無線チャネル、光チャネル、その他信号経路のことである。例えば図１Ａにおいて、検出撮像信号が交差する経路を示す撮像受信チャネル１３を示している。システムは、トランスデューサごとに１つまたは複数の受信チャネルを用いることができる（例えば静電トランスデューサ素子またはそのグループごとにチャネルが存在する、アレイトランスデューサの場合）。信号受信チェーンに沿ってＡＳＩＣその他デバイスを用いて、１以上の静電トランスデューサ素子からのチャネルに沿って信号を多重化することもできる。
【００４７】
「撮像モード」においてシステムは、トランスデューサ１０を制御して、オプション的に媒体に対してエネルギーを送信し、撮像周波数帯域（「イメージングバンド」と呼ぶ）内の撮像エネルギーを検出するように構成することができる。イメージングバンドは、撮像エネルギーを検出する単一の連続周波数バンドまたは２以上の周波数間隔によって構成することができる。イメージングバンド内の撮像エネルギーまたはノイズは、「バンド内」にあるものとする。
【００４８】
図１４は、様々な波形を表すために用いるグルーピングと用語を示す。
【００４９】
システムは、トランスデューサに接続された１以上のチャネルを介して、少なくとも１つの周波数バンドが少なくとも部分的にイメージングバンドを超えている１以上の別周波数バンド内のエネルギーを検出するように構成することもできる。これら１以上の別周波数バンドを「検出バンド」と呼ぶ。少なくとも部分的にイメージングバンドを超えている波形は、「バンド外」と呼ぶ。検出バンドがイメージングバンド内にある場合もある。完全にイメージングバンド内にあり、イメージングバンド全体のなかまたはイメージングバンドのサブバンド内にある周波数成分を有する波形は、「バンド内部」と呼ぶ。ノイズ検出バンドは、バンド外またはバンド内部である。撮像モードにおいてトランスデューサを用いるとき（すなわちトランスデューサが撮像エネルギーを検出するとき）、少なくとも１つの検出バンドを選択して、検出バンド内の信号対ノイズ比が実質的にイメージングバンドの信号対ノイズ比未満となるようにすることができる。例えば検出バンドは、イメージングバンドの半値全幅帯域の外にあり、あるいは用いる信号の最大強度未満の閾値に対応するその他の帯域の外にある。
【００５０】
本明細書において、「撮像波形」は、撮像トランスデューサが撮像エネルギーを受信しているときまたは受信していると想定されるとき、撮像トランスデューサ受信回路から取得した波形（アナログまたはデジタルサンプリングしたもの）のことである。
【００５１】
本明細書において、フレーズ「バンド内撮像波形」は、イメージングバンド内にある撮像波形（アナログまたはデジタルサンプリングしたもの）のことである。バンド内撮像波形は、撮像エネルギーを含み、また不要なノイズエネルギーを含むことが想定される。本開示の実施例において、ノイズなし画像を生成するために、バンド内撮像波形を処理してノイズエネルギーを除去する。
【００５２】
本明細書において、フレーズ「検出バンド撮像波形」は、撮像トランスデューサ受信回路から取得し、１以上の検出バンド内に存在する波形のことである。検出バンド撮像波形は、バンド外またはバンド内部である。例えばイメージングバンド内にノイズが存在することを確認するために、バンド内部ノイズ検出撮像波形を用いることができる。より具体的には、「バンド内部ノイズ検出撮像波形」を用いて、イメージングバンド外のノイズ成分を有するノイズ源もイメージングバンド内のノイズ成分を有することを確認できる。少なくとも一部がイメージングバンド外にある検出バンド撮像波形は、「バンド外ノイズ検出波形」と呼ぶ。
【００５３】
図１Ａを参照する。トランスデューサ１０が媒体に対してエネルギーを送信しておらず媒体からの撮像エネルギーを検出していないとき、システムは「ノイズ特性識別モード」に構成することができる。
【００５４】
本明細書において、フレーズ「ノイズ特性識別波形」は、撮像トランスデューサが撮像エネルギーを受信していないとき取得した波形のことである。
【００５５】
本明細書において、フレーズ「バンド内ノイズ特性識別波形」は、イメージングバンド内に存在し、撮像トランスデューサが撮像エネルギーを受信していないとき撮像トランスデューサ受信チャネルから取得した波形のことである。
【００５６】
本明細書において、フレーズ「検出バンドノイズ特性識別波形」は、ノイズ検出バンド内に存在し、撮像トランスデューサが撮像エネルギーを受信していないとき撮像トランスデューサ受信チャネルから取得した波形のことである。少なくとも一部がイメージングバンド外にある検出バンドノイズ特性識別波形は、「バンド外ノイズ特性識別波形」と呼ぶ。全体がイメージングバンド内にある検出バンドノイズ特性識別波形は、「バンド内部ノイズ特性識別波形」と呼ぶ。
【００５７】
本明細書において、フレーズ「ベースラインノイズ特性識別波形」は、撮像トランスデューサが撮像エネルギーを受信しておらず、選択したノイズ源がＯＦＦ（すなわちノイズを生成していない）であると想定されるとき取得した波形のことであり、これによりベースライン特性識別波形は選択したノイズ源のベースラインを提供する。イメージングバンド内のベースラインノイズ特性識別波形は、「バンド内ベースラインノイズ特性識別波形」と呼ぶ。ノイズ検出バンド内のベースラインノイズ特性識別波形は、「検出バンドベースラインノイズ特性識別波形」と呼ぶ。
【００５８】
図１Ａを参照する。オプションの基準受信回路１１を配置することができる。同回路は、撮像時に反射超音波信号を受信しないように構成され、撮像時に１以上のトランスデューサ受信回路と結合したノイズ類似のノイズエネルギーを検出できる、受信回路を備える。基準受信回路は、１以上のトランスデューサ受信回路の部品を用いることができる（例えば基準受信回路とトランスデューサ受信回路は、増幅器またはＡＤＣの異なるチャネルを利用できる）。
【００５９】
１実施例においてシステムは、１以上の基準受信チャネルを介して、イメージングバンド内のノイズを検出するように構成することができる。基準受信チャネルはオプションとして、反射超音波を変換せず撮像トランスデューサ受信回路が受信したノイズを検出するように音響絶縁または不活性化された基準超音波トランスデューサ（図示せず）と接続される。１以上の撮像トランスデューサ１０と１以上の基準トランスデューサは、共通空間方向を向いている必要はない。
【００６０】
１以上の基準トランスデューサ受信回路または基準電気受信回路（基準受信チャネル上）が受信した信号は、基準波形と呼ぶ。基準波形は主にノイズであり、撮像エネルギーではない。
【００６１】
本明細書において、フレーズ「基準波形」は、１以上の基準受信チャネルから取得した波形のことである。基準波形をフィルタリングして、イメージングバンド内および／またはイメージングバンド外となるようにしてもよい。
【００６２】
本明細書において、フレーズ「基準ノイズ検出波形」は、撮像トランスデューサが撮像エネルギーを受信していないかまたは受信していないと想定されるとき、基準受信チャネルから取得した基準波形のことである。
【００６３】
本明細書において、フレーズ「基準ノイズ特性識別波形」は、撮像トランスデューサが撮像エネルギーを受信していないとき基準受信チャネルから取得した基準波形のことである。
【００６４】
システムはオプションとして、検出バンド波形と基準波形の組み合わせを用いてノイズを抑制するように構成することができる。本明細書において、フレーズ「ノイズ検出波形」は、基準波形または検出バンド波形のことである。システムが撮像モードであり撮像トランスデューサ受信回路が撮像エネルギーを受信しているかまたは受信していると想定されるとき、ノイズ検出波形は「ノイズ検出撮像波形」と呼ぶ。システムがノイズ特性識別モードであり撮像トランスデューサ受信回路が撮像エネルギーを受信していないとき、ノイズ検出波形は「ノイズ検出特性識別波形」と呼ぶ。
【００６５】
図１Ａは１つのトランスデューサ素子を示しているが、図１Ａに示す実施形態は非限定的構成例を示すに過ぎず、複数静電素子を有するトランスデューサを使用可能であることを理解されたい。例えば１実施例において、複数のトランスデューサ素子を位相アレイまたは線形アレイまたは２Ｄアレイとして制御してもよい。さらにトランスデューサは、多次元２Ｄ断面画像または３Ｄ画像（経時的３Ｄ画像を有する４Ｄイメージングデータセットを含む）を生成するために撮像エネルギーを送信するものに限らず、フローのドップラ評価のために用いるトランスデューサ、超音波ビーコンとして用いるトランスデューサ（例：米国特許公開２０１６／００４５１８４、発明の名称“Ａｃｔｉｖｅ  ｌｏｃａｌｉｚａｔｉｏｎ  ａｎｄ  ｖｉｓｕａｌｉｚａｔｉｏｎ  ｏｆ  ｍｉｎｉｍａｌｌｙ  ｉｎｖａｓｉｖｅ  ｄｅｖｉｃｅｓ  ｕｓｉｎｇ  ｕｌｔｒａｓｏｕｎｄ”が記載しているもの、同文献は参照によりその全体が本願に組み込まれる）、あるいは移動要素の位置を検出するために用いる超音波トランスデューサ（例：米国特許公開２０１２／０１９７１１３、発明の名称“Ｕｌｔｒａｓｏｎｉｃ  ｐｒｏｂｅ  ｗｉｔｈ  ｕｌｔｒａｓｏｎｉｃ  ｔｒａｎｓｄｕｃｅｒｓ  ａｄｄｒｅｓｓａｂｌｅ  ｏｎ  ｃｏｍｍｏｎ  ｅｌｅｃｔｒｉｃａｌ  ｃｈａｎｎｅｌ”が記載しているもの、同文献は参照によりその全体が本願に組み込まれる）を含む。
【００６６】
トランスデューサは、図１Ａのように撮像エネルギーを送受信するものに限らず、他の手段によって励起した媒体から超音波エネルギーを受信するトランスデューサを含む。例えば光エネルギー（光音響イメージング）または別の超音波トランスデューサである。さらに、図１Ａは異なる方向における複数のスキャンラインに対応する空間領域を撮像する構成を示しているが、スキャンラインは単方向であってもよい。例えばＭモードイメージングやドップラー撮像機器、パルス波や連続波ドップラーでフローを評価する場合である。
【００６７】
１実施例において、１つのトランスデューサ受信チャネルは、イメージングバンド内の撮像エネルギーを受信するように構成されるとともに、同時に１以上のノイズ検出バンド内の別エネルギーを受信する構成されている。この別エネルギーは、少なくともバンド外ノイズを含む。別例において、１以上の撮像トランスデューサ受信チャネルを用いて、イメージングバンド内の撮像エネルギーを受信することができ、１以上のトランスデューサ受信チャネルを用いて、少なくとも一部がバンド外ノイズを含む１以上のノイズ検出バンド内の別エネルギーを受信することができる。別例において、１以上の基準受信チャネルを用いて、ノイズエネルギー（すなわち基準ノイズ検出波形）を受信しつつ、イメージングバンド内の撮像エネルギーから隔離することができる。基準受信チャネルは、撮像バンドパスフィルタを用いることにより、撮像トランスデューサ受信チャネルと同様にフィルタリングすることができる。これに代えて実施形態において、基準受信チャネルは全くフィルタリングしなくともよく、あるいは撮像バンドパスフィルタ以外のフィルタを用いてイメージングバンド内のノイズ推定を向上させてもよい。
【００６８】
制御処理ハードウェア１００は例えば、１以上のプロセッサ１１０、メモリ１１５、システムバス１０５、１以上の入力／出力デバイス１２０、複数のオプションデバイス（例えば通信インターフェース１３５、データ取得インターフェース１４０、ディスプレイ１２５、外部記憶装置１３０）、を備える。
【００６９】
図１Ａに示すシステム例は非限定的実施例であり、図示する部品に限定することを意図したものではないことを理解されたい。例えばシステムは、１以上の別プロセッサとメモリデバイスを備えてもよい。さらに、制御処理ハードウェア１００の１以上の部品は、処理デバイスと接続した外部部品として提供してもよい。例えば図示するように、オプションの送信ビーム形成器２６とオプションの受信ビーム形成器２７は制御処理ハードウェア１００の部品としてもよいし（点線で示す）、１以上の外部デバイスとして提供してもよい。
【００７０】
本開示の側面のうちいくつかは、少なくとも部分的に、ソフトウェアによって実施することができる。このソフトウェアは、コンピュータシステムが実行したとき、コンピュータシステムが本明細書の信号処理とノイズ抑制方法（またはその変形例）を実施できる特定目的コンピュータとなるように構成する。すなわち本技術は、コンピュータシステムその他データ処理システムにおいてプロセッサに対する応答として実施できる。プロセッサは例えば、メモリ内の命令シーケンスを実行するマイクロプロセッサ、ＣＰＵ、またはＧＰＵである。メモリは例えば、ＲＯＭ、揮発性ＲＡＭ、不揮発性メモリ、キャッシュ、磁気ディスク、光ディスク、クラウドプロセッサ、その他リモート記憶デバイスである。さらにこの命令は、例えばコンパイル済リンクバージョンの形態で、データネットワークを介してコンピュータデバイスへダウンロードすることができる。これに代えて、上記プロセスを実施するロジックは、別コンピュータおよび／または機械読取可能媒体に実装することができる。例えば、大規模集積回路（ＬＳＩ）、特定用途集積回路（ＡＳＩＣ）などのディスクリートハードウェア部品、あるいは電気的消去可能プログラム可能読取専用メモリ（ＥＥＰＲＯＭ）、フィールドプログラム可能ゲートアレイ（ＦＰＧＡ）などのファームウェアである。
【００７１】
コンピュータ読取可能媒体を用いて、データ処理システムが実行したとき様々な方法を実施させるソフトウェアとデータを格納することができる。実行可能ソフトウェアとデータは、様々な場所に格納することができる。例えばＲＯＭ、揮発性ＲＡＭ、不揮発性メモリ、および／またはキャッシュである。このソフトウェアおよびデータの部分は、これら記憶デバイスのいずれにも格納することができる。一般に機械読取可能媒体は、機械（例：コンピュータ、ネットワークデバイス、携帯情報端末、製造ツール、１以上のプロセッサセットを有する任意デバイス、など）がアクセスすることができる形態の情報を提供するメカニズム（すなわち格納および／または送信）を有する。
【００７２】
コンピュータ読取可能媒体の例としては、例えば読取専用メモリ（ＲＯＭ）、ランダムアクセスメモリ（ＲＡＭ）、フラッシュメモリデバイス、フロッピーその他リムーバブルディスク、磁気ディスク記憶媒体、光記憶媒体（例：コンパクトディスク（ＣＤ）、デジタル汎用ディスク（ＤＶＤ）、など）、ネットワークストレージ、クラウドストレージ、その他の記録可能メディアと記録不能メディアが挙げられるが、これに限らない。命令は、電気、光、音響その他形態の伝搬信号、搬送波、赤外線信号、デジタル信号、などのデジタルおよびアナログ通信リンクにおいて実施することができる。本明細書において、フレーズ「コンピュータ読取可能材料」と「コンピュータ読取可能記憶媒体」は、一時的伝搬信号を除くすべてのコンピュータ読取可能媒体のことである。
【００７３】
本明細書の実施形態の多くは、環境測定したノイズに基づくノイズ除去フィルタの調整を用いる。実施例において、以下の実施例で説明する波形、データ、フィルタパラメータ、その他の関連情報のうち１以上をネットワークに送信し、リモート評価してノイズ除去フィルタの分析および／または最適化を実施することができる。最適化後、ノイズ除去フィルタアルゴリズムおよび／またはパラメータをシステムに送信して、ノイズ除去効果を向上できる。
【００７４】
図１Ａに示すように、制御処理ハードウェア１００は、撮像処理モジュール１４５とノイズ抑制モジュール１５０を備える。画像処理モジュール１４５は、既知の画像処理方法（例えばスキャン変換）を実行するように構成しまたはプログラムすることができる。
【００７５】
本実施形態のうちいくつかはリアルタイムノイズ除去できるような態様で記載しているが、ノイズ除去は後処理としてもよいことを理解されたい。例えばトランスデューサ受信チャネルまたは基準受信チャネル上のデータは、フィルタリング、包絡線検出、シフト、形状／位相または遅延調整、信号特性識別、減衰、減算、その他本発明の実施形態が説明するステップの前後において、デジタル化して格納することができる。
【００７６】
図１Ｂは、制御処理ハードウェア１００と受信チャネルが、画像生成前に撮像トランスデューサ受信チャネルから検出したバンド内撮像波形を処理するステップ例を示す。撮像トランスデューサ受信回路からの検出波形は、アナログ−デジタル変換（２０３）の前に増幅（２０１）およびフィルタリング（２０２）される。デジタル化後、バンドパスフィルタ２００（複数のパスバンドとストップバンドを用いてもよい）を用いて検出波形をフィルタリングし、イメージングバンド内の信号を保持する。フィルタリングした波形の包絡線を包絡線検出器（２１０）によって生成する。得られた包絡線検出波形は、オプションとして間引くかまたは拡張し（２２０）、画像処理モジュールに対して提供して画像生成する（２３０）。
【００７７】
図１Ａを参照する。制御処理ハードウェア１００は、１以上のノイズ除去モジュール１５０を備える。ノイズ除去モジュール１５０は、以下に説明するノイズ除去アルゴリズムにしたがって、検出したデータ（例：生ＲＦデータ、包絡線データ、画像データ）を処理してノイズの影響を除去する命令を有する。以下に説明するように、本明細書のノイズ抑制アルゴリズムを用いて（ノイズ抑制モジュール１５０として図１Ａに示す）、１以上のノイズ検出波形を処理することに基づき、図１Ｂに示す処理フローのステップにおいて、ノイズを除去または抑制する。アレイトランスデューサを用いるシステムの場合において、ノイズ抑制はビーム形成の前後いずれでもよい（または双方でもよい）。以下に説明する実施例において、画像データ（生波形、サンプリング波形、包絡線波形、フーリエ変換後信号、処理後画像データを含むが、これに限らない）のノイズ除去は、信号エネルギー測定（パワー、振幅、強度、その他信号強度の測定結果）またはノイズ検出波形の波形パターン測定（例えば基準受信チャネル上で検出したバンド外ノイズ検出撮像波形）に基づき実施される。ノイズ検出波形は多くの実施形態において撮像エネルギーを実質的に有しておらず、イメージングバンド内のノイズと相関または同時存在するノイズを含む。イメージングバンドノイズとノイズ検出波形によって検出したノイズとの間の１以上の関係を用いて、イメージングバンド信号を訂正してイメージングバンドノイズを除去または減少させる（例：抑制する）ことができる。
【００７８】
＜体内撮像のための基準受信回路の実装＞
図１Ｃを参照する。超音波撮像システムの例を示す。被検者インターフェースモジュール（ＰＭＩ）３００を介して制御処理ハードウェア１００に対して接続された体内撮像プローブ３５０を備える。体内超音波撮像デバイスは、１次元、２次元、または３次元領域から音響撮像エネルギーを受信するように構成することができる。これはオプションとして、機械的または電子的スキャンによる。
【００７９】
撮像プローブ３５０は、近位端から離れた撮像部品３５３、少なくとも長さ方向の一部に沿って光導管３５４を通過する電気および／または光チャネル３５４、および近位端におけるコネクタ３５１を備える。本開示のため、撮像部品３５３は一般に、撮像エネルギー（例：音響信号または光信号）を検出して撮像部品に隣接する領域を撮像するための撮像プローブ３５０の部品または部品セットのことであるものとする。撮像部品はオプションとして、撮像エネルギーの１以上のエミッタを備え、撮像エネルギーの少なくとも１つの受信器を備える。例えば撮像部品は、音響エネルギーのエミッタかつ受信器である超音波撮像トランスデューサ１０を備える。超音波撮像トランスデューサは、撮像部品上に取り付けることができる。撮像部品はオプションとして、体内超音波撮像プローブの中空シース内に収容された回転可能導管またはシャフト（例：トルクケーブル）３５２に取付または接続して、機械的スキャンを実施することができる。
【００８０】
オプションのＰＩＭ３００は、任意のワイヤまたは導管内で適当な撮像処理ユニット１００に対してＰＩＭケーブル３２０経由で信号伝送を可能とする。例えば撮像プローブ３５０が制御処理ハードウェア１００に対して直接接続されていないときである。ＰＩＭは１以上の増幅器２０を備え、これにより１以上のトランスデューサ受信チャネルからの信号を増幅する。ＰＩＭはオプションとして、回転可能導管３５４に対して回転動作を与えるモータ駆動ユニット３０１を備える。モータ駆動ユニット３０１は、プローブ３５０の信号を制御処理ハードウェア１００に対して接続するスリップリング、回転変換器、その他の部品を備え、これにより撮像導管は回転でき、ＰＩＭケーブル３２０は回転しない。ＰＩＭ３００はオプションとして、撮像部品３５３が長手方向に移動できるようにするプルバック機構３０２または相互押し引き機構を備える。撮像部品の長手方向移動は、撮像導管を囲む外部シャフトの長手方向移動とともに生じ、または比較的安定した外部シャフト内部で生じる。
【００８１】
撮像システム内の多くの電気部品は、環境ノイズ源からの不要なエネルギーを拾う可能性がある。そのような部品の例としては、撮像部品３５３、撮像導管３５２、モータ駆動ユニット３０１、ＰＩＭケーブル３２０が挙げられる。撮像受信回路が検出するノイズと相関するノイズを検出する１以上の基準受信回路は、バンド内ノイズを抑制するために有用である。以下は超音波撮像システムの撮像信号のノイズ除去のための基準受信回路の実施例である。
【００８２】
図１Ｄは、撮像トランスデューサが撮像プローブ３５０内で１以上の非撮像基準トランスデューサ３６１へ複製されている実施例を示す。基準トランスデューサは、光導管３５２とコネクタ３５１を通過する、自身の電気チャネル３６０を有する。基準トランスデューサ３６１は、エポキシその他の音響減衰材料３６２によってコートし、これにより受信撮像エネルギーから音響的に隔離することができる。これに代えて、ピエゾ素子を非極化して不活性化し、あるいは音響的に反応する基板と置き換えることができる。この実装は、音響撮像エネルギーを受信するように構成された超音波トランスデューサ素子が複数存在するアレイトランスデューサへ拡張することができる。アレイの１以上の素子を音響的に反応しないようにし、これにより音響撮像エネルギーを反射せず基準とタンスデューサ受信回路として機能するようにできる。
【００８３】
図１Ｅは、それぞれ別の電気チャネル３７０と３５４を有する２以上の撮像トランスデューサを撮像プローブが備える実施例を示す。２以上の撮像トランスデューサは、実質的に重ならないスペクトル帯域幅において音響撮像エネルギーを受信する感度を有する。例えば第１トランスデューサは周波数１０ＭＨｚ周辺の音響エネルギーを受信するように構成され、第２トランスデューサは周波数４０ＭＨｚ周辺の音響エネルギーを受信するように構成される。１０ＭＨｚトランスデューサの４０ＭＨｚバンドは４０ＭＨｚトランスデューサの基準ノイズチャネルとして作用し、同様に、４０ＭＨｚトランスデューサの１０ＭＨｚバンドは１０ＭＨｚトランスデューサの基準ノイズチャネルとして作用する。
【００８４】
図１Ｆは、撮像トランスデューサ受信チャネルが撮像プローブ内で基準受信回路によって複製されている実施例を示す。基準受信回路はオプションとして、抵抗器、インダクタ、キャパシタ、および／またはその他部品の組み合わせを備えてもよい。これらは、基準電気回路３８１の電気インピーダンスが撮像トランスデューサ受信回路のインピーダンスと合致するように構成され、あるいは、基準電気回路のノイズ感度がトランスデューサ受信チャネルのノイズ感度と同様になるように構成されている。この実施形態の利点は、実際の超音波トランスデューサを必要としないことにより、低コストであり、製造し易く、基準電気回路３８１の部品を小型化しやすいことである。さらに、基準受信回路の一部は別の目的のために作用することができる。例えばエネルギーを送信してアクチュエータを駆動する（例えば磁気アクチュエータなどだが、これに限らない）、信号を搬送する（位置検出のための磁場から生じた温度、圧力、電流などを含むが、これに限らない）、などである。このように、基準ノイズ検出波形を収集して撮像信号のノイズ減少させる以外の目的で基準受信回路を用いることにより、小型化が容易となり、コストが低くなり、および／または機能性が改善する。
【００８５】
図１Ｇは、基準受信回路３９１がＰＩＭ内で終端している実施例を示す。ＰＩＭ内は撮像受信チャネルと同様に、モータ駆動ユニットとＰＩＭケーブルが受信したノイズを受ける。トランスデューサ受信回路の一部のみが複製されている。基準ノイズ検出をオプションとして検出バンド（バンド外またはバンド内部）ノイズ検出とともに用いて、撮像トランスデューサ受信チャネルからのバンド内撮像波形のノイズをさらに減少させてもよい。
【００８６】
検出バンド波形がノイズ検出波形として用いられる実施形態は、基準回路または基準トランスデューサを用いて基準波形を生成する実施形態よりも製造コストが小さい。前者は基準チャネルの物理的実装が必要ないからである。例えば撮像プローブまたはその一部が被検者間で繰り返し用いられない場合である。基準チャネルからのノイズ検出波形は、ノイズ除去の撮像システムにおいてより効果的である場合がある。この波形は撮像バンド内のノイズについての情報を提供でき、他方でバンド外ノイズ検出波形はバンド内ノイズの直接推定結果を提供しない代わりに、少なくとも部分的にバンド外特性に基づきバンド内特性を推定することができるノイズに依拠するからである。
【００８７】
検出バンド波形または基準ノイズ検出波形を用いて取得したノイズ推定結果を用いて、１以上の撮像チャネル内のノイズを減少させることができる。例えば複数の静電素子がある位相アレイトランスデューサにおいて、１つの基準受信チャネルまたは１つのバンド外ノイズ検出波形を用いて、静電素子の全てまたはサブセットが収集可能なノイズを推定することができる。したがって同じノイズ推定方式が、静電素子の全てまたはサブセットから収集した信号に対して適用される。
【００８８】
＜ノイズ測定＞
本開示の以下のセクションは、バンド外ノイズ検出、基準チャネルノイズ検出、またはバンド外ノイズ検出（バンド内ノイズ検出によって補足することもできる）と基準チャネルノイズ検出の両方に基づくバンド内画像データのノイズ除去を実施する複数の実施形態について説明する。
【００８９】
以下の実施例とともに説明するように、ノイズ検出波形の測定結果からノイズ測定結果および／またはノイズ特性を決定して、イメージングバンド内の信号対ノイズ比を増やすことができる。ノイズ想定の非限定的例は以下の通りである：
・ノイズ検出撮像波形とバンド内撮像波形のエネルギー測定（振幅、振幅の２乗平均平方根、平均パワー）；
・２以上のノイズ検出バンドにおけるエネルギー測定；
・ノイズ検出波形の時間特性、スペクトル特性、および／または時間−周波数特性；ノイズ検出波形を用いて生成した画像の空間または空間−時間パターン、パターンを表しまたは特性識別する特徴量またはパラメータを含む；
・ノイズ検出撮像波形の時間特性、スペクトル特性、および／または時間−周波数特性、および、バンド内撮像波形内に同時に存在するパターン、これらパターンを表す特徴量を含む；ノイズ検出波形を用いて生成した画像内の空間または空間−時間パターン、および、撮像トランスデューサチャネルからのバンド内撮像波形から生成した画像内に同時に存在する空間パターン、パターンを表しまたは特性識別する特徴量またはパラメータを含む；
・波形特性（例えばエネルギー）に基づき取得したパラメータを用いて決定または制御するフィルタパラメータ、およびノイズ検出波形において検出した高調波ピークのスペクトル間隔。
【００９０】
実施例において、ノイズ特性の推定は、撮像トランスデューサが撮像エネルギーを受信していないとき実施できる（例：超音波パルスの直近出射からの超音波エネルギーが観葉から消滅したと想定される後）。これに代えてノイズ特性の推定は、撮像エネルギーが検出されていると想定される撮像中において実施できる（例：トランスデューサが画像取得モードのとき）。ノイズ特性が撮像エネルギーのないとき測定される実施例において、そのノイズ特性を間欠的に更新して、ノイズ特性の時間依存変化に適応し補償することができる。
【００９１】
＜撮像エネルギーが存在しない測定を用いたノイズ除去＞
ノイズ除去実施形態は、撮像トランスデューサが撮像エネルギーを受信しているときにおけるノイズ検出波形からのエネルギーの測定と使用をともなうが、別実施形態は、撮像エネルギーが存在しない期間において取得したノイズ検出波形からの測定結果を用いるか、またはこれらの組み合わせを用いる。
【００９２】
図５Ａは、その実施形態を示す。トランスデューサ受信チャネルが撮像エネルギーを受信していない間においてノイズ特性識別を実施し、その結果得られるノイズ特性を用いて、トランスデューサ受信チャネルが撮像エネルギーを受信していない間において取得したバンド内撮像波形のノイズ除去を可能とする。ノイズ特性識別ステップは通常、ノイズ除去した画像データの取得および処理の前に実施するが、画像データを適当に記録することにより、ノイズ特性識別において収集した情報を、その記録した画像データに対して事後的に用いることができる。
【００９３】
本実施例の方法にしたがって、少なくとも１つのトランスデューサ受信回路が撮像エネルギーを受信していないことが想定されまたは既知である第１時間ウインドウにおいて、トランスデューサ受信回路におけるエネルギーを検出し、これにより撮像トランスデューサ受信チャネル１３が検出した波形はノイズ４０５とみなされる。検出した波形は２００と４１０においてフィルタリングされ、これによりバンド内ノイズ特性識別波形４０７と検出バンドノイズ特性識別波形４０８を生成する。
【００９４】
バンド内ノイズ特性識別波形と検出バンドノイズ特性識別波形を処理して、そのノイズ特性を識別する（４２０に示す）。例えばノイズ特性識別４２０を用いて、ノイズを特性識別する特性パラメータ４３０を生成することができる。ノイズ特性識別パラメータとして適している例は、以下の実施形態で説明する。
【００９５】
オプションとして、少なくとも１つのトランスデューサ受信回路が撮像エネルギーを受信していないことが予測されまたは既知であり、特定のノイズ源が選択的にＯＦＦであることが既知であって撮像トランスデューサ受信チャネル１３が検出した波形が選択ノイズ源のベースラインとみなされるとき、別のベースラインノイズ特性識別ステージにおいて、トランスデューサ受信回路でエネルギーを検出することができる。検出したベースラインノイズ特性識別波形をフィルタリング（２００と４１０）することにより、バンド内ベースラインノイズ特性識別波形４０７と検出バンドベースラインノイズ特性識別波形を生成する。ノイズパラメータ４３０は、ベースラインノイズ特性識別ステージにおいて取得したパラメータを含む場合もあることを理解されたい。
【００９６】
特性識別ノイズパラメータは、撮像セッション前または撮像セッション中に計算することができ、あるいはローカル・リモート記憶デバイス（ネットワークドライブ、クラウドなど）上に配置した事前格納データベースから取得できる。
【００９７】
撮像エネルギーがないときノイズを特性識別した後、特性パラメータ４３０を用いて、トランスデューサが撮像エネルギー受信中に検出したバンド内撮像波形４３７のノイズ除去を実施することができる。撮像（４３５）中に撮像トランスデューサ受信チャネルから検出した波形は、撮像エネルギーとノイズを含んでおり、これをフィルタリング（２００と４１０）することにより、バンド内撮像波形４３７と検出バンド撮像波形４３８を生成する。したがってバンド内撮像波形４３７は、検出した撮像エネルギーとノイズを含み、検出バンド撮像波形４３８はバンド内撮像波形４３７内に存在する可能性があるノイズに関する情報を含む。ノイズ特性識別ステージにおいて取得した特性パラメータ４３０を用いて、バンド内撮像波形内のノイズを検出および／または推定し（４４０）、バンド内撮像波形のノイズ抑制（５００）を実施する。ノイズ特性識別パラメータを用いてノイズ抑制する適当な例は、以下の実施形態で説明する。
【００９８】
図５Ｂは、基準受信チャネル（例えば図１Ａが記載している基準受信チャネル）を用いてノイズを検出して基準ノイズ特性識別波形４０６を生成する、別実施形態を示す。基準ノイズ特性識別波形をフィルタリング（２０２）して、フィルタ済基準ノイズ特性識別波形４０９を生成する。１実施例において、基準チャネルフィルタは撮像バンドパスフィルタである。これに代えて、ノイズ推定がバンド外ノイズの入力によるものである場合、基準チャネルフィルタは撮像バンドパスフィルタ以外であってもよい。基準ノイズ特性識別波形４０９、およびオプションとしてバンド内ノイズ特性識別波形４０７をステップ４２０において処理して、ノイズ特性識別パラメータ４３０を提供する。
【００９９】
撮像中において、基準波形４３６を検出し、オプションとしてフィルタリングして、フィルタ済基準ノイズ検出波形４３９を生成する。ノイズ特性識別ステージにおいて取得した特性パラメータ４３０を用いて、バンド内撮像波形４３７内のノイズを検出および／または推定（４４０）し、バンド内撮像波形４３７のノイズ抑制（５００）を実施する。別実施例において、検出バンド撮像波形４３８（図５Ａに示す）とフィルタ済基準ノイズ検出波形４３９を両方処理して、バンド内撮像波形４３７内に存在する可能性があるノイズについての情報を提供する。
【０１００】
実施例において、ノイズ抑制は以下の方法のうち１以上を用いてバンド内撮像波形を処理することにより実現できる：イメージングバンド内の信号から推定ノイズを差し引く；イメージングバンド内の信号に減衰係数を乗算することにより、推定ノイズエネルギーを減衰させる；イメージングバンド内の信号をフィルタリングする。例えば減算量は、バンド外ノイズ検出撮像波形内で検出したパワー量に比例する。別例として減衰係数は、バンド内撮像波形内のノイズ量に対応する測定結果に逆比例し、これによりバンド内撮像波形のノイズ関連部分を減衰させる。
【０１０１】
ノイズ特性識別（例えば図５Ａ〜５Ｂの４２０に示すもの）は、１回実施してもよいし、これに代えて連続的に複数回実施してもよい。例えばノイズ特性識別を間欠的に実施して（例：周期的または不規則実施）、ノイズ特性の時間依存変化に適応および補償してもよい。
【０１０２】
ノイズ特性識別を実施しているとき、ノイズ特性識別のために収集したノイズ特性識別波形を複数の個別アレイ（例えばそれぞれ十分長く、超音波撮像の１つのスキャンラインに沿った画像データを格納できるアレイ）においてデジタル化および収集してもよいし、大規模アレイ、循環バッファ、その他データ構造に格納する１以上のデータストリームとしてより連続的な態様で収集してもよい。
【０１０３】
実施例において、ノイズ特性識別は例えば、撮像セッション開始時またはユーザが画像品質の劣化を発見もしくは疑っているとき、ユーザが開始してもよい（例：ボタン押下により）。
【０１０４】
別実施例において、ノイズ特性識別は、撮像エネルギーの不存在を検出したとき、自動的にトリガしてもよいしユーザが促してもよい。例えばバンド内撮像波形とノイズ検出撮像波形との間の相対エネルギーがある期間にわたって変化せず規定範囲内にあるとき、撮像エネルギー不存在の周期を検出することができる。撮像エネルギー不存在の周期は例えば、ノイズ訂正（５０１）後におけるバンド内撮像波形のエネルギーが規定閾値未満であるとき（これは撮像エネルギー不存在を示唆している）、検出できる。
【０１０５】
ノイズ特性識別ステップ４２０は、ノイズ除去アルゴリズムがシステムに対して悪影響する可能性があるような態様でノイズプロファイルが変化したことを、ユーザやシステムに対してアラートするために用いることもできる（新たなノイズ源が検出された場合、ノイズ抑制モジュール５００はバンド内信号の抑制を誤って実施するかまたはバンド内ノイズ抑制の効果が減少する）。例えばノイズ検出波形（例：図５Ａのバンド外ノイズ検出波形４３８または図５Ｂの基準ノイズ検出波形４３９）を処理して、ノイズ特性が変化したことを判定できる。例えばノイズ抑制を実施しているとき、オプションとして、ノイズ検出波形の特性（例えばピークエネルギー、パワー、周波数コンテンツ巣ループ、スキュー、尖度、ヒストグラム、その他の指標）を監視するノイズ監視モジュールを用いることができる。ノイズ検出波形の特性が変化した場合（例：ピークエネルギーが閾値を超えた場合）、ノイズ監視モジュールはシステムのその他部分と通信して（例えばメッセージ、割り込み、アラーム、その他によって）、ノイズコンテンツが変化した旨をアラートできる。
【０１０６】
別実施例において、ノイズ特性識別ステージにおけるエラー値を評価することができる。この場合、撮像エネルギーが存在しないときバンド内撮像波形に対してノイズ抑制を実施し、エラー値はノイズ訂正後におけるバンド内撮像波形のエネルギーである。エラー値が規定閾値を超えている場合、アラートを生成する。アラートはノイズを改めて特性識別することを促し、あるいはシステムは、ノイズ除去アルゴリズムにおいて、１以上のバンド外ノイズ検出バンドまたは１以上の基準受信チャネルを無視してもよい。
【０１０７】
ノイズ特性識別４２０は、環境内のノイズ源を判定するために用いることもできる。ノイズ源は例えば、図７Ａのステップ５７０に示すパターン認識器によって判定することができる（実施形態４において詳述する）。ノイズ源についての情報は例えば、データベース（ローカルまたはネットワーク上）にアクセスしてノイズ抑制のためのパラメータを選択し、あるいは使用するノイズ抑制方法のシーケンスを決定するために用いることができる。例えばまず周期的ノイズを除去し（実施形態６、図８Ａ〜図８Ｄで詳述する）。次に周期性が低いノイズを除去することが望ましい。
【０１０８】
別例として、ノイズ特性識別は、アブレーションプロセスにおいて用いている電気解剖マッピングシステムのタイプを検出するために用いることができ、あるいは無線周波数エネルギーを用いてアブレーションを実施して不整脈を治療するアブレーションカテーテルの起動と停止を検出するために用いることもできる。これは例えば、図７Ａのステップ５７０が示すパターン認識器によって実現できる。１以上のノイズ検出波形はさらに、使用しているアブレーションエネルギーの時間長や相対強度や周波数を検出することができる。この情報は体内撮像システムにとって有用である。ノイズ源（例えばアブレーションカテーテル）がいつ起動されたのかについての情報によって撮像データセットにタグ付けできるようにするからである。
【０１０９】
ノイズ抑制（例えば図５Ａ〜図５Ｂの５００）は、１回実施してもよいし、複数回実施してもよいし、間欠的または連続的に実施してもよい。例えばノイズ抑制はユーザが起動してもよい。これに代えてノイズ抑制を間欠的に実施することにより（例：周期的または非周期的）、時間依存ノイズ源を補償してもよい。別例としてノイズ抑制は、ノイズを出力する外部デバイスが制御してもよい。例えばノイズ抑制は、ＲＦアブレーション生成器の制御によって起動または停止し、これによりＲＦエネルギーが伝搬するときノイズ抑制を実施するようにしてもよい。
【０１１０】
以下の実施形態は、１つの撮像波形と１つのノイズ検出波形について説明する。これら実施形態は複数の撮像波形および／または複数のノイズ検出波形へ拡張できることを理解されたい。
【０１１１】
＜実施形態１：包絡線検出バンド外ノイズ抑制に基づくノイズ抑制（オプション：振幅、形状、および遅延訂正）＞
図２Ａを参照する。バンド外ノイズ検出波形４３８を用いて、抑制演算子５２５を介したバンド内撮像波形４３７のノイズ抑制を実施する方法例を示す。１実施例において抑制演算子は、バンド内撮像波形４３７から推定ノイズを減算する減算器である。別例において前記抑制演算子は、推定ノイズから導出した減衰係数によってバンド内撮像波形を減衰させる減衰器である。１以上のトランスデューサ受信チャネルを用いて撮像エネルギーを検出し、検出したエネルギーはイメージングバンドとノイズ検出バンドをともに含む。波形をデジタルサンプリング、分離（またはコピー）、およびフィルタリングすることにより、サンプリングしたバンド内撮像波形４３７とサンプリングしたバンド外ノイズ検出撮像波形４３８を取得することができる。サンプリング波形は、時間ウインドウ内で受信したサンプルセットとして検出することができる。例えば超音波撮像の場合、リスニングウインドウは超音波トランスデューサがパルス出力した直後またはわずかに後であり、これにより隣接環境に対してエネルギー照射できるようにする。パルス出力は１以上のパルス送信に対応する。
【０１１２】
図２Ａに示す実施例において、撮像バンドパスフィルタ２００と、イメージングバンド外に広がる周波数を有するノイズ検出バンドフィルタ４１０を用いて、撮像波形４３５を（デジタルまたはアナログ）フィルタリングする。次にバンド内撮像波形４３７とバンド外ノイズ検出撮像波形４３８に対して包絡線検出を実施する。これは２１０と４１１に示すものである。
【０１１３】
図２Ａに示す実施例において、バンド外ノイズ検出撮像波形４３８を用いて、バンド内撮像波形４３７のノイズを抑制する。抑制処理の前に、包絡線検出したバンド外ノイズ検出撮像波形４３８の振幅を、オプションとしてスケーリングし（５１０に示す）、これによりイメージングバンド内部のノイズパワーとノイズ検出バンドとの間の差分を補償する。１実施例において、撮像エネルギーが存在しないとき（すなわちノイズ特性識別ステージ）決定したノイズのパワースペクトルに基づき振幅調整係数を決定する。別実施例において、演算子により振幅調整係数を選択または変更して所望レベルのノイズ抑制を実施し、あるいは相互相関５８０の後に決定してもよい（後述）。
【０１１４】
抑制処理の前において、その他の線形または非線形時間スケーリング関数を用いて（５１０に示す）、包絡線検出したバンド外撮像波形を時間的に膨張、圧縮、または形状調整し、これにより、イメージングバンドとノイズ検出バンドとの間のノイズ波形形状の差分を補償してもよい。
【０１１５】
５１０に示すように、ノイズ抑制前において包絡線検出したバンド外ノイズ検出撮像波形に対して遅延訂正を適用するのも有用である。例えば２つのバンドパスフィルタ２００と４１０は、入力波形を同様に変換しない。バンドパスフィルタまたはノイズそのものの特性は、ノイズのオフセットをもたらす場合がある。これらはバンドパスフィルタを通じて伝搬するからである。遅延訂正がない場合、ノイズは抑制前にエラーをもたらすようにシフトし、これはノイズ抑制信号に対して悪影響を及ぼす。
【０１１６】
１実施例において、バンド内撮像波形とバンド外撮像波形との間で相互相関を計算し、相互相関が最大の点における波形を揃えることにより、遅延調整を実施することができる。換言すると、相互相関を用いて、バンド内撮像波形とバンド外撮像波形の包絡線の相対的時間ずれを訂正するための時間遅延訂正値を判定することができる。
【０１１７】
時間遅延訂正値と振幅訂正値は、複数のサンプリング後バンド内撮像波形と（同時に存在する）サンプリング後バンド外ノイズ検出撮像波形（「アレイ」と呼ぶ）を用いて、あるいはサンプリング後バンド内撮像波形と（同時に存在する）サンプリング後バンド外ノイズ検出撮像波形の１以上の時間ウインドウにおいて、計算することができる。
【０１１８】
１実施例において、バンド外ノイズは複数のノイズ検出バンドとして照会することができ、複数のノイズ検出バンド間における周波数に対するパワーの依存性を用いて、ステップ５２５におけるノイズ抑制のために、イメージングバンド内に存在するノイズパワーを推定するための適切な振幅調整を選択することができる。例えば複数のノイズ検出バンド内の平均ノイズパワーを、周波数に対する関数依存性にフィッティング（例えば線形フィッティング）して、イメージングバンド内のノイズパワーを推定することができる。この周波数に対する関数依存性は、撮像エネルギーが存在しないとき（すなわちノイズ特性識別ステージ４２０）判定できる。
【０１１９】
＜別実施形態：周波数シフトしたバンド外ノイズ検出波形を用いることに基づくノイズ抑制（オプション：振幅、形状、および遅延訂正）＞
図２Ｂは、遅延および振幅調整の前にバンド外ノイズ検出撮像波形を周波数シフトする、減算または減衰ノイズ訂正方法の別実施例を示す。５３０に示すように、バンド外ノイズ検出撮像波形に対して周波数シフト演算（例えば複素指数を乗算することによる）を実施して、バンド外ノイズ検出撮像波形のスペクトルをシフトさせ、これによりイメージングバンド内となるようにするかまたはイメージングバンドと重なるようにする。
【０１２０】
周波数シフト演算５３０は、周波数シフトしたノイズ検出波形の中心周波数がイメージングバンドの中心周波数と合致または略等しくなるように、実施することができる。例えばイメージングバンドが７〜１３ＭＨｚである場合、中心周波数ｆｃ１は１０ＭＨｚである。ノイズ検出バンドが１５〜２５ＭＨｚである場合、ノイズ検出バンドの中心周波数ｆｃ２は２０ＭＨｚである。したがって周波数シフト演算は、バンド外ノイズ検出撮像波形がｆｃ２−ｆｃ１＝１０ＭＨｚシフトするように実施することができる。これに代えて周波数シフトは、周波数シフトバンド外ノイズ検出撮像波形の中心周波数が、イメージングバンド内（バンド内ノイズの一部が存在することが想定されまたは既知である）の周波数と合致するかまたは略等しくなるように実施することができる。
【０１２１】
周波数シフト後、別ステージのバンドパスフィルタ２０３を実施して、和周波数の影響をフィルタリングする（上記例において、和周波数はｆｃ２＋１０ＭＨｚ＝３０ＭＨｚである）。周波数シフトは図２Ａに示す包絡線検出の実施形態において有用である。周波数シフトは、イメージングバンドとノイズ検出バンドの間でノイズのよりよい相関をもたらし、ノイズ抑制が向上するからである。図２Ｂに示す実施例において、ノイズ抑制後に包絡線検出２１０を出力信号５０１に対して適用して、ノイズ抑制した信号包絡線５２０を取得できる。
【０１２２】
＜基準ノイズ信号を用いることに基づく別実施形態＞
図２Ｃを参照する。基準受信チャネル（基準受信回路を用いる）を介して検出したバンド内ノイズを用いて、抑制演算子（すなわち減算器または減衰器）を介してバンド内撮像波形のノイズを抑制する方法例を示す。１以上の撮像トランスデューサ受信チャネルを用いて撮像エネルギーを受信し、１以上の基準受信チャネルを用いてノイズエネルギー（すなわち基準波形）を受信する。このノイズエネルギーは、撮像トランスデューサ受信チャネルが受信するノイズエネルギーと相関することが想定される。
【０１２３】
波形をデジタルサンプリングし、これによりサンプリングしたバンド内撮像波形とサンプリングしたフィルタリング後基準ノイズ検出波形を取得する。これに代えてノイズ抑制は、アナログ電子部品で実施してもよい。例えばアナログ信号加算器に対する基準受信回路からの入力を、遅延・スケール・および形状調整器ブロック５１０で反転させ、これにより推定ノイズを減算する。アナログ信号抑制の別実施形態として、抑制処理は時間変動ゲインを有する増幅器として実装できる。このゲインは基準受信チャネルが受信したノイズによって変調される。
【０１２４】
図２Ｃに示す実施例において、撮像トランスデューサ受信チャネルと基準受信チャネルからの入力波形は、撮像バンドパスフィルタ２００とオプションの基準チャネルフィルタ２０２を用いてフィルタリング（デジタルまたはアナログ）され、これによりバンド内撮像波形とともにフィルタリング後基準ノイズ検出波形をそれぞれ提供する。上述のように、基準チャネルフィルタ２０２は撮像バンドパスフィルタ２００と同様のものである。２１０と４１１に示すように、フィルタリング後信号に対して包絡線検出をオプションとして実施する。図２Ｃの実施例において、基準ノイズ検出波形（基準受信チャネルが測定したもの）を用いて、バンド内撮像波形のノイズを抑制する。バンド内撮像波形（またはその包絡線）からの減算またはバンド内撮像波形（またはその包絡線）を減衰させる前において、フィルタリング後基準ノイズ検出波形（またはその包絡線）の振幅をオプションとして振幅調整係数によってスケーリングし（５１０に示す）、これによりフィルタリング後基準ノイズ検出波形とバンド内撮像波形内のノイズパワーの差分を補償する。１実施例において振幅調整係数は、撮像エネルギーが存在しないとき（すなわちノイズ特性識別ステージ）決定したノイズのパワースペクトルに基づき決定できる。別実施例において、振幅調整係数を演算子によって選択して所望レベルのノイズ抑制を提供し、または相互相関５８０の後に決定できる。
【０１２５】
５１０に示すように、減算前において、包絡線検出後・フィルタリング後基準ノイズ検出波形に対して遅延訂正を適用するのが有用である。１実施例において遅延調整は、バンド内撮像波形とフィルタリング後基準ノイズ検出波形との間の相互相関を計算し、相互相関が最大の点において波形を揃えることにより、実現できる。先の実施形態と同様に、時間遅延訂正値と振幅訂正値は、複数のバンド内撮像波形と（同時存在する）基準ノイズ検出波形を用いて、またはバンド内撮像波形と（同時存在する）基準ノイズ検出波形の１以上のウインドウにおいて、計算することができる。
【０１２６】
＜実施形態２：基準受信チャネルからの基準ノイズ検出波形を適応フィルタに対する入力として用いたノイズ抑制＞
図３Ａは、基準ノイズ検出波形に基づきバンド内撮像波形に対してノイズ抑制訂正を適用することにより、動的ノイズ制御（ＡＮＣ）方式において適応フィルタを用いるノイズ訂正方法の実施例を示す。基準ノイズ検出波形は、撮像トランスデューサ受信回路が検出したノイズと相関している。基準ノイズ検出波形はフィルタリング（２０２）され、撮像トランスデューサ受信チャネルからの波形はフィルタリング（２００）される。望ましい実施形態において、バンド内撮像波形と基準ノイズ検出波形は、同じバンド内でフィルタリングされる（例：体内心エコー撮像システムの例において７〜１３ＭＨｚ）。
【０１２７】
適応フィルタは、変数パラメータが制御する伝達関数を有する線形フィルタであり、最適化アルゴリズムにしたがってそのパラメータを調整する手段である。適応フィルタは通常、デジタル有限インパルス応答（ＦＩＲ）フィルタまたは無間インパルス応答（ＩＩＲ）フィルタである。動的ノイズ制御（ＡＮＣ）方式を主入力に対して適用する。主入力は、信号と相関しないノイズ（Ｎ）の存在によって破損する信号源からの信号（Ｓ）を受信する。基準入力は、信号と相関しないが主入力ノイズ（Ｎ）と何らかの形で相関するノイズ（Ｎｒ）を受信する。基準ノイズは適応フィルタを通過して、主入力ノイズ（Ｎ）の推定結果である出力ノイズ（Ｎｅｓｔｉｍａｔｅ）を生成する。ノイズ推定結果を破損信号から減算して、ノイズ抑制信号（Ｓｅｓｔｉｍａｔｅ）の推定結果を生成する。適応フィルタは、その係数を動的調整して、出力パワーＥ［Ｓｅｓｔｉｍａｔｅ２］を最小化する。信号ＳはＮおよびＮｒと相関せず、ノイズＮはノイズＮｒと相関するので、総出力パワーを最小化することによって信号対ノイズ比を最大化できる。最小化アルゴリズム（例えば確率的最小２乗法（ＬＭＳ）や決定的反復最小２乗法（ＲＬＳ）アルゴリズム）を用いて、出力ノイズパワーを最小化するフィルタ係数を発見できる。
【０１２８】
図３Ａに示すＡＮＣ方式の例において、撮像エネルギーから隔離されている基準受信回路を用いて、基準受信チャネルを介して基準ノイズを測定する。主入力は、撮像トランスデューサ受信チャネル１３からの入力波形に対して撮像バンドパスフィルタ２００を適用することによって取得される。基準入力Ｎｒは、基準受信チャネルを介して取得した基準ノイズ検出波形に対して基準チャネルフィルタ２０２を適用することによって取得される。
【０１２９】
＜別実施形態：バンド外ノイズを用いた動的ノイズキャンセル＞
重なる周波数バンド（および共通周波数バンド）内で基準ノイズ検出波形とバンド内撮像波形を検出および処理する、上記動的ノイズ制御の形態とは異なり、図３Ｂと図３Ｃは、適応フィルタ５４０によってバンド内撮像波形に対してバンド外ノイズ検出撮像波形を用いてノイズ抑制訂正を適用する、ノイズ訂正方法の実施例を示す。
【０１３０】
主入力は、撮像トランスデューサ受信チャネルからの入力波形に対して撮像バンドパスフィルタ２００を適用し、包絡線２１０を取得することによって取得される。図３Ｂと図３Ｃに示す実施例において、バンド外ノイズ検出撮像波形は、撮像トランスデューサ受信チャネルからの入力波形に対して検出バンドフィルタ４１０を適用することによって取得される。
【０１３１】
図３Ｂにおいて、バンド外ノイズ検出撮像波形は、包絡線検出４１１を介して復調され（図２Ａの実施形態と同様の手法により）、これによりＡＮＣの基準入力を取得する。
【０１３２】
図３Ｃにおいて、バンド外撮像波形は図２Ｂの実施形態と同様の手法によりイメージングバンド（例：７〜１３ＭＨｚ）へ周波数シフト（５３０）され、撮像バンドパスフィルタ２０３を用いてフィルタリングされ、これによりＡＮＣの基準入力を取得する。
【０１３３】
＜実施形態３：バンド内波形の可変フィルタに対する入力として検出バンド波形を用いた、周波数シフトに基づくノイズ抑制＞
図４は、動的フィルタ５５０を用いてバンド内撮像波形をフィルタリングするノイズ訂正方法の実施例を示す。動的フィルタは、バンド外ノイズ（オプションとして、イメージングバンドの全部または一部の内部のノイズを含むバンド内部ノイズ検出撮像波形）を含むバンド外ノイズ検出撮像波形の処理後にフィルタ係数を更新するフィルタ更新アルゴリズム５６０によって制御される。上記実施形態（図２Ｂと図３Ｂ）と同様に、図４に示すように、入力波形は撮像バンドパスフィルタ２００とノイズ検出バンドパスフィルタ４１０によって個別にフィルタリングされ、これによりバンド内撮像波形４３７および少なくとも１つのバンド外ノイズ検出撮像波形（バンド外ノイズ４３８を含む）を生成する。１以上のバンド外ノイズ検出撮像波形は、フィルタ更新アルゴリズム５６０によって処理される。
【０１３４】
フィルタ更新アルゴリズムは、バンド外ノイズを分析し、信号特性を評価する。これは例えば、波形アレイに対してフーリエ変換を実施し、最大スペクトルとこれが生じる周波数を識別することによる。フィルタ更新アルゴリズムは、この情報を用いて、撮像波形をフィルタリングする動的デジタルフィルタ（５５０）の係数を制御できる。
【０１３５】
１実施例において、本方法を用いて、高周波ノイズを含む信号をノイズ抑制できる。例えば高周波ノイズは、周波数ドメインにおいてスペクトルラインの間隔がパルス繰り返し周波数に依拠するスイッチング矩形パルス源から生じる。パルス幅変調源は、３〜４０ＭＨｚバンドのノイズを生成し、イメージングバンドは７〜１３ＭＨｚであり、動的フィルタ５５０はコムフィルタまたは複数ノッチフィルタである。フィルタ更新アルゴリズム５６０は、ノイズ検出バンドからの信号を処理し（例：１５〜２５ＭＨｚにおいて見られるスペクトルライン間隔と位置を評価する）、この情報を用いて動的バンド内フィルタ５５０のストップバンドを制御して、高調波ノイズを除去または抑制できる。
【０１３６】
バンド外ノイズを用いて動的フィルタを更新することに加えて、フィルタ更新アルゴリズム５６０および／または動的フィルタ５５０はオプションとして、バンド内部ノイズ検出撮像波形をプローブして、イメージングバンド内の１以上の選択したサブバンド内におけるバンド内ノイズの存在を、ノイズ除去または抑制の前において確認できる。例えばイメージングバンドが７〜１３ＭＨｚであり、１５ＭＨｚ、１８ＭＨｚ、２１ＭＨｚ、および２４ＭＨｚ（１５〜２５ＭＨｚの整数倍）において高調波ノイズが存在することをフィルタ更新アルゴリズムが認識した場合、フィルタ更新アルゴリズムは、９ＭＨｚと１２ＭＨｚ（イメージングバンド内の３ＭＨｚの整数倍）の信号をフィルタリングするように動的フィルタをセットする。１実施例において、このようなフィルタはオプションとして、９ＭＨｚと１２ＭＨｚの信号がイメージングバンド内の信号に対して想定よりも強い場合のみ適用してもよい。別実施例において、撮像エネルギーが存在しないときノイズ特性識別ステップを実施して、イメージングバンド内に高調波ノイズが存在するか否かを決定してもよい。
【０１３７】
＜実施形態４：パターン認識に基づくノイズ抑制＞
図７Ａと図７Ｂは、パターン認識を用いてノイズを検出しバンド内撮像波形に対してノイズ抑制を実施するノイズ訂正方法の実施例を示す。この実施例において、図７Ａに示すように、検出バンドノイズ特性識別波形（そのうち少なくとも１つは少なくとも一部がイメージングバンド外にある）の合致したパターンセットおよび関連するバンド内ノイズ特性識別波形は、まず受信撮像エネルギーが存在しないノイズ特性識別期間において識別される。ノイズ特性識別ステージを介してノイズ検出パターンをバンド内ノイズパターンと相関付けると、イメージング時にこれら相関関係を用いて、１以上の検出バンド撮像波形のパターン識別に基づき、バンド内撮像波形のノイズ抑制を実施する。
【０１３８】
本方法の第１ステージにしたがって、ノイズ特性識別ステージにおいて、撮像エネルギーが存在しないとき（例えば非撮像ノイズ特性識別ステージにおいて）、イメージングバンド（バンド内）とノイズ検出バンドの両方の内部におけるエネルギーを検出し、これにより、バンド内および検出バンドノイズ特性識別波形の相関する測定結果を取得する。バンド内ノイズ特性識別波形と検出バンドノイズ特性識別波形からのサンプルは、アレイペアとして記録される。アレイペアは、同時記録した、サンプリング後バンド内波形および対応するサンプリング後検出バンドノイズ検出波形のことである。
【０１３９】
検出バンドノイズ特性識別アレイとバンド内ノイズ特性識別アレイは、ウインドウ化してもよい（５６６と５６５）。ウインドウは例えばスライドウインドウであり、オプションとして重なってもよい。オプションとして、ウインドウはピークノイズ振幅周辺に中心を置いてもよいし、あるいはノイズ振幅閾値に対して時間固定してもよい。ウインドウを条件調整して、ウインドウ化によって生じた悪影響を抑制してもよい。これは例えば、ハミングウインドウ、ブラックマンウインドウ、その他信号処理分野においてよく知られているウインドウ関数を適用することによる。アレイデータ（またはそのウインドウ）を処理して、１以上のノイズパターンの存在を識別できる（５７０）。
【０１４０】
図７Ａを参照する。１以上の検出バンドノイズ特性識別アレイを処理して、バンド内ノイズ特性識別波形のパターンに対応する波形パターンを識別する。パターン認識器５７０は、検出バンド特性識別アレイから特徴を抽出し、予測モデルを用いてその特徴をノイズ「分類」へ分類する。抽出した特徴は例えば、時間ドメイン、周波数ドメイン（例：ピーク周波数）、時間−周波数ドメイン（例：ウェーブレット係数）の統計的特徴（分散、標準偏差、パワー、歪度、尖度、を含むが、これに限らない）である。抽出する特徴の選択は、変数増加法や後退選択法などの特徴選択アルゴリズムを用いて、事前にすることができる。
【０１４１】
抽出した特徴はステップ５７０の予測モデルに供給される。予測モデルをトレーニングして、検出バンド波形のパターンを識別し、ノイズ分類にパターンを割り当てることができる。例えば機械学習法を用いて予測モデルをトレーニングし、抽出した特徴を用いて検出バンドノイズ特性識別アレイのパターンを認識できる。予測モデルは、教師なし学習モデル（例えばｋ−ｍｅａｎｓクラスタリング）や教師あり学習モデル（例えば線形分類器、人工ニューラルネットワーク、最近傍分類器）を含むことができる。ノイズ源についての事前情報が既知である場合は、学習モデルを用いることができる。例えば、ノイズ源とノイズパターンのシーケンスは事前に分かる場合があり、ノイズ分類ラベルを検出バンドノイズ特性識別波形の波形パターンに割り当てることができる。ステップ５７０の予測モデルは、入力分類重みや事前確率を受け入れることができる。事前確率または分類重みが高いほど、認識可能性が高くなる。
【０１４２】
ステップ５７５のデータベースは、検出バンドノイズ特性識別波形パターンと同時存在することが分かっているバンド内ノイズ特性識別波形パターンを格納することができる。例えばデータベースは、バンド内ノイズ特性識別波形パターンのサンプルまたは平均を、同時存在する検出バンドノイズ特性識別パターンおよびノイズ分類ラベルとペアにして格納することができる。検出バンドノイズ特性識別波形パターンとその同時存在するバンド内ノイズ特性識別波形パターンは、例えばウインドウごとに決定できる。時間ドメインにおいてさらにノイズ特性識別を実施してもよいし、あるいはステップ２３０と２３１で画像生成した後に空間ドメインにおいて実施してもよい。この場合、空間特徴もステップ５７０で抽出する。データベースはコンピュータが用いる任意の適当なフォーマットでよい。例えばルックアップテーブルでもよい。
【０１４３】
上記ノイズ特性識別ステージを介して検出バンドノイズパターンをバンド内波形ノイズパターンと相関付けると、イメージング時にこれら相関関係を用いて、１以上の検出バンド撮像波形のパターン識別に基づき、バンド内撮像波形のノイズ抑制を実施できる。
【０１４４】
図７Ｂを参照する。トランスデューサが撮像エネルギーを受信している間に撮像トランスデューサ受信チャネルが検出した波形に対して撮像バンドパスフィルタ２００を適用することにより、バンド内撮像波形を取得する。オプションとして包絡線検出２１０を実施する。撮像トランスデューサ受信チャネルが検出した波形に対してノイズ検出バンドパスフィルタ４１０を適用することにより、検出バンド撮像波形を取得する。オプションとして包絡線検出４１１を実施する。検出バンド撮像波形とバンド内撮像波形は、ノイズ特性識別ステージのウインドウ化ステップと同様に、ウインドウ化（５６６と５６５）することができる。波形をサンプリングしてアレイとして提示できる。
【０１４５】
ノイズ特性識別ステージの特徴抽出ステップと同様に、検出バンド撮像アレイ（またはそのウインドウ）から特徴を抽出できる。ノイズ特性識別ステージでトレーニングした（上述）パターン認識器５７０は、抽出した特徴およびオプションとして分類重みを用いて、検出バンド撮像波形内の１以上のパターンの存在を識別する。
【０１４６】
パターン分類アルゴリズム５７０を適用するとともに、ノイズパターンの周期（すなわち繰り返し周波数）を用いて、そのパターン分類（例：ベイズ分類器）の事前確率を調整し、またはその分類の重み（例：サポートベクタマシンのもの）を調整できる。事前確率または分類の重みが高くなれば、認識される可能性が高くなる。パターンの繰り返し間隔が既知であれば、パターンは高い確率をもって所与の時刻において存在することが期待される。事前確率またはその分類の重みをその時刻において高く調整し、パターン分類器がそのノイズパターンを認識する可能性を高めてもよい。この繰り返し間隔をノイズ特性識別ステージにおいて決定してデータベース５７８に格納し、または事前格納データベース（ローカル、ネットワーク、クラウドストレージ）に読み出してもよい。
【０１４７】
１以上のノイズ分類と対応しているものとしてステップ５７０において識別した検出バンド撮像波形のパターンを用いて、バンド内撮像波形（例：バンド内撮像アレイ）に対するノイズ訂正を生成する。これら訂正はステップ５７５における相関するバンド内パターンを発見することに基づき生成することができ、検出バンドノイズ特性識別波形パターン、バンド内ノイズ特性識別波形パターンとノイズ分類ラベルの特徴の合致セット、およびノイズ分類ラベルは、検索可能データベースまたはその他分類機構に格納される。
【０１４８】
図７Ｂの方法例において、バンド内ノイズ訂正をウインドウごとに生成し、ウインドウごとにバンド内撮像波形５２５から減算する。オプションとしてこれは、データベース５７５その他分類機構からバンド内波形とともに取得したバンド内ノイズパターンを時間的に揃える、遅延および／または振幅調整および／または形状調整５１０の後である。
【０１４９】
１実施例において、ノイズ特性識別ステージにおいて（受信撮像エネルギーが存在しない）、検出バンドノイズ特性識別アレイをまず処理して、１以上の特徴を抽出し格納する。所与のノイズパターンを検出する時間間隔も、このステージにおいて決定して格納することができる（５７８）。バンド内ノイズ特性識別アレイの対応する相関時間パターンも格納する（５７５）（例えばルックアップテーブルに格納する）。
【０１５０】
本例によれば、ノイズ除去を実施する撮像ステージにおいて、１以上の検出バンド撮像波形の検出バンド撮像アレイは大部分がノイズを含み、同じ特徴抽出プロセスを介して処理される。重みベクトル（各ノイズ分類パターンに対して重みまたは事前確率を割り当てる）をオプションとして取得してもよい。各パターンの繰り返し周波数は、ノイズ特性識別ステージにおいて生成したデータベース５７８から、または事前格納データベースから読み出すことができる。各分類の重みは、そのパターンの繰り返し周波数、そのパターンを以前検出した時刻、およびそのパターンを以前検出した確度に依拠するように、動的調整できる。検出バンド撮像波形から抽出した特徴（およびオプションとして分類重み）をトレーニング済み予測モデル（ノイズ特性識別ステージにおいてトレーニングしたもの）に対して供給する。予測モデルは、検出バンド撮像波形内のノイズパターンを識別し、これに分類を割り当てる。ノイズ分類の対応する相関バンド内ノイズパターンをデータベース５７５から取得する。データベース５７５は例えば、ノイズ特性識別ステージにおいて、各ノイズ分類についてバンド内ノイズ波形パターンおよび検出バンド波形パターンの特徴を格納する（例：ルックアップテーブルに格納されたバンド内時間波形）。分類比較から抽出したバンド内ノイズ波形パターンは例えば、現在のノイズ分類の全ての同時存在バンド内ノイズパターンの平均であり、または、同時存在する検出バンドパターン特徴が現在の検出バンド撮像アレイの特徴と最も近いバンド内ノイズパターン（例えば最近傍計算によって決定したもの）である。この同時存在パターンは、振幅と遅延の調整後において入力から減算され、これによりノイズ抑制したバンド内撮像波形を取得する。
【０１５１】
図７Ａと図７Ｂは、パターン認識器５７０に対する入力を導く単一の検出バンドパスフィルタ４１０によって、単一の検出バンド波形（少なくとも一部のエネルギーがイメージングバンドを超えている）を生成する実施例を示す。これに代えて、複数の検出バンドパスフィルタ（少なくとも１つの検出バンド波形がバンド外であるもの）によって、複数の検出バンド波形を生成してもよい。
【０１５２】
バンド外ノイズを搬送する少なくとも１つの検出バンド波形に加えて、１以上の検出バンド波形もイメージングバンドの全部または一部においてノイズを搬送する場合がある（すなわちバンド内部ノイズ検出波形）。このようなバンド内部データは、バンド外ノイズ検出波形が予測したノイズがイメージングバンド内に実際に存在する（ノイズ特性識別ステージまたはイメージング時）ことをパターン認識器５７０が確認するに際して有用である。
【０１５３】
例えばパターン認識器は、バンド内部ノイズ検出撮像波形を用いて、ノイズ源を識別できる。例えばイメージングバンドのサブバンドがイメージングバンドの１以上のその他サブバンドと実質的に異なる場合、またはイメージングバンド内のネットエネルギーと実質的に異なる場合、イメージングサブバンドと対応するノイズ源を識別できる。例えば中心８ＭＨｚのピークフィルタを用いて、７〜１３ＭＨｚのイメージングバンド内のバンド内部ノイズ検出波形を取得でき、通過バンド１５〜２５ＭＨｚの検出バンドパスフィルタを用いて、バンド外ノイズ検出波形を取得できる。８ＭＨｚバンド内部ノイズ検出波形が、１５〜２５ＭＨｚのバンド外ノイズ検出波形のエネルギーに対して増加するエネルギーを検出した場合、パターン認識器はその重みを調整して特定のノイズ源（すなわちノイズ分類）を検出できる。イメージングバンドのバンド外の情報にのみ依拠している場合、システムは、データベース５７３から相関バンド内ノイズパターンを選択して、その８ＭＨｚピークを除去できる。
【０１５４】
上記実施例は、生信号または包絡線処理した信号の時間パターンを検出する文脈で説明したが、上記アルゴリズムは画像データを用いる実施例にも適用できることを理解されたい。例えば画像データ（例：Ｂモード画像データ）を処理して、時間ドメイン（例：ＲＦまたは包絡線検出）信号を処理することに代えて、空間ノイズパターンを判定できる。これら代替実施形態を図７Ｂの点線で示しており、デシメーション（２２０と２２１）およびＢモード画像ライン生成（２３０と２３１）を５７０と５７５の前に実施する。
【０１５５】
これに代えて、空間ドメインにおいて画像を処理するとき、２Ｄ画像ウインドウを用いて空間パターンを検出できる。例えばＢモード画像データである。Ｂモードデータにおいて、空間ドメイン（例：グレイレベル同時生起行列）、周波数ドメイン（例：フーリエスペクトル測定）、または空間周波数ドメイン（例：２Ｄウェーブレット係数のエネルギー）でテクスチャ特徴を抽出する。
【０１５６】
図７Ｄを参照する。イメージング時にパターン認識を実施するとき図７Ｂの検出バンド撮像波形に代えて基準ノイズ検出波形を用いる別実施例を示す。同様に図７Ｃにおいて、撮像信号が存在しないとき実施する初期パターン認識ステージにおいて、基準ノイズ特性識別波形を用いる。したがって図７Ａと図７Ｂに示す上記アルゴリズムまたは方式は、検出バンドノイズ特性識別波形（および対応するアレイ測定）を基準ノイズ特性識別波形（図７Ｃに示すもの）と置き換え、検出バンド撮像波形（および対応するアレイ測定）を基準ノイズ検出波形（図７Ｄに示すもの）と置き換えることにより、本実施例のように調整される。
【０１５７】
＜実施形態５：相対エネルギー測定に基づくノイズ抑制＞
本実施例において、１以上の検出バンド撮像波形（そのうち少なくとも１つはバンド外撮像波形）からの測定結果にしたがって評価した条件に基づき、バンド内撮像波形のウインドウ部分を選択的に減衰させることにより、ノイズ抑制を実施する。減衰は例えば、導出した減算値をウインドウ化バンド内撮像波形の包絡線から減算すること、および／または、ウインドウ化バンド内撮像波形またはその包絡線を減衰係数と乗算することである。減算値および／または減衰係数は、ノイズ検出撮像波形または基準ノイズ検出波形の測定結果から決定される。
【０１５８】
本例の第１ステージにしたがって、ノイズ特性識別ステージにおいて、撮像エネルギーが存在しないとき（例えば非撮像ノイズ特性識別ステージにおいて）、イメージングバンド（バンド内）とノイズ検出バンドの両方におけるエネルギーを検出し、これによりバンド内ノイズと検出バンドノイズの相関測定結果を取得する。少なくとも１つのノイズ検出バンドはバンド外である。バンド内ノイズ特性識別波形と検出バンドノイズ特性識別波形のサンプルは、アレイペアとして記録される。アレイペアは、同時記録した、サンプリング後バンド内波形とこれに対応するサンプリング後検出バンド波形のことである。
【０１５９】
オプションとして、ノイズ特性識別ステージは別ステージを含むこともできる。これをベースラインノイズ特性識別ステージと呼び、撮像トランスデューサ受信チャネルが撮像エネルギーとノイズエネルギーを受信していないことが既知または予測できる場合に実施する。図６Ａに示すように、撮像エネルギーとノイズエネルギーを受信していないとき撮像トランスデューサ受信チャネル１３から検出した入力波形に対して撮像バンドパスフィルタ２００を適用することにより（オプションとしてフィルタリング後波形の包絡線を検出（２１０）することにより）、バンド内ベースラインノイズ特性識別アレイを取得できる。検出バンドベースラインノイズ特性識別アレイは、撮像トランスデューサ受信チャネル１３からの入力波形に対して検出バンドフィルタ４１０を適用することにより（オプションとしてフィルタリング後波形の包絡線を検出（４１１）することにより）、取得できる。バンド内ベースラインノイズ特性識別アレイと検出バンドベースラインノイズ特性識別アレイは、撮像エネルギーとノイズエネルギーが存在しないとき測定され、それぞれＧｉとＧｎとして表す。所与のアレイペアはオプションとして、図６Ａの５６５と５６６に示すように、複数の時間ウインドウにしたがってセグメント化して、ウインドウアレイペア（ＧｉｗとＧｎｗ）を取得できる。ウインドウは例えばスライドウインドウであり、オプションとして隣接ウインドウと重なる。ベースラインノイズ特性識別ステージにおいて、ウインドウごとのエネルギー測定結果から１以上のノイズ測定結果を計算することができる。例えばウインドウ化バンド内ベースラインノイズ特性識別アレイ内の最大パワーをＴｉとして示す。同様にウインドウ化バンド外ベースラインノイズ特性識別アレイ内の最大パワーをＴｎとして示す。
【０１６０】
ノイズ特性識別ステージは、撮像トランスデューサ受信回路が撮像エネルギーを受信していないがノイズエネルギーを受信していると想定されるステージを含む。図６Ａを参照する。撮像エネルギーを受信していないとき、撮像トランスデューサ受信チャネル１３からの入力波形に対して撮像バンドパスフィルタ２００を適用することにより（オプションとしてフィルタリング後波形の包絡線を検出（２１０）することにより）、バンド内ノイズ特性識別アレイ４０７を取得できる。撮像トランスデューサ受信チャネル１３からの入力波形に対してノイズ検出バンドフィルタ４１０を適用することにより（オプションとしてフィルタリング後波形の包絡線を検出（４１１）することにより）、検出バンドノイズ特性識別アレイを取得できる。バンド内ノイズ特性識別アレイ４０７と検出バンドノイズ特性識別アレイ４０８は、撮像エネルギーが存在しないとき測定され、それぞれＣｉとＣｎとして示す（図６Ａに示すように）。
【０１６１】
複数の時間ウインドウにしたがって、図６Ａの５６５と５６６に示すように、所与のアレイペアをオプションとしてセグメント化して、ウインドウ化アレイペア（ＣｉｗとＣｎｗとして示す）を取得できる。ウインドウは例えばスライドウインドウであり、オプションとして隣接ウインドウと重なる。別例においてウインドウは、１以上の検出バンドおよび／またはイメージングバンドのノイズ波形のピーク振幅周辺に中心周波数がある。別例において時間ウインドウは、１以上の検出バンドおよび／またはイメージングバンドのノイズ振幅が規定閾値を超えているとき判定したノイズ出現に時間固定されている。例えば閾値は、ベースラインノイズ特性識別ステージにおいて取得したパラメータＴｎおよび／またはＴｉに比例する。
【０１６２】
バンド内および検出バンドノイズ特性識別アレイペアＣｉｗとＣｎｗを処理して、各時間ウインドウのイメージングバンドとノイズ検出バンドのエネルギーに対応する１以上の測定結果を取得し、これにより２つのバンド内のノイズの相対強度を特性識別する。例えば図６Ａに示すように、ウインドウＣｉｗとＣｎｗの各ペアについて、イメージングバンドのパワーとノイズ検出バンドのパワーを計算する（５７０と５７２）。
【０１６３】
ノイズ特性識別測定結果はオプションとして、選択したウインドウからのみ計算してもよい。選択条件は、バンド内エネルギー測定結果およびオプションとして検出バンドエネルギー測定結果にしたがって評価することができる。例えばバンド内パワーが規定閾値を超えるウインドウのみが、ノイズ特性識別測定結果を取得するために選択される（図６Ｂに示す）。閾値は、ベースラインノイズ特性識別ステージにおいて取得したＴｉに比例する。別例において、バンド外パワーが規定閾値を超えるウインドウのみが、ノイズ特性識別測定結果を取得するために選択される。閾値は、ベースラインノイズ特性識別ステージにおいて取得したＴｎから導出してもよい。
【０１６４】
上記例において、最大値と最小値は上限および下限パーセンタイル、あるいは真の最大値と最小値のことであることを理解されたい。例えば９８パーセンタイルと２パーセンタイルは、最大値と最小値の代わりに使用できる。その他の統計的閾値（例えば９５と５パーセンタイル、９０と１０パーセンタイル、８０と２０パーセンタイル、その他）を用いて、特性識別のために最大値と最小値を表すこともできる。
【０１６５】
ノイズ特性識別ステージにおけるウインドウごとのエネルギー測定結果から、１以上のノイズ測定結果を計算し、これを用いて、ノイズ源が存在するときにおけるイメージングバンドのパワーと検出バンドのパワーとの間の関係を定義することができる。例えばバンド内および検出バンドパワー値の１以上のペアを、区分線形関数を生成するための変曲点として選択して、ノイズ源が存在するときにおけるイメージングバンドのパワーと検出バンドのパワーとの間の関係を定義することができる（図６Ｂに示す）。
【０１６６】
１例において、ノイズ源が存在するときにおけるバンド内パワーと検出バンドパワーとの間の関係を定義する区分線形関数は、ノイズ特性識別ステージにおける最大パワーと最小パワーに基づき生成することができる（図６Ｂに示す）。ノイズ特性識別ステージからの最大および最小バンド内パワー値を評価し（例：絶対最大／最小値または統計的測定結果を用いて）、それぞれＰｉｍｉｎとＰｉｍａｘとして示す。１実施例において、バンド内パワーがＰｉｍｉｎに対して事前選択範囲内（例：パーセンタイル範囲）であるウインドウセットを識別し、識別したウインドウセットのなかから、最小検出バンドパワーをＰｎｍｉｎとして選択する。同様に、バンド内パワーがＰｉｍａｘに対して事前選択範囲内であるウインドウセットを識別し、識別したウインドウセットのなかから、最小検出バンドパワーをＰｎｍａｘとして選択する。パワーペア（Ｐｎｍｉｎ，Ｐｉｍｉｎ）と（Ｐｎｍａｘ，Ｐｉｍａｘ）を用いて、バンド内パワーと検出バンドパワーとの間の推定関係を定義する関数をフィッティングできる。実施例は、バンド内パワーと検出バンドパワーを選択して適切なフィッティング点を提供し、および／または、バンド内パワーと検出バンドパワーとの間の関数関係を提供するための非限定的１例に過ぎず、その他方法を使用できることを理解されたい。
【０１６７】
オプションとして、バンド内ノイズ特性識別波形のパワーの、検出バンドノイズ特性識別波形のパワーに対する比は、ウインドウごとに計算することができ、複数ウインドウ間の最大比Ｒｏｆｆ（この量の使用例は、イメージング時にノイズ訂正を適用するか否かを決定するときのものであり、以下で説明する）を取得できる。
【０１６８】
バンド内ノイズ特性識別波形（Ｐｉ）のパワーと、検出バンドノイズ特性識別波形（Ｐｎ）のパワーとの間の１以上の関係ｆ（ｐｎ）を取得できる。例えば図６Ｂに示すように、ｆ（Ｐｎ）は、勾配、切片、および／または変曲点が、ノイズ特性識別ステージにおいて計算した（Ｐｎｍｉｎ，Ｐｉｍｉｎ）と（Ｐｎｍａｘ，Ｐｉｍａｘ）によって定義される、区分線形関数である。別例においてｆ（Ｐｎ）は、非線形多項式または線形多項式と非線形多項式の１以上の組み合わせである。別例においてｆ（）は、１以上のＰｎ値の範囲について定義した値セットである。例えばｆ（Ｐｎ）は、ａ１≦Ｐｎ＜ａ２においてはＰｉａであり、ｂ１≦Ｐｎ＜ｂ２においてはＰｉｂであり、以下同様である。［ａ１，ａ２］と［ｂ１，ｂ２］はＰｎの重ならない区間である。パワーがａ１とａ２の間にある検出バンドノイズ特性識別アレイのウインドウセットを識別し、対応するバンド内ノイズ特性識別アレイのウインドウを用いて、区間［ａ１、ａ２］のＰｉａを決定できる。例えばＰｉａは、検出バンドパワーＰｎが区間［ａ１，ａ２］内にある全ウインドウのバンド内パワー測定結果から計算した代表パワー値（例えば最大、最小、平均、中央、その他の統計値）である。
【０１６９】
ノイズ特性識別ステージにおいて取得したノイズ測定結果を用いて、イメージング時に取得したバンド内撮像波形のノイズ抑制を実施できる（図６Ｃと図６Ｄに示す）。入力波形はフィルタリングされ（２００と４１０）、オプションとして包絡線検出した後（２１０と４１１）、バンド内撮像波形４０７と検出バンド撮像波形４０８を提供する。波形をサンプリングして、バンド内撮像アレイと検出バンド撮像アレイを取得する。
【０１７０】
本実施例において、用語「バンド内撮像アレイ」は、サンプリングしたバンド内撮像波形のことである。用語「検出バンド撮像アレイ」は、サンプリングした検出バンド撮像波形のことである。アレイセットを記録し、各アレイはそれぞれ所与のスキャンラインに対応する。例えば第１バンド内撮像アレイは第１スキャンラインに対応し、第２バンド内撮像アレイは第２スキャンラインに対応し、などである。バンド内および検出バンド撮像アレイは、それぞれＱｉθとＱｎθとして示す。θは、所与の取得期間（例えば１つのスキャンラインに対応する）を識別するインデックスである。
【０１７１】
図６Ｃの５６５と５６６に示すように、特性識別ステージにおいてノイズ特性識別アレイをウインドウ化する際に用いたものと同じウインドウ特性を用いて、アレイをウインドウ化することができる。バンド内撮像アレイと検出バンド撮像アレイは、ウインドウにしたがって時間的にセグメント化され、それぞれＱｉθ，ｗとＱｎθ，ｗとして示す。符号ｗはウインドウ番号を示す整数である。例えばＱｉ１，１０は、１番目のスキャンラインに対応するバンド内撮像アレイの１０番目のウインドウ部分のことである。バンド内撮像アレイと検出バンド撮像アレイの各ウインドウ部分について、パワーあるいはその他適当なエネルギー測定結果を計算する（５７０と５７２）。バンド内および検出バンドパワー値をウインドウごとに計算し、それぞれＰ（Ｑｉθ，ｗ）とＰ（Ｑｎθ，ｗ）として示す。これらエネルギー測定結果を用いて、ノイズ特性識別ステージで取得した測定結果に基づきノイズ抑制する。
【０１７２】
１実施例において、図６Ｃに示すように、バンド内撮像アレイＱｉθ，ｗの包絡線からパワー値を減算（５２５）することにより、ノイズ抑制する。ノイズ検出バンドパワーＰ（Ｑｎθ，ｗ）を用いて、ノイズ特性識別ステージにおいて取得した関数ｆ（）に基づき、バンド内撮像アレイウインドウＱｉθ，ｗのノイズエネルギーＰ＾ｉＮθ，ｗを推定できる。例えばＱｉθ，ｗ内のノイズエネルギーＰ＾ｉＮθ，ｗは、Ｐ＾ｉＮθ，ｗ＝ｆ（Ｐ（Ｑｎθ，ｗ））として推定（５７５）できる。推定したバンド内ノイズＰ＾ｉＮθ，ｗはオプションとして、スケーリング係数β（０≦β≦１）を乗算することによりスケーリングできる。スケーリングした推定ノイズβＰ＾ｉＮθ，ｗをオプションとして、上限値以下にクランプして（例えば０．８×Ｐ（Ｑｉθ，ｗ）、０．９×Ｐ（Ｑｉθ，ｗ）、１．０×Ｐ（Ｑｉθ，ｗ）など、ただしこれに限らない）、減算値を取得できる。Ｑｉθ，ｗの包絡線から減算値を減算（５２５）して、ノイズ抑制波形包絡線を取得する。
【０１７３】
図６Ｄに示す別例において、バンド内撮像アレイＱｉθ，ｗの要素に減衰係数を乗算（５２６）することにより、ノイズ抑制できる。イメージング時において、撮像ウインドウＱｉθ，ｗのバンド内パワーをＰ（Ｑｉθ，ｗ）として計算できる。ノイズ検出バンドパワーＰ（Ｑｎθ，ｗ）を用いて、ノイズ特性識別ステージにおいて取得した関数ｆ（）に基づき、バンド内撮像ウインドウＱｉθ，ｗ内のノイズエネルギーＰ＾ｉＮθ，ｗを推定できる。例えばＱｉθ，ｗ内のノイズエネルギーＰ＾ｉＮθ，ｗは、Ｐ＾ｉＮθ，ｗ＝ｆ（Ｐ（Ｑｎθ，ｗ））として推定（５７５）できる。推定したバンド内ノイズＰ＾ｉＮθ，ｗはオプションとして、スケーリング係数β（０≦β≦１）を乗算することによりスケーリングできる。減衰係数は、［Ｐ（Ｑｉθ，ｗ）−βＰ＾ｉＮθ，ｗ］／Ｐ（Ｑｉθ，ｗ）に対して比例するように選択できる。
【０１７４】
実施例において、スケーリング係数βは０から１までの範囲で選択できる。超音波エネルギーの減衰は撮像エネルギーを経時減少させ、βの決定は波形内のウインドウ深さに依拠する（したがって撮像した組織内の深さに対応する）。パラメータβはオプションとしてユーザ制御してもよい。減衰係数はオプションとして、上限値以下にクランプできる（例えば０．９５、０．９、０．８など、ただしこれに限らない）。これに加えてまたはこれに代えて、減衰係数を下限値以上にクランプできる（例えば０、０．０１、０．０５、０．１など、ただしこれに限らない）。減衰係数をアレイＱｉθ，ｗまたはその包絡線と乗算して、ノイズ抑制アレイを取得できる。
【０１７５】
＜分類固有ノイズ抑制のためのパターン認識＞
ノイズ特性識別ステージにおいて（例えば図６Ａ）、システムはオプションとして、アレイペアＣｎｗとＣｉｗを１以上のカテゴリ（分類と呼ぶ）へグルーピングするように構成できる。図７Ａのステップ５７０のパターン認識器を再度参照する。１以上の検出バンドノイズ特性識別波形をパターン認識器によって処理して、１以上のノイズパターン分類を識別し、識別したノイズパターンに対応する時間ウインドウに対して分類を割り当てることができる。分類ｋに属する検出バンドノイズ特性識別波形のウインドウセットを選択し、｛ｗ＿ｋ｝として示す。セット｛ｗ＿ｋ｝内のウインドウのバンド内およびバンド外パワー測定結果を用いて、上記と同様の方法により、分類ｋ固有の関数関係ｆｋ（）を導出できる。
【０１７６】
システムは、撮像トランスデューサ回路が撮像エネルギーを受信しているときパターン認識器を用いてノイズパターンを識別するように、構成できる。図７Ｂのステップ５７０で説明したものと同様の方法を用いて、１以上の検出バンド撮像波形をパターン認識器によって処理して、１以上のノイズパターン分類を識別し、識別したノイズパターンに対応する時間ウインドウに対して分類を割り当てることができる。推定バンド内ノイズパワーは、識別した分類固有の関数関係ｆ（）から導出できる。例えば分類１に属するウインドウについて、関数ｆ１（）を用いて、推定バンド内ノイズ（すなわちＰ＾ｉＮθ，ｗ＝ｆ１（Ｐ（Ｑｎθ，ｗ）））を導出できる。同様に分類２に属するウインドウについて、関数ｆ２（）を用いて推定バンド内ノイズを導出できる。ｆ１（）、ｆ２（）、ｆ３（）、などはノイズ特性識別ステージにおいて取得したものである。先述のように、バンド内撮像波形のウインドウＱｉθ，ｗ内のノイズは、Ｑｉθ，ｗの包絡線から減算値を減算することにより、または減衰係数とＱｉθ，ｗを乗算することにより、抑制できる。減算値または減衰係数は、Ｐ＾ｉＮθ，ｗから導出される。具体例として、パターン認識器が分類１として分類したノイズは電気解剖マッピングシステムからのものであり、分類２として分類したノイズはアブレーションエネルギー生成器からのものである。したがって、ノイズがマッピングシステムから到着したことをシステムが認識したとき、ノイズ検出バンドのパワーに基づき、ｆ１（）を用いて、電気解剖マッピングシステムが生成したバンド内ノイズを推定できる。またノイズがアブレーション生成器から到着したことをシステムが認識したとき、ノイズ検出バンドのパワーに基づき、ｆ２（）を用いて、アブレーション生成器が生成したバンド内ノイズを推定できる。
【０１７７】
別例において、ノイズ出力するシステムを監視して、ノイズ推定および抑制のために用いる関数関係を決定してもよい。例えばアブレーション生成器の制御を監視して、アブレーション生成器がエネルギー（およびノイズ）を生成しているときバイナリゲート信号を有効化するようにしてもよい。このゲート信号を用いて、バンド内ノイズ推定のために関数ｆ２（）を用いるべき時間期間を決定できる。
【０１７８】
＜ノイズ抑制の選択的実施＞
エネルギー測定結果をオプションとして用いて、バンド内撮像アレイが低信号対ノイズ比となっているか否かを推定できる。換言するとエネルギー測定結果を用いて、ウインドウをノイズ抑制訂正するか否かに分類できる（減衰係数の減算または乗算を介して）。
【０１７９】
１実施例において、ウインドウｗに対してノイズ抑制訂正を適用するか否かについての決定は、ノイズ検出バンドにおいて検出したパワーに基づき実施できる。Ｐ（Ｑｎθ，ｗ）が規定閾値を超えた場合、ノイズ訂正はＱｉθ，ｗに対して適用される。閾値はノイズ特性識別ステージにおいて取得できる。
【０１８０】
別例において、所与のウインドウに対してノイズ抑制訂正を適用するか否かについての決定は、イメージングバンドパワーのノイズ検出バンドパワーに対する比率に基づき実施できる。例えばノイズ特性識別ステージにおいて、バンド内ノイズ特性識別アレイと検出バンドノイズ特性識別アレイのペアの各ウインドウについて、イメージングバンドパワーの検出バンドパワーに対する比を取得する。全ウインドウ間の代表最大比（ＲＯｆｆ）は、上述のように撮像トランスデューサ受信回路が撮像エネルギーを受信しているときノイズ抑制訂正を適用するか否かを決定する閾値として用いることができる。
【０１８１】
バンド内撮像波形のウインドウｗに対してノイズ抑制訂正を適用するか否かについての決定は、イメージングバンドパワーのノイズ検出バンドパワーに対する比率（ＲＯｎｗ）に基づき実施できる。１実施例においてＲＯｎｗをγＲＯｆｆと比較する。γは緩和パラメータであり、ＲＯｆｆはノイズ特性識別ステージにおいて計算した代表最大比である。ＲＯｎｗがγＲＯｆｆよりも大きい場合、バンド内信号の信号対ノイズ比は十分大きいと推定され、ノイズ抑制訂正は適用されない。反対にＲＯｎｗがγＲＯｆｆ以下である場合、信号対ノイズ比は十分小さいと推定され、ノイズ抑制訂正を適用する。
【０１８２】
γの値を用いて、信号対ノイズ比の感度を調整し、場合によってはγの値を、信号の弱い部分が抑制される場合における調整係数として用いることができる。γの値を低くするとノイズ抑制を適用するための閾値を低くすることになり、これによりノイズ抑制するウインドウ数を抑制し、最終出力においてより多くの撮像エネルギー（およびノイズ）を残すことができる。
【０１８３】
実施例において、γはゼロと単位値との間で選択できる。超音波においては超音波エネルギーの減衰により撮像エネルギーが経時減少し、γの決定は波形内のウインドウ深さ（すなわち撮像する組織内の深さ）に依拠する。パラメータγはオプションとしてユーザ制御してもよい。例えば画像の組織その他の構造物が不要または過剰に減衰する場合において、ユーザはこのパラメータ値を減少させて、ノイズ抑制の効果を弱めることができる。
【０１８４】
ノイズ抑制のために特定されたウインドウにおいて、任意の適当なノイズ除去方法またはノイズ抑制方法を用いて、ウインドウ内のバンド内撮像アレイのノイズを抑制できる。様々なノイズ抑制訂正を適用できることを理解されたい。例えば図６Ｃに示す減算訂正、および／または図６Ｄに示す減衰係数の乗算が挙げられるが、これに限らない。
【０１８５】
ノイズ抑制は、ウインドウごとに誤ったノイズ除去をもたらす可能性がある。例えば撮像エネルギー量が小さいウインドウは、ウインドウ内の信号対ノイズ比を誤って低く判定する（すなわちウインドウ分類を誤る）ことに基づくノイズ抑制によって、悪影響を受ける可能性がある。これにより、画像の周辺均一領域において小さい画像「穴」が生じ、あるいは画像の周辺低ノイズ領域において残ノイズピクセルが生じる可能性がある。１実施例において、ノイズ抑制に適していると判定されたウインドウが実際にそのプロセスを適用すべきか否かを、隣接ウインドウ（すなわち空間的隣接）の状態を用いて判定できる。所与のウインドウがノイズ抑制に適しているとして上記方法によって判定された場合、１以上の隣接アレイ（すなわち隣接スキャンラインに対応するアレイ）における隣接ウインドウを用いて、その所与ウインドウの減衰係数によってノイズ抑制を実施すべきか否かを評価できる。
【０１８６】
例えば所与のスキャンラインについて、所与のウインドウがノイズ抑制に適していないと判定され、さらに１以上の隣接ウインドウがノイズ抑制に適していると判定された場合、ウインドウは分類ミス可能性ありとしてフラグ付与できる。所与ウインドウの状態は上書可能であり、所与ウインドウはノイズ抑制に適しているものとして特定され、その所与ウインドウに対してノイズ抑制を適用する。反対に、所与ウインドウがノイズ抑制に適していると判定され、隣接アレイ内の隣接ウインドウがノイズ抑制に適していないと判定された場合、所与ウインドウの状態についての初期判定を上書して、所与ウインドウはノイズ抑制に適しておらず分類ミス可能性ありとしてフラグ付与される。分類ミスウインドウのサンプルは、１以上のノイズなし隣接ウインドウのサンプルによって置き換えることができる（すなわち、上記方法にしたがってノイズ抑制に適していないと判定された隣接ウインドウのサンプルによって置き換えるかまたは補間される）。これはオプションとして、遅延および振幅調整を実施した後になされる。
【０１８７】
図６Ｅはこの方法の実装例を示す。隣接アレイ内の隣接ウインドウを調べて、現ウインドウの分類が隣接アレイ内の周辺ウインドウと整合するか否かを判定する。主にノイズを含むものとして分類された（マーク「Ｎ」）２つのウインドウ（アレイ２、ウインドウ４と５）は、十分高い信号対ノイズ比を有するものとして分類されたウインドウ（マーク「Ｓ」）によって囲まれているので、図６Ｆに示すように、２つの「Ｎ」ウインドウは隣接する「Ｓ」ウインドウのサンプルで置き換えられ（例えばコピーまたは振幅調整および／または形状調整による補間によって）、ノイズ推定によるノイズ抑制はこれらウインドウに対して実施されない。この実施例は、所与ウインドウの状態を確認するとき、アレイの両側の２つの隣接ウインドウを用いているが、その他実施形態において任意個数のウインドウを用いてもよい。
【０１８８】
所与ウインドウの分類を変更すべきか否か評価するとき、所与ウインドウ前後の１以上の時間的隣接ウインドウを用いることもできる。例えば図６Ｅにおいて、アレイ５のウインドウ４は最初に「Ｓ」マークされており、図６Ｆにおいては「Ｎ」に再分類されている。アレイの先行および後続ウインドウが「Ｎ」マークされているからである。
【０１８９】
この実施例は画像処理前に信号処理しているが、この実施例は、時間ドメイン信号の処理ではなく画像データ処理に適用できる。例えば、複数の隣接スキャンラインを表す複数のバンド内画像アレイと検出バンド画像アレイを取得し、事後処理によってバンド内画像と検出バンド画像のフレームを取得できる。バンド内および検出バンド画像ピクセルを、それぞれＢｉθ，ｄとＢｎθ，ｄとして表す。θはスキャンラインを表し、ｄは深さを表す。検出バンド画像を用いて、バンド内画像の各ピクセルの減衰（すなわち減算または乗算するもの）値を評価できる。これら減衰値は、検出バンド画像内の対応するピクセルからピクセルごとに取得でき（すなわちＢｎθ，ｄにおける値を用いてＢｉθ，ｄにおけるピクセル強度を減衰できる）、あるいはバンド内画像ピクセルの局所空間隣接位置に対応する検出バンド画像内の関心領域を処理することにより取得できる（例：Ｂｎθ，ｄ周辺の３×３隣接位置の値（例：極座標またはカルテシアン座標）を用いて、Ｂｉθ，ｄにおけるピクセル強度を減衰できる）。
【０１９０】
図６Ｇ、６Ｈ、６Ｊを参照する。ノイズ特性識別実施時に基準受信チャネルを用いる別実施例（図６Ｇ）、イメージング時にノイズ抑制するための適当な減算値を決定する別実施例（図６Ｈ）と減衰係数を決定する別実施例（図６Ｊ）を示す。図６Ｇにおいて、ノイズ特性識別実施時に、図６Ａの検出バンドノイズ特性識別波形に代えて基準ノイズ特性識別波形４０９を用いる。基準チャネルフィルタは例えばイメージングバンドパスフィルタである。これに代えて、バンド外ノイズの入力からノイズ推定を実施する場合、基準チャネルフィルタはイメージングバンドパスフィルタではない。図６Ｈにおいて、図６Ｂの検出バンド撮像波形に代えて基準ノイズ検出波形４３９を用いて、減算値を決定し、減算によってノイズ抑制を適用する。同様に図６Ｉにおいて、図６Ｂの検出バンド撮像波形に代えて基準ノイズ検出波形４３９を用いて、ノイズ抑制のための減衰係数を決定し適用する。したがって図６Ａから図６Ｆの方法は、検出バンドノイズ特性識別波形４０８（および対応するパワー測定結果）を図６Ｇの基準ノイズ特性識別波形４０９と置き換えることにより、および検出バンド撮像波形４３８（および対応するアレイとパワー測定結果）を図６Ｈと図６Ｉに示す基準ノイズ検出波形４３９と置き換えることにより、この実施例に対して適用できる。
【０１９１】
＜実施形態６：疑似周期ノイズ源のノイズ抑制＞
本実施例において、バンド内ノイズを推定し減算することにより、ノイズ抑制を実施する。ノイズは、疑似周期ノイズ源またはノイズ源の疑似周期シーケンスから生じるものと想定する。バンド内ノイズは、撮像トランスデューサ受信回路が撮像エネルギーを受信していないとき、ノイズ特性識別ステージにおける測定結果に基づき推定される。
【０１９２】
本実施例の第１ステージにしたがって、撮像エネルギーが存在しないとき（例：超音波トランスデューサが撮像エネルギーを受信していないとき）におけるイメージングバンド内およびノイズ検出バンド内の波形を検出およびサンプリングし、これにより同時存在するバンド内および検出バンド（バンド外）ノイズ特性識別アレイのペアを取得する。
【０１９３】
図８Ａに示すように、撮像トランスデューサ受信チャネル１３から検出した入力波形に対して撮像バンドパスフィルタ２００を適用することにより、さらにオプションとしてフィルタリング後データの包絡線を検出（２１０）することにより、バンド内ノイズ特性識別波形５９０を取得できる。撮像トランスデューサ受信チャネル１３から検出した入力波形（少なくとも１つのノイズ検出バンドは、イメージングバンド外からの信号を含む）に対してノイズ検出バンドパスフィルタ４１０を適用することにより、さらにオプションとしてフィルタリング後データの包絡線を検出（４１１）することにより、検出バンドノイズ特性識別波形５９５を取得できる。バンド内ノイズ特性識別波形と検出バンドノイズ特性識別波形は、撮像エネルギーが存在しないとき測定され、これをサンプリングして、バンド内ノイズ特性識別アレイと検出バンドノイズ特性識別アレイを取得できる。それぞれＣｉとＣｎとして表す。Ｃｉ（およびＣｎ）は、周期ノイズ源の１以上の周期をキャプチャしているものとする。
【０１９４】
ノイズ特性識別ステージにおいてバンド内および検出バンドノイズ特性識別アレイを取得すると、検出バンド特性識別アレイと検出バンド撮像アレイとの間の相関を用いて、バンド内撮像アレイからバンド内特性識別アレイを減算するための調整パラメータを推定できる。
【０１９５】
図８Ｂに示すように、イメージング時において、撮像トランスデューサ受信回路１３からの入力波形はフィルタリング（２００と４１０）され、バンド内撮像波形と検出バンド撮像波形を提供する。これら波形をサンプリング（包絡線検出の前または後）して、バンド内撮像アレイ５３７と検出バンド撮像アレイ５３８を取得する。バンド内および検出バンド撮像アレイは、それぞれＱｉとＱｎとして表す。
【０１９６】
本方法にしたがって、バンド内ノイズ特性識別アレイＣｉを用いてバンド内撮像アレイＱｉからノイズを減算して、各バンド内撮像アレイをノイズ抑制のために処理する。ただし減算によってノイズ抑制を実施するために、バンド内ノイズ特性識別アレイＣｉをバンド内撮像アレイＱｉと時間整列して、ノイズが同時存在するようにする必要がある。この整列は、ノイズ検出バンド内のノイズと相関するイメージングバンドにおいてノイズを生成する周期的ノイズ源の場合において可能である。
【０１９７】
時間整列は例えば、バンド内および検出バンド撮像アレイＱｉとＱｎを複数の時間ウインドウ５６５と５６６へセグメント化することによって実現できる（上記実施例で説明したように）。ウインドウは、周期的ノイズ源の１以上の期間をキャプチャできるように、十分長いことが望ましい。ウインドウにしたがって時間セグメント化された撮像アレイは、ＱｉｗおよびＱｎｗとして表す。符号ｗはウインドウ番号を示す整数である。
【０１９８】
１実施例において、時間整列はウインドウごとに実現できる。本実施例において時間整列は、各ウインドウ内において検出バンドノイズ特性識別アレイＣｎと検出バンド撮像アレイＱｎｗとの間の相互相関を計算することにより、および最大相互相関に対応する相対時間遅延τを選択することにより（５８０）、実現できる。イメージングバンド内のノイズとノイズ検出バンド内のノイズとの間の同時存在関係に起因して、この時間遅延τを適用して、バンド内ノイズ特性識別アレイＣｎをバンド内撮像アレイＱｉｗに対してウインドウごとに整列できる（５１０）。整列したバンド内ノイズ特性識別アレイに対してスケーリング係数を適用することもできる。
【０１９９】
整列後バンド内ノイズ特性識別アレイのウインドウ部（Ｃｉｗとして示す）を、バンド内撮像アレイＱｉｗから減算することにより、ノイズ抑制バンド内撮像アレイＱｉｗが得られる。これはオプションとして、減算後の絶対値をとるかまたは床関数を適用して負値を除去した後に実施する。このプロセスを、ノイズ抑制しようとしている各ウインドウに対して繰り返す。
【０２００】
１実施例において、隣接ウインドウが重なる場合、バンド内撮像アレイＱｉｗからバンド内ノイズ特性識別アレイＣｉｗの整列後ウインドウセグメントを減算するとき、スケーリング係数を適用してもよい。例えば減算（およびオプションとしてモジュロ）は、Ｑｉｗ=Ｑｉｗ−αＣｉｗによって計算できる。αはウインドウ化のスケーリング係数であり、α＝１−βであり、βは重なり係数である。例えばβ＝０．７５のとき、スケーリング係数はα＝０．２５である。この実施例は、減算成分をスケーリングする方法例を説明するために提供するものであり、その他関数形式を採用してもよいことを理解されたい。
【０２０１】
図８Ｃと図８Ｄを参照する。ノイズ特性識別を実施するとき、およびイメージング時にノイズ抑制する際の適切な振幅調整を決定するために、基準受信チャネルを用いる別実施例を示す。図８Ｃにおいて、ノイズ特性識別を実施するとき、図８Ａの検出バンドノイズ特性識別波形５９５に代えて基準ノイズ特性識別波形５９６を用いる。同様に図８Ｄにおいて、図８Ｂの検出バンド撮像波形５９５に代えてフィルタリング後基準ノイズ検出波形４３９を用いて、振幅調整を決定および適用する。したがって、検出バンドノイズ特性識別波形４０８を図８Ｃの基準ノイズ特性識別波形４０９と置き換えることにより、および検出バンド撮像波形４３８（および対応するアレイ）を図８Ｄの基準ノイズ検出波形４３９と置き換えることにより、図８Ａと８Ｂで説明した方法を本実施例に対して適用できる。
【０２０２】
＜実施形態７：スキャンレートを変更することによる複数のスキャンを用いたノイズ抑制＞
システムは、同じスキャンラインからの撮像エネルギーに対応する、または実質的に空間上で重なるスキャンラインと対応する、２以上のバンド内撮像アレイのセットを取得するように構成できる。バンド内撮像アレイセット内の撮像エネルギーは、冗長な時間／深さ依存性を有する。冗長なバンド内撮像アレイを平均する（または最小値を評価するなどのようなその他統計的処理を実施する）ことにより、撮像トランスデューサ受信回路に撮像エネルギーを各スキャンライン上で受信開始させるトリガに対してノイズ自身が時間固定されていなければ、ノイズ抑制できる。例えば撮像超音波トランスデューサを励起する電圧パルスのパルス繰り返し周波数が２００μｓである場合、２μｓごとに繰り返す周期的ノイズは常に、各バンド内撮像アレイにおいて、０μｓ、２μｓ、４μｓ、などの成分を有する。ただしパルス繰り返し周波数が１９９μｓに調整された場合、第１撮像アレイは０μｓ、２μｓ、４μｓ、などのノイズ成分を有し、第２撮像アレイは１μｓ、３μｓ、５μｓ、などのノイズ成分を有する。ノイズは、２つの連続する冗長な残バンド内撮像アレイを平均することにより、さらにオプションとして包絡線検出を実施した後に、抑制できる。
【０２０３】
この実施例において、検出バンド波形（バンド外）のノイズを用いて、１以上のバンド内ノイズ源の周期を判定できる。システムは、スキャンレートを調整することにより、撮像スキャン周期がノイズ源の周期の整数倍とならないようにすることを促される。例えば自動相関関数を用いて、撮像トランスデューサ受信回路が撮像エネルギーを受信している間において、検出バンド撮像波形の周期性を検出できる。これに代えて、１以上のノイズ源の周期は、撮像トランスデューサが撮像エネルギーを受信していないノイズ特性識別ステージにおいて、検出バンドノイズ特性識別波形からまたは基準ノイズ特性識別波形から判定することができ、あるいは事前格納データベースから読み出すことができる。システムは、スキャンレートを調整することにより、撮像スキャン周期がノイズ源の周期の整数倍とならないようにすることを促される。
【０２０４】
最適スキャンレートを決定してスキャンレートを調整すると、複数のスキャンラインから取得したバンド内撮像波形を包絡線検出後にサンプリングして、バンド内撮像アレイのセットを取得する。バンド内撮像アレイをＱｉθとして表す。θはスキャンラインである。バンド内撮像アレイからのサンプルをＱｉθ［ｋ］として表す。ｋ＝１・・Ｋはサンプルインデックスであり、Ｋはアレイ内のサンプル個数である。システムは、隣接スキャンラインに対応する複数のアレイまたは空間的重なりが強いスキャンラインを平均する（または最小値をとるなどその他統計的測定を実施する）ことによりノイズ抑制するように、構成できる。例えばシステムが３つのバンド内撮像アレイをグルーピングするように構成されている場合、サンプルＱｉθ［ｋ］は［Ｑｉθ−１［ｋ］，Ｑｉθ［ｋ］，Ｑｉθ＋１［ｋ］］の平均と置き換えられる。オプションとして、サンプルＱｉθ［ｋ］は、［Ｑｉθ−１［ｋ］，Ｑｉθ［ｋ］，Ｑｉθ＋１［ｋ］］に対してその他数値解析を実施した後、およびサンプルをノイズ抑制するか否かを判定した後、選択的に維持される。例えば［Ｑｉθ−１［ｋ］，Ｑｉθ［ｋ］，Ｑｉθ＋１［ｋ］］において、最小値が最大値の半分よりも大きければ、サンプル値は平均化によってノイズ抑制するほど十分に大きくない可能性があり、したがって変更せず維持される。
【０２０５】
この方式は、周期的ノイズ源が存在するＭＲＩイメージングにおいて有用である。これは、ローカル環境のノイズ源のタイミングや周期性と相関しない時刻においてＲＦ励起パルスが確実に出力されることによる。
【０２０６】
＜別の構成要素：複数スキャンを用いるときノイズ抑制するサンプルを選択する＞
本実施例において、スキャンレートを上記のように調整し、複数の隣接スキャンラインのアレイからの統計的測定（例えば平均や最小値）に基づきバンド内撮像アレイの部分を選択的に置き換えることにより、ノイズ抑制を実施する。スキャン領域において隣接スキャンラインとの重なりが十分多いものとする。検出バンド測定結果を用いてノイズがあると評価したバンド内撮像アレイのセグメントのみを、置き換える。
【０２０７】
図８Ｅに示すように、入力波形をフィルタリング（２００と４１０）してバンド内波形と検出バンド波形を提供し、包絡線検出後にこれらをサンプリングして、バンド内撮像アレイと検出バンド撮像アレイを取得する。
【０２０８】
複数のスキャンラインに対応するデータを、各スキャンラインのアレイセットとして記録する。アレイセットをスキャンラインごとに取得する。各スキャンラインについてイメージングバンド内で１つのバンド内撮像アレイを取得し、各スキャンラインについて少なくとも１つのバンド外撮像アレイを取得する。バンド内および検出バンド撮像アレイは、それぞれＱｉθとＱｎθとして表す。θはスキャンラインである。バンド内撮像アレイと検出バンド撮像アレイからのサンプルは、それぞれＱｉθ［ｋ］とＱｎθ［ｋ］として表す。ｋ＝１・・Ｋはサンプルインデックスであり、Ｋはアレイ内のサンプル個数である。
【０２０９】
検出バンド撮像アレイは複数のウインドウにセグメント化され、それぞれＱｎθのＪ個のサンプルを含む。ウインドウにしたがってセグメント化したアレイは、Ｑｎθ，ｗとして表す。符号ｗはウインドウ番号を表す整数であり、θはスキャンラインを表す整数であり、Ｑｎθ，ｗはサンプル［Ｑｎθ［ｋｗ］，Ｑｎθ［ｋｗ＋１］，・・・Ｑｎθ［ｋｗ＋Ｊ−１］］を含む。ｋｗはウインドウ内の第１サンプルのインデックスである。
【０２１０】
検出バンド内の各ウインドウＱｎθ，ｗは、ノイズ有無について評価される（６００）。ノイズ（例えばピーク、ＲＭＳなどの波形エネルギーの測定結果によって判定する）が閾値を超える場合、ウインドウはノイズ有とみなされる。閾値はノイズ特性識別ステージにおいて選択できる。
【０２１１】
本実施例にしたがって、ノイズ有と分類された各検出バンドアレイウインドウＱｎθ，ｗについて、同時存在するバンド内サンプル（すなわちＱｎθ［ｋｗ］，Ｑｎθ［ｋｗ＋１］，・・・Ｑｎθ［ｋｗ＋Ｊ−１］）は、ノイズ抑制に適したサンプルとして特定される。
【０２１２】
ウインドウが重なるとき、所与サンプルＱｉθ［ｋ］は、２つ以上のウインドウと関連している場合がある。サンプルがノイズ有ウインドウとノイズなしウインドウともに関連する場合が存在する。この場合システムは、サンプルがノイズ抑制に適しているか否かを決定する前に、複数のバンド外ウインドウからのノイズ評価をプーリングするように構成することができる。
【０２１３】
隣接スキャンラインに対応するアレイのサンプル（６１０において計算したもの）からの統計値（例えば複製値、平均、最小、など）を用いて、ノイズ抑制に適しているとみなしたサンプルを置き換える（６２０）。例えばサンプルＱｉθ［ｋ］がノイズ抑制に適しているとみなされ、システムが３つのスキャンラインからのアレイをグルーピングするように構成されている場合、サンプルＱｉθ［ｋ］は［Ｑｉθ−１［ｋ］，Ｑｉθ［ｋ］，Ｑｉθ＋１［ｋ］］の最小値と置き換えられる。
【０２１４】
図８Ｆを参照する。イメージング時にノイズ抑制を実施するとき、図８Ｅの検出バンド撮像波形に代えて基準波形を用いる別実施例を示す。したがって、検出バンド撮像波形（および対応するアレイ）をフィルタリング後基準ノイズ検出波形と置き換えることにより、図８Ｄで説明した上記方法を本実施例に対して適用できる。
【０２１５】
＜時間ドメインｖｓ周波数ドメイン処理＞
以上の実施例は、時間ドメイン処理の文脈で説明した。ただし本明細書の多くの実施例は、１以上のステップにおいて周波数ドメインまたは時間−周波数ドメイン処理を用いることができる。例えば図６Ａと６Ｃのステップ５７０と５７２において、最大パワーとともに、イメージングバンドとノイズ検出バンドの最小パワー比を用いることに代えて、バンド内波形とバンド外波形に対して短時間フーリエ変換またはウェーブレット変換を運動ごとまたはアレイごとに実施できる。変換係数（例：平均、２乗平均、など）の分析を用いて、ノイズが存在するときまたは存在しないとき、ノイズを特性識別しまたはウインドウ検出できる。ノイズ検出したとき、時間ドメインの信号を減衰させることに代えて（５２６）、現ウインドウの変換係数を減衰させることができる。次に、減衰した周波数ドメイン信号に対して逆変換を実施して、ノイズ抑制した時間ドメイン信号を取得できる。
【０２１６】
２つの時間連続波形間で相互相関が必要となる、図２Ａ（ステップ５１０）、図８Ｂ、および図８Ｄ、その他実施形態において、相互相関を効率的に起算するためにフーリエ変換アルゴリズムを用いることができる。
【０２１７】
さらに、図７Ａ〜７Ｄにおいて説明したように、機械学習アルゴリズムを用いて、ステップ５７０においてノイズパターンを分類できる。これらパターンは、周波数ドメインおよび／または時間−周波数ドメインの特性によって定義できる。これらは、時間連続波形の周波数ドメインまたは時間−周波数ドメイン処理を必要とする。
【０２１８】
＜超音波以外への一般化＞
以上の画像ノイズ抑制のためのシステムおよび方法の例は、超音波撮像の文脈で説明したが、本明細書の実施形態は、様々な撮像デバイス、システム、方法に対して適用できることを理解されたい。
【０２１９】
上記実施形態にしたがってノイズ抑制を適用できる撮像システムの別例としては、磁気共鳴撮像システムが挙げられる。図９を参照する。ノイズ抑制する信号を磁気共鳴（ＭＲ）システムから取得する別システム例を示す。本システムは、メイン磁石５２を用いてメイン磁場Ｂ０を生成する磁気共鳴スキャナ５０を有する。メイン磁場Ｂ０は患者６０または被検体において分極を生じさせる。システムは、磁場勾配を生成する勾配コイル５４を有する。受信コイル５８はＭＲ信号を患者６０から検出する。受信コイル５８は送信コイルとして用いることもできる。これに代えて身体コイル５６を用いて、無線周波数（ＲＦ）パルスを出射および／または検出できる。ＲＦパルスはＲＦユニット６５によって生成され、磁場勾配は勾配ユニット７０によって生成される。ＲＦパルスと磁場勾配を用いてＭＲ信号が検出される態様、およびＭＲ画像を再構築する方法は、当該分野の当業者にとって既知である。
【０２２０】
基準受信回路は、スキャナと同室にあるコイルを備えてもよいが、ＭＲＩ信号を出射している撮像サンプル（例えば患者）の直近には配置しない。ＭＲＩマシン近傍を伝搬する電磁ノイズは、撮像受信コイル５８と基準受信回路の両方によって検出される。基準受信回路のコイルは、撮像受信コイルと同じノイズを受信するように配置および方向づけされているが、基準受信回路が検出する撮像エネルギーを無視できるように、撮像サンプルから十分離れている。
【０２２１】
基準受信回路コイルは、撮像受信コイル５８と同じ帯域幅を有するように調整され、あるいは、撮像受信コイルが受信するノイズと相関する環境内ノイズ信号を収集可能な別の帯域幅を有する。
【０２２２】
基準受信回路はさらに、受信コイル群を備える。例えば互いに直交して整列した３つのコイルを備える。これにより、３つのコイルが収集したノイズの重み付け加算が撮像受信コイルにおいて収集したノイズとより厳密に合致するような態様で、電磁ノイズを収集できる。これにより、ＭＲＩ環境における支配的電磁ノイズ源の方向性を考慮できる。
【０２２３】
ＭＲシステムは、明確性のため図示していない別のユニットや部品を有してもよいことを、理解されたい。例えば制御デバイスや入力デバイス、検出デバイス（例えば心臓および／または呼吸同期デバイス）などが挙げられるが、これに限らない。さらに、各ユニットは図示しているような個別ユニットではない態様で実現できる。異なる部品をユニットへ組み込み、あるいは異なるユニットを組み合わせることができる。各ユニット（機能ユニットとして示したもの）は、ハードウェア、ソフトウェア、またはこれらの組み合わせとして設計できる。
【０２２４】
図９に示すシステムにおいて、制御処理ハードウェア１００は、適当なパルスシーケンスにしたがって患者６０の磁気共鳴画像を取得する。制御処理ハードウェア１００は、取得した画像を受信し画像取得を制御する磁気共鳴画像スキャナ５０とのインターフェースを有する。制御処理ハードウェア１００は、ＲＦユニット６５から画像データを受信し、上記方法にしたがって画像データを処理する。
【０２２５】
制御処理ハードウェア１００は、プロセッサが実行したときシステムに上記方法のうちいずれか１以上を実施させる命令セットによってプログラムすることができる。これにより、磁気共鳴撮像システムから取得した信号内のノイズを抑制する。例えば図９に示すように、制御処理ハードウェア１００は、実行可能画像処理モジュールセットの形態の命令によってプログラムすることができる。例えば、パルスシーケンス生成モジュール（図示せず）、画像取得モジュール（図示せず）、画像処理モジュール１４５、ノイズ抑制モジュール１５０が挙げられるが、これに限らない。パルスシーケンス生成モジュール、画像取得モジュール、および画像処理モジュールは、当業者が知っているパルスシーケンス生成、画像取得、および画像再構築アルゴリズムをそれぞれ用いて、実装できる。ＲＦデータはＲＦコイル５６および／または５８から受信され、オプションとして１以上の基準受信コイルから受信される。データをサンプリングおよびフィルタリングして、バンド内波形を取得する。基準受信回路を介した基準波形、または、コイル５６および／または５８からのＲＦをフィルタリングしたノイズ検出バンド波形を、収集する。図２〜図８で説明した１以上のノイズ抑制方法をノイズ抑制のために用いることができる（１００）。パルス生成モジュールは、ＲＦパルスのシーケンスと、所望撮像シーケンスに依拠する磁場勾配を生成する。画像取得モジュールは、コイル５６および／または５８が生データ空間において検出したＭＲ信号を格納する。画像処理モジュール１４５は、取得したノイズ抑制ＲＦデータを処理して、ＭＲＩ画像の画像再構築を実施する。
【０２２６】
撮像信号（基準受信チャネルまたはノイズ検出バンドを介したもの）の帯域幅におけるノイズと相関するノイズを検出できることにより、バンド内ノイズを推定する機能と、撮像信号から推定ノイズを除去することにより撮像信号を改善する機能を提供する。
【０２２７】
これにより、ＭＲＩを環境ノイズからシールドするケージにおけるＳＮＲを改善し、あるいはノイズをより受けやすいオープン／シールドなし環境におけるＭＲＩシステムの動作を改善する。
【０２２８】
＜実施例＞
以下の例は、本開示の実施形態を当業者が理解し実施できるように提示する。これらは本開示の範囲を限定するものとして解釈すべきではなく、説明と例示に過ぎない。
【０２２９】
＜実施例１：減衰係数による未知のノイズ源のノイズ抑制（実施形態５の例）＞
本例は、２つのノイズ源が存在するとき心臓内エコー（ＩＣＥ）システムを用いて超音波データを収集することに関する。トランスデューサは、周波数９ＭＨｚにおいて超音波エネルギーを検出するように構成した。２つのバンドパスフィルタを並列で用いて、無線周波数（ＲＦ）信号をイメージングバンド７〜１３ＭＨｚと、出射超音波の周波数範囲を超える１５〜２５ＭＨｚのノイズ検出バンドとへ分離した。
【０２３０】
第１ノイズ源は、電気解剖マッピングシステムである（Ｃａｒｔｏ（登録商標）３）。システムは電磁トラッキングモジュールとインピーダンスベーストラッキングモジュールを有し、インピーダンスとデバイス位置を推定するためのパッチを患者に取り付ける。これらパッチは、大量のノイズをＩＣＥ画像のイメージングバンドへ連結することができる。本実験において、心臓動態ファントムを生理食塩水槽内で用いた。インピーダンスパッチからの電極を水槽内に浸した。第２ノイズ源は、Ｃａｒｔｏ３コンソールに接続されたアブレーション生成器をＯＮすることによるものである。この第２ノイズ源から生成されたノイズは、生成器がＯＮのとき、Ｃａｒｔｏ３コンソールとパッチ電極を介して、アブレーション生成器から生理食塩水に対して伝搬するノイズであると想定された。
【０２３１】
図１０Ａは、ノイズ源が存在しないとき収集した超音波画像を示す。図１０Ｂと１０Ｃは、第１および第２ノイズ源の影響をそれぞれ画像品質上で示す。
【０２３２】
ＩＣＥコンソールの超音波トランスデューサが検出した超音波波形のノイズ抑制を、図６Ａと６Ｄに示す方法にしたがって実施した。
【０２３３】
本実験の第１ベースラインノイズ特性識別ステージにおいて、受信撮像エネルギーと受信ノイズエネルギーが存在しないとき、イメージングバンド内のエネルギーを検出した。これにより、バンド内ベースラインノイズ特性識別アレイ（Ｇｉとして示す）を取得した。２００ＭＳ／ｓで１２５μｓのバンド内波形をサンプリングすることによって、バンド内ベースラインノイズ特性識別アレイを取得した。スライドおよび重畳ウインドウ（ウインドウサイズ＝６４サンプル、２０％の重なり）を用い、バンド内パワー測定結果を各ウインドウについて計算した。代表最大パワー（全ウインドウの９０パーセンタイル）を計算し、その値を閾値Ｔｉに割り当てた。
【０２３４】
本実験の第２ノイズ特性識別ステージにおいて、受信撮像エネルギーが存在しないとき（すなわちトランスデューサが電圧パルス供給されておらず超音波エネルギーを受信していないとき）、イメージングバンド内とノイズ検出バンド内の両方でエネルギーを検出した。これにより、バンド内ノイズとノイズ検出バンドノイズ（ＣｉとＣｎ）の相関測定結果を取得した。ノイズ検出バンドは、約１５〜２５ＭＨｚの周波数バンドとして構成した。
【０２３５】
ＩＣＥシステムに関する本実施例において、５１２波形（それぞれ期間１２５μｓ、サンプリング２００ＭＳ／ｓ）を取得した。したがって５１２個のバンド内および検出バンドノイズ特性識別波形ペアを用いて、ノイズ特性を推定した。イメージングバンドとノイズ検出バンドの両方について、スライドおよび重畳ウインドウ（ウインドウサイズ＝６４、２０％の重なり）を用い、バンド内および検出バンドノイズ特性識別アレイ（ＣｉｗとＣｎｗ）のウインドウペアを取得した。ｗはウインドウ番号を示す整数である。ＣｉｗとＣｎｗの各ペアについて、イメージングバンドのパワーとノイズ検出バンドのパワーを計算した。バンド内パワーが閾値Ｔｉよりも大きいウインドウのみを、ノイズ特性識別のために選択した。
【０２３６】
ノイズ特性識別において統計的ノイズパワー測定結果を計算した。パワーがバンド内ノイズ特性識別アレイパワー値の９６〜９９パーセンタイルであるバンド内ノイズ特性識別アレイのウインドウセットを選択した。このセット内において、最小値近傍ノイズ検出バンドパワー（セット内の２０パーセンタイル）を有するウインドウをｗ＿ｍａｘとして選択し、パワー値Ｐ（Ｃｎｗ＿ｍａｘ）とＰ（Ｃｉｗ＿ｍａｘ）を計算した（それぞれＰｎｍａｘとＰｉｍａｘとして示す）。同様に、バンド内パワーがバンド内ノイズ特性識別アレイパワー値の１〜５パーセンタイルであるバンド内ノイズ特性識別アレイのウインドウセットを選択した。このセット内において、最小値近傍ノイズ検出バンドパワー（セット内の２０パーセンタイル）を有するウインドウをｗ＿ｍｉｎとして選択し、パワー値Ｐ（Ｃｎｗ＿ｍｉｎ）とＰ（Ｃｉｗ＿ｍｉｎ）を計算した（それぞれＰｎｍｉｎとＰｉｍｉｎとして示す）。
【０２３７】
図６Ｂに示すように、点（Ｐｎｍａｘ，Ｐｉｍａｘ）と点（Ｐｎｍｉｎ，Ｐｉｍｉｎ）を通る直線は、勾配ｍとｙ切片ｃである。緩和パラメータβを単位値としてセットした。関数ｆは以下のように示される：
【数１】
2020508168.tif 000003
Ｐｎｗは検出バンドのパワーである。本実施例は、イメージングバンドと検出バンドとの間の相対パワー関数関係を選択するアルゴリズム例を説明するために提示したものであり、他の件数形式も使用できることを理解されたい。
【０２３８】
関数ｆ（）を用いて、撮像時（すなわち、パルサが周期的に撮像エネルギーを出射しており、トランスデューサ受信回路が超音波エネルギーを受信しているとき）に取得したバンド内撮像波形のノイズ抑制を実施した。
【０２３９】
イメージングバンドとノイズ検出バンドの波形をサンプリングして、バンド内撮像アレイと検出バンド撮像アレイのペア（ＱｉθとＱｎθ）を取得した。θは、スキャンラインに対応する取得期間を識別するインデックスである。ウインドウにしたがって撮像アレイを時間的にセグメント化し、それぞれＱｉθ，ｗとＱｎθ，ｗとして示す。ｗはウインドウ番号を示す整数である。バンド内撮像アレイとバンド外撮像アレイの各ウインドウ部分について、パワーＰ（Ｑｉθ，ｗ）とＰ（Ｑｎθ，ｗ）を計算した（それぞれＰｉθ，ｗとＰｎθ，ｗとして示す）。
【０２４０】
各ウインドウについて、バンド外撮像パワーＰｎθ，ｗを用いて、バンド内撮像ウインドウＱｉθ，ｗ内のノイズエネルギーＰ＾ｉＮθ，ｗを推定した。Ｐ＾ｉＮθ，ｗはｆ（Ｐｎθ，ｗ）として計算した。βを単位値にセットし、ノイズ特性識別ステージにおいてパラメータｍ、ｃ、Ｐｎｍａｘ、Ｐｎｍｉｎを取得した。Ｐ＾ｉＮθ，ｗをＰｉθ，ｗ以下にクランプした。減衰係数を［Ｐｉθ，ｗ−Ｐ＾ｉＮθ，ｗ］／Ｐｉθ，ｗとして計算した。減衰係数を０．０２以上にクランプした。減衰係数をアレイＱｉθ，ｗに乗算して、ノイズ減衰アレイＱｉθ，ｗを取得した。画像生成器（２３０）によって全５１２スキャンラインについてＱｉθを包含して処理した。
【０２４１】
第１および第２ノイズ源が存在するとき、上記アルゴリズムを用いてバンド内撮像波形のノイズを抑制した。図１１Ａと１１Ｂは、第１ノイズ源が存在するとき取得した画像を示す。図１１Ａは本ノイズ抑制アルゴリズムを適用したもの、図１１Ｂはしなかったものである。図１２Ａと１２Ｂは、第２ノイズ源が存在するとき取得した画像を示す。図１２Ａは本ノイズ抑制アルゴリズムを適用したもの、図１２Ｂはしなかったものである。両ケースにおいて、信号対ノイズ比が明らかに改善している（約６ｄＢ改善）。別例として、図１１Ｃ、１１Ｄ、１１Ｅは、第１ノイズ源が存在するとき本ノイズ抑制方法を適用して取得した画像を示す。関数ｆ（）の緩和パラメータβは、０．５（図１１Ｃ）、単位値（図１１Ｄ）、１．５（図１１Ｅ）である。
【０２４２】
＜実施例２：遅延訂正（実施形態６）を用いた周期的ノイズ源のノイズ抑制）
本例において、図８Ａと８Ｂが示す方法にしたがって、ＩＣＥコンソールの超音波トランスデューサが検出した超音波波形のノイズ抑制を実施した。電磁トラッカが存在するとき本例のデータをＩＣＥコンソールで収集した。電磁トラッカの制御ユニットを観察して、超音波画像データ内に疑似周期ノイズパターンを生成した。これを図１３Ａに示す。
【０２４３】
ＩＣＥシステムに関する本実施例において、撮像トランスデューサが撮像エネルギーを受信しておらずｒａｗ／ＲＦモードでデータ収集するとき、１波形（長さ１２５μｓｍサンプリング２００ＭＳ／ｓ）を取得した。
【０２４４】
アレイペア（すなわちサンプリングした波形）としてデータを保存した。第１アレイは、包絡線検出後にサンプリングしたバンド内ノイズ特性識別波形（７〜１３ＭＨｚ）、および、包絡線検出後にサンプリングした１５〜２５ＭＨｚバンドのバンド外ノイズ特性識別波形を含む対応アレイを有する。これらバンド内および検出バンドノイズ特性識別アレイをＣｉとＣｎとして示す。
【０２４５】
バンド内ノイズとバンド外ノイズの相関を用いて、画像データ取得時（すなわち超音波トランスデューサが超音波エネルギーを受信しているとき）にバンド内撮像波形のノイズ抑制を実施した。
【０２４６】
撮像時において、スキャンラインθに対応する複数の取得期間でアレイペアを取得した。各アレイペアについて、イメージングバンド（７〜１３ＭＨｚ）で１つのアレイを取得し、ノイズ検出バンド（１５〜２５ＭＨｚ）で１つのアレイを取得した。各アレイは長さ１２５μｓ、サンプリング２００ＭＳ／ｓである。バンド内撮像アレイとバンド外撮像アレイをそれぞれＱｉθとＱｎθと表し、イメージング時（すなわちトランスデューサが撮像エネルギーを受信しているとき）に測定した。
【０２４７】
バンド内ノイズ特性識別アレイを用いて各バンド内撮像アレイをノイズ抑制のために処理し、バンド内撮像アレイからのノイズを抑制した。
【０２４８】
バンド内およびバンド外撮像アレイＱｉθとＱｎθを複数の時間ウインドウにセグメント化した。本実施例において、ウインドウサイズは８００サンプルであり（本例においてレート２００ＭＳ／ｓで４μｓ）、隣接ウインドウ間で７５％が重なっている。ウインドウにしたがって時間的にセグメント化した撮像アレイを、Ｑｉθ，ｗとＱｎθ，ｗと表す。ｗはウインドウ番号を示す整数である。
【０２４９】
Ｑｎθ，ｗとＣｎとの間の時間整列をウインドウごとに実施した。時間整列は、バンド外ノイズ特性識別アレイＣｎとバンド外撮像アレイＱｎθ，ｗとの間の相互相関を計算し、最大相互相関に対応する相対時間遅延τを選択することによって実現した。バンド内ノイズとバンド外ノイズとの間の相関に起因して、時間遅延τを適用して、バンド内ノイズ特性識別アレイをウインドウ化したバンド内撮像アレイに対して整列した。整列後バンド内ノイズ特性識別アレイをウインドウ化した（Ｃｉｗと表す）。
【０２５０】
バンド内撮像アレイＱｉθ，ｗから減算する前に、バンド内ノイズ特性識別アレイＣｉｗに対してスケーリング係数を適用した。Ｑｉθ，ｗ＝Ｑｉθ，ｗ−αＣｉｗにしたがって、ノイズ抑制バンド内撮像アレイＱｉθ，ｗを計算した。α＝０．２５は、ウインドウ化に対処するスケーリング係数である。負値は０で置き換えた。
【０２５１】
上記方法を用いて、Ａｕｒｏｒａ（商標）電磁トラッキングシステム（Ｎｏｒｔｈｅｒｎ  Ｄｉｇｉｔａｌ  Ｉｎｃ）（ノイズ源として作用する）が存在するときのイメージング時に取得したデータのノイズを抑制した。図１３Ａと１３Ｂは、ノイズ源が存在するとき取得した画像を示す。図１３Ａは本ノイズ抑制方法を適用したもの、図１３Ｂはしなかったものである。ノイズ抑制方法を実施したとき、信号対ノイズ比の明らかな改善（約５ｄＢ）が見られた。
【０２５２】
上記具体的な実施形態は例示であり、これら実施形態は様々な変形および代替形態が可能であることを理解されたい。さらに、特許請求範囲は特定形態に限定することを意図したものではなく、本開示の要旨と範囲に含まれる全ての変形、等価物、代替形態をカバーすることを意図したものであることを理解されたい。
【図１Ａ】
2020508168.tif 000004
【図１Ｂ】
2020508168.tif 000005
【図１Ｃ】
2020508168.tif 000006
【図１Ｄ】
2020508168.tif 000007
【図１Ｅ】
2020508168.tif 000008
【図１Ｆ】
2020508168.tif 000009
【図１Ｇ】
2020508168.tif 000010
【図２Ａ】
2020508168.tif 000011
【図２Ｂ】
2020508168.tif 000012
【図２Ｃ】
2020508168.tif 000013
【図３Ａ】
2020508168.tif 000014
【図３Ｂ】
2020508168.tif 000015
【図３Ｃ】
2020508168.tif 000016
【図４】
2020508168.tif 000017
【図５Ａ】
2020508168.tif 000018
【図５Ｂ】
2020508168.tif 000019
【図６Ａ】
2020508168.tif 000020
【図６Ｂ】
2020508168.tif 000021
【図６Ｃ】
2020508168.tif 000022
【図６Ｄ】
2020508168.tif 000023
【図６Ｅ】
2020508168.tif 000024
【図６Ｆ】
2020508168.tif 000025
【図６Ｇ】
2020508168.tif 000026
【図６Ｈ】
2020508168.tif 000027
【図６Ｉ】
2020508168.tif 000028
【図７Ａ】
2020508168.tif 000029
【図７Ｂ】
2020508168.tif 000030
【図７Ｃ】
2020508168.tif 000031
【図７Ｄ】
2020508168.tif 000032
【図８Ａ】
2020508168.tif 000033
【図８Ｂ】
2020508168.tif 000034
【図８Ｃ】
2020508168.tif 000035
【図８Ｄ】
2020508168.tif 000036
【図８Ｅ】
2020508168.tif 000037
【図８Ｆ】
2020508168.tif 000038
【図９】
2020508168.tif 000039
【図１０Ａ】
2020508168.tif 000040
【図１０Ｂ】
2020508168.tif 000041
【図１０Ｃ】
2020508168.tif 000042
【図１１Ａ】
2020508168.tif 000043
【図１１Ｂ】
2020508168.tif 000044
【図１１Ｃ】
2020508168.tif 000045
【図１１Ｄ】
2020508168.tif 000046
【図１１Ｅ】
2020508168.tif 000047
【図１２Ａ】
2020508168.tif 000048
【図１２Ｂ】
2020508168.tif 000049
【図１３Ａ】
2020508168.tif 000050
【図１３Ｂ】
2020508168.tif 000051
【図１４】
2020508168.tif 000052
【国際調査報告】
2020508168.tif 000053
2020508168.tif 000054
2020508168.tif 000055